(57)【要約】本願は、チャネル品質フィードバック方法及び装置を開示し、チャネル品質フィードバック方法は、ネットワークデバイスが端末デバイスのチャネル品質インジケータセットを決定するステップと、ネットワークデバイスがチャネル品質インジケータセットを端末デバイスへ送信するステップとを含み、チャネル品質インジケータセットは少なくとも１つのチャネル品質インジケータ値を含み、チャネル品質インジケータ値はチャネル品質を指示するために使用される。本願の実施形態で、端末デバイスに専用のチャネル品質インジケータセットが決定され得、それにより、オーバーヘッドが低減され得るだけでなく、チャネル品質フィードバックの精度も改善され得る。
2020523913.tif 000002
【特許請求の範囲】
【請求項１】
対応表に基づき指示情報を決定することと、
前記指示情報をネットワークデバイスへ送信することと
を有し、
前記指示情報は、少なくとも１つのチャネル品質インジケータＣＱＩインデックスを指示するために使用され、前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信方法。
【請求項２】
前記Ｋ個の符号レートパラメータは、０より大きく４０よりも小さい値である、
請求項１に記載の通信方法。
【請求項３】
前記Ｎ個のＣＱＩインデックスは、少なくとも３タイプの変調スキームに対応し、該少なくとも３タイプの変調スキームの中のＱＰＳＫ変調スキームの数量は、前記少なくとも３タイプの変調スキームの中のいずれかの他のタイプの変調スキームの数量よりも多い、
請求項１又は２に記載の通信方法。
【請求項４】
少なくとも１つのチャネル品質インジケータＣＱＩインデックスを指示するために使用される指示情報を受信することと、
対応表に基づき、前記少なくとも１つのＣＱＩインデックスに対応する変調及び符号化スキームを決定することと
を有し、
前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートパラメータと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信方法。
【請求項５】
前記Ｋ個の符号レートパラメータは、０より大きく４０よりも小さい値である、
請求項４に記載の通信方法。
【請求項６】
前記Ｎ個のＣＱＩインデックスは、少なくとも３タイプの変調スキームに対応し、該少なくとも３タイプの変調スキームの中のＱＰＳＫ変調スキームの数量は、前記少なくとも３タイプの変調スキームの中のいずれかの他のタイプの変調スキームの数量よりも多い、
請求項４又は５に記載の通信方法。
【請求項７】
対応表に基づき指示情報を決定することと、
前記指示情報を送信することと
を有し、
前記指示情報は、少なくとも１つの変調及び符号化スキームＭＣＳインデックスを指示するために使用され、前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＭＣＳインデックスに対応する符号レートと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信方法。
【請求項８】
前記Ｋ個の符号レートパラメータは、０より大きく４０よりも小さい値である、
請求項７に記載の通信方法。
【請求項９】
少なくとも１つの変調及び符号化スキームＭＣＳインデックスを指示するために使用される指示情報を受信することと、
対応表に基づき、前記少なくとも１つのＭＣＳインデックスに対応する変調及び符号化スキームを決定することと
を有し、
前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＣＱＩインデックスに対応する符号レートパラメータと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信方法。
【請求項１０】
前記Ｋ個の符号レートパラメータは、０より大きく４０よりも小さい値である、
請求項９に記載の通信方法。
【請求項１１】
対応表に基づき指示情報を決定するよう構成される処理モジュールと、
前記指示情報をネットワークデバイスへ送信するよう構成されるトランシーバモジュールと
を有し、
前記指示情報は、少なくとも１つのチャネル品質インジケータＣＱＩインデックスを指示するために使用され、前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信装置。
【請求項１２】
前記Ｋ個の符号レートパラメータは、０より大きく４０よりも小さい値である、
請求項１１に記載の通信装置。
【請求項１３】
前記Ｎ個のＣＱＩインデックスは、少なくとも３タイプの変調スキームに対応し、該少なくとも３タイプの変調スキームの中のＱＰＳＫ変調スキームの数量は、前記少なくとも３タイプの変調スキームの中のいずれかの他のタイプの変調スキームの数量よりも多い、
請求項１１又は１２に記載の通信装置。
【請求項１４】
少なくとも１つのチャネル品質インジケータＣＱＩインデックスを指示するために使用される指示情報を受信するよう構成されるトランシーバモジュールと、
対応表に基づき、前記少なくとも１つのＣＱＩインデックスに対応する変調及び符号化スキームを決定するよう構成される処理モジュールと
を有し、
前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートパラメータと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信装置。
【請求項１５】
前記Ｋ個の符号レートパラメータは、０より大きく４０よりも小さい値である、
請求項１４に記載の通信装置。
【請求項１６】
前記Ｎ個のＣＱＩインデックスは、少なくとも３タイプの変調スキームに対応し、該少なくとも３タイプの変調スキームの中のＱＰＳＫ変調スキームの数量は、前記少なくとも３タイプの変調スキームの中のいずれかの他のタイプの変調スキームの数量よりも多い、
請求項１４又は１５に記載の通信装置。
【請求項１７】
対応表に基づき指示情報を決定するよう構成される処理モジュールと、
前記指示情報を送信するよう構成されるトランシーバモジュールと
を有し、
前記指示情報は、少なくとも１つの変調及び符号化スキームＭＣＳインデックスを指示するために使用され、前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＭＣＳインデックスに対応する符号レートと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信装置。
【請求項１８】
前記Ｋ個の符号レートパラメータは、０より大きく４０よりも小さい値である、
請求項１７に記載の通信装置。
【請求項１９】
少なくとも１つの変調及び符号化スキームＭＣＳインデックスを指示するために使用される指示情報を受信するよう構成されるトランシーバモジュールと、
対応表に基づき、前記少なくとも１つのＭＣＳインデックスに対応する変調及び符号化スキームを決定するよう構成される処理モジュールと
を有し、
前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＣＱＩインデックスに対応する符号レートパラメータと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信装置。
【請求項２０】
前記Ｋ個の符号レートパラメータは、０より大きく４０よりも小さい値である、
請求項１９に記載の通信装置。
【請求項２１】
命令を記憶し、該命令がコンピュータで実行されるときに、該コンピュータが、請求項１乃至１０のうちいずれか一項に記載の方法を実行することを可能にされる、
コンピュータ可読記憶媒体。
【請求項２２】
コンピュータで実行されるときに、該コンピュータが、請求項１乃至１０のうちいずれか一項に記載の方法を実行することを可能にされる、
コンピュータプログラム製品。
【請求項２３】
メモリ及びプロセッサを有するチップシステムであって、
前記メモリは、コンピュータプログラムを記憶するよう構成され、
前記プロセッサは、前記メモリから前記コンピュータプログラムを呼び出し、該コンピュータプログラムを実行するよう構成され、それにより、当該チップが配置されている通信装置が、請求項１乃至１０のうちいずれか一項に記載の方法を実行する、
前記チップシステム。
【発明の詳細な説明】
【技術分野】
【０００１】
本願は、“CHANNEL  QUALITY  FEEDBACK  METHOD  AND  APPARATUS”と題されて２０１７年６月１６日付けで中国特許庁に出願された中国特許出願第２０１７１０４５９７０１．５号の優先権を主張するとともに、“CHANNEL  QUALITY  FEEDBACK  METHOD  AND  APPARATUS”と題されて２０１７年８月１１日付けで中国特許庁に出願された中国特許出願第２０１７１０６８７９６４．１号の優先権を主張する。これらの中国特許出願は、それらの全文を参照により本願に援用される。
【０００２】
本願は、通信技術の分野に、特に、チャネル品質フィードバック方法及び装置に関係がある。
【背景技術】
【０００３】
４Ｇ通信システムと比較して、５Ｇ通信システムは、超高信頼且つ低レイテンシ通信（Ultra-Reliable  and  Low-Latency  Communications，ＵＲＬＬＣ）サービスをサポートする。ＵＲＬＬＣサービスは、過酷な伝送レイテンシ条件において厳しい信頼性要件を満足する必要がある。しかし、変調及び符号化レベルを確実に削減しても、低いシステム伝送効率をもたらすだけである。従って、現在のチャネル品質に最も適している変調及び符号化スキームを使用することによって伝送を行うことをネットワークデバイスに可能にするために、チャネル品質情報フィードバックが強化される必要があり、それにより、伝送信頼性が確保され得るだけでなく、過度に低い伝送効率でのスケジューリングも回避され得る。
【０００４】
例えば、チャネル品質インジケータ（Channel  Quality  Indicator，ＣＱＩ）は、チャネル品質情報の典型的なフィードバック技術である。ＬＴＥシステムでは、各ＣＱＩインデックスは、特定のチャネル品質の１つの変調及び符号化ポリシーに対応する。現在のチャネル品質に対応するＣＱＩインデックスを知った後、ネットワークデバイスは、ＣＱＩインデックスに対応する変調及び符号化ポリシーを使用することによって伝送を行うことができる。現在、業界にはＣＱＩインデックスをフィードバックする２つの方法、すなわち、絶対インジケータ値フィードバック及び差分インジケータ値フィードバックがある。絶対インジケータ値フィードバックでは、測定を通じて現在のチャネル品質を得た後、端末デバイスは、１タイプのフィードバック情報をフィードバックし、フィードバック情報は、現在のチャネル品質に対応するＣＱＩインデックスに対応する。すなわち、フィードバック情報の１タイプは、ＣＱＩインデックスの１タイプに対応する。例えば、１６のタイプのＣＱＩインデックスが含まれる場合に、４ビットのフィードバック情報がフィードバックのために使用される必要がある。通常、限られたタイプのＣＱＩインデックスがオーバーヘッドを減らすために設定され、典型的なチャネル品質状態しか反映され得ず、チャネル品質はディープフェージングチャネルのために正確に反映され得ない。
【０００５】
差分インジケータ値フィードバックでは、ＣＱＩ参照インデックス値が最初に決定され、オフセットが、夫々の残りのＣＱＩインデックスについて、参照インデックス値を基準として使用することによって計算される。従って、端末デバイスは、オフセットに対応するフィードバック情報をフィードバックしさえすればよい。フィードバック情報のオーバーヘッドを減らすために、いくつかの任意のオフセットが、ＣＱＩ差分インジケータ値セットを形成するために決定され、フィードバック情報の１タイプは１つのオフセットに対応する。例えば、ＣＱＩ差分インジケータ値セットは｛−１，０，１，２｝である。端末デバイスは、２ビットのフィードバック情報を使用することによって、４つのオフセットをフィードバックし得る。現在、ＣＱＩ差分インジケータ値セットは、業界において全ての場合に対して指定されている。例えば、オフセットが２であるとき、端末デバイスによってフィードバックされるフィードバック情報は１１であり、オフセットが５であるとき、端末デバイスによってフィードバックされるフィードバック情報はやはり１１である。従って、端末デバイスは、チャネルの現在のチャネル品質を正確に示すことができない。
【０００６】
先行技術では、絶対インジケータ値又は差分インジケータ値のどちらが使用されるかに関わらず、各端末のチャネル品質は正確に示され得ないことが、上記の説明から分かる。
【発明の概要】
【０００７】
本願の実施形態は、オーバーヘッドが低減されるのみならず、チャネル品質フィードバックの精度が最大限にされ得るように、端末デバイスに専用のチャネル品質インジケータセットを決定するためのチャネル品質フィードバック方法及び装置を提供する。
【０００８】
第１の態様によれば、本願の実施形態は、ネットワークデバイスによって端末デバイスのチャネル品質インジケータセットを決定することを含むチャネル品質フィードバック方法を提供する。チャネル品質インジケータセットは、チャネル品質インジケータ値を含み、チャネル品質インジケータ値は、チャネル品質を指示するために使用される。任意に、チャネル品質インジケータセットは、少なくとも１つのチャネル品質インジケータ値を含み得る。
【０００９】
ネットワークデバイスは、決定されたチャネル品質インジケータセットを端末デバイスへ送信する。任意に、ネットワークデバイスは、上位レイヤシグナリング構成を使用することによってチャネル品質インジケータセットを指示してよく、あるいは、ネットワークデバイスは、ＭＡＣ  ＣＥシグナリングを使用することによってチャネル品質インジケータセットを指示してよい。更に、チャネル品質インジケータセットは、代替的に、ユーザ特有のシグナリングを使用することによって指示されてもよい。
【００１０】
可能な設計において、ネットワークデバイスは、端末デバイスに対して、チャネル品質インジケータセットを指示するために使用される指示メッセージを送信し、このとき、指示メッセージは、少なくとも１つのチャネル品質インジケータ値を含む。
【００１１】
可能な設計において、チャネル品質インジケータ値は、チャネル品質差分インジケータ値を含んでよく、チャネル品質差分インジケータ値は、チャネル品質測定値とチャネル品質参照値との間のオフセットを指示するために使用される。例えば、チャネル品質測定値は、測定を通じて取得されたＣＱＩインデックスであり、チャネル品質参照値は、ＣＱＩ参照インデックス値である。ここでのチャネル品質は、ＣＱＩ、ＭＣＳ、及びＢＬＥＲを含むが限られないことが留意されるべきである。
【００１２】
可能な設計において、チャネル品質参照値は、測定値に対応する基準時に最も近い時点で非周期的にフィードバックされるチャネル品質値、又は
測定値に対応する基準時に最も近い時点で周期的にフィードバックされるチャネル品質値、又は
測定値に対応する基準時に最も近い時点でフィードバックされ、特定のチャネル品質報告セットに含まれるチャネル品質値
を含み、このとき、
測定値に対応する基準時は、測定値に対応する基準測定時点又は測定値に対応する測定報告時点を含み、測定値に対応する測定報告時点は、端末デバイスによって測定値のフィードバック情報を送信する時点であり、フィードバック情報は、チャネル品質インジケータセットに対して端末デバイスによってフィードバックされるチャネル品質情報であり、基準測定時点は、測定報告時点より前の前もってセットされた期間である。
【００１３】
可能な設計において、ネットワークデバイスは、端末デバイスのために第１チャネル品質インジケータセット及び第２チャネル品質インジケータセットを決定し、このとき、第１チャネル品質インジケータセットは、第１期間のインターバルに対応し、第２チャネル品質インジケータセットは、第２期間のインターバルに対応する。第１期間のインターバル及び第２期間のインターバルは、端末デバイスのためにネットワークデバイスによって決定される、複数の期間のインターバルの中のいずれか２つの期間のインターバルであってよく、複数の期間のインターバルは重なり合わない。ネットワークデバイスは、端末デバイスに対して、決定された複数の期間のインターバルに対応する複数のチャネル品質インジケータセットを送信する。
【００１４】
可能な設計において、ネットワークデバイスは、端末デバイスによって送信されたフィードバック情報を受信し、このとき、フィードバック情報は、第１目標チャネル品質インジケータセットにおいて目標差分インジケータ値を指示するために使用され、第１目標チャネル品質インジケータセットは、測定値に対応する基準時と参照値に対応する基準時との間の時間差に対応するチャネル品質インジケータセットであり、目標差分インジケータ値は、現在のチャネル品質測定値とチャネル品質参照値との間のオフセットを指示するために使用され、第１目標チャネル品質インジケータセットは、第１チャネル品質インジケータセット又は第２チャネル品質インジケータセットである。
【００１５】
可能な設計において、ネットワークデバイスは、端末デバイスの第３チャネル品質インジケータセット及び第４チャネル品質インジケータセットを決定し、このとき、第３チャネル品質インジケータセットは、第３ブロックエラーレート差のインターバルに対応し、第４チャネル品質インジケータセットは、第４ブロックエラーレート差のインターバルに対応する。第３ブロックエラーレート差のインターバル及び第４ブロックエラーレート差のインターバルは、端末デバイスのためにネットワークデバイスによって決定される、複数のブロックエラーレート差のインターバルの中のいずれか２つのブロックエラーレート差のインターバルであってよく、複数のブロックエラーレート差のインターバルは重なり合わない。ネットワークデバイスは、端末デバイスに対して、決定された複数のブロックエラーレート差のインターバルに対応する複数のチャネル品質インジケータセットを送信する。
【００１６】
可能な設計において、ネットワークデバイスは、端末デバイスによって送信されたフィードバック情報を受信し、このとき、フィードバック情報は、第２目標チャネル品質インジケータセットにおいて目標差分インジケータ値を指示するために使用され、第２目標チャネル品質インジケータセットは、測定値に対応するブロックエラーレートと参照値に対応するブロックエラーレートとの間の差に対応するチャネル品質インジケータセットであり、目標差分インジケータ値は、現在のチャネル品質測定値とチャネル品質参照値との間のオフセットを指示するために使用され、第２目標チャネル品質インジケータセットは、第３チャネル品質インジケータセット又は第４チャネル品質インジケータセットである。
【００１７】
可能な設計において、チャネル品質インジケータセット内のチャネル品質インジケータ値は、チャネル品質絶対インジケータ値を含み、絶対インジケータ値は、チャネル品質測定値を指示するために使用される。例えば、絶対インジケータ値はＣＱＩインデックスである。
【００１８】
任意に、端末デバイスのためにネットワークデバイスによって決定されるチャネル品質インジケータセットは、前もってセットされたセット又は前もってセットされたセットのサブセットである。前もってセットされたセットは、プロトコルで指定されているセット、すなわち、ネットワークデバイス及び端末デバイスにおいて前もってセットされたセットであってよい。前もってセットされたセットに含まれる絶対インジケータ値の数量は、端末デバイスのためにネットワークデバイスによって決定されるチャネル品質インジケータセットに含まれる絶対インジケータ値の数量よりも多いか又はそれと等しい。端末デバイスのためにネットワークデバイスによって決定されるチャネル品質インジケータセットに含まれる絶対インジケータ値の数量は、フィードバック情報をネットワークデバイスへ送信するために端末デバイスによって必要とされるビットの数量を決定する。例えば、端末デバイスのためにネットワークデバイスによって決定されるチャネル品質インジケータセットに含まれる絶対インジケータ値の数量が１６である場合に、フィードバック情報に必要なビットの数量は４である。このようにして、端末デバイスに専用のチャネル品質インジケータセットに含まれる絶対インジケータ値は、限られた数量のビットをフィードバック情報のために使用することによってフィードバックされ得、それにより、フィードバックはより正確である。異なる端末デバイスのためにネットワークデバイスによって決定されるチャネル品質インジケータセットに含まれる絶対インジケータ値の数量は、異なることがあり、従って、フィードバック情報をネットワークデバイスへ送信するために端末デバイスによって必要されるビットの数量も異なることがある。
【００１９】
任意に、端末デバイスのためにネットワークデバイスによって決定されるチャネル品質インジケータセットに含まれる絶対インジケータ値は、前もってセットされたセットから連続的に選択されても、あるいは、非連続的に選択されてもよい。チャネル品質インジケータセットに含まれる絶対インジケータ値が連続的に選択されるか、あるいは、チャネル品質インジケータセットに含まれる絶対インジケータ値が等間隔で選択される場合に、端末デバイスに対してチャネル品質インジケータセットを指示するときに、ネットワークデバイスは、チャネル品質インジケータセットの開始要素及びチャネル品質インジケータセットに含まれる要素の数量しか指示しなくてよく、あるいは、ネットワークデバイスは、開始要素しか指示せず、チャネル品質インジケータセットに含まれる要素の数量は、プロトコルで指定されている値である。ここでの連続的な選択は、絶対インジケータ値の順序番号に基づく逐次選択であってよい。
【００２０】
任意に、チャネル品質インジケータセットに含まれる絶対インジケータ値が非連続的に選択され、値選択規則がない場合には、ネットワークデバイスは、ビットマップを使用することによって端末デバイスに対してチャネル品質インジケータセットを指示してよく、あるいは、ネットワークデバイスは、前もってセットされたセットにおいて絶対インジケータ値に対応するインデックスを別に指示する。
【００２１】
任意に、端末デバイスのためにネットワークデバイスによって決定されるチャネル品質インジケータセットに含まれる絶対インジケータ値は、複数の前もってセットされたセットの中の少なくとも１つにおけるチャネル品質インジケータ値の一部又は全てであってよい。任意に、複数の前もってセットされたセットの中の少なくとも２つは、異なる数量の絶対インジケータ値を含む。前もってセットされたセットは、ネットワークデバイス及び端末デバイスにおいて前もってセットされたセットであってよいことが留意されるべきである。
【００２２】
第２の態様によれば、本願の実施形態は、ネットワークデバイスを提供し、ネットワークデバイスは、第１の態様の方法でのネットワークデバイスの挙動を実装する機能を備える。機能は、ハードウェアによって実装されても、あるいは、ハードウェアが対応するソフトウェアを実行することによって実装されてもよい。ハードウェア又はソフトウェアは、機能に対応する１以上のモジュールを含む。
【００２３】
可能な実施において、ネットワークデバイスは、処理ユニット及びトランシーバユニットを含む。処理ユニットは、端末デバイスのチャネル品質インジケータセットを決定するよう構成され、このとき、チャネル品質インジケータセットは、少なくとも１つのチャネル品質インジケータ値を含み、チャネル品質インジケータ値は、チャネル品質を指示するために使用される。トランシーバユニットは、チャネル品質インジケータセットを端末デバイスへ送信するよう構成される。
【００２４】
可能な実施において、ネットワークデバイスは、プロセッサ及びトランシーバを含む。プロセッサは、端末デバイスのチャネル品質インジケータセットを決定するよう構成され、このとき、チャネル品質インジケータセットは、少なくとも１つのチャネル品質インジケータ値を含み、チャネル品質インジケータ値は、チャネル品質を指示するために使用される。トランシーバは、チャネル品質インジケータセットを端末デバイスへ送信するよう構成される。
【００２５】
同じ発明概念に基づいて、ネットワークデバイスの問題解決原理及び有利な効果については、第１の態様の方法及び方法によってもたらされる有利な効果を参照されたい。ネットワークデバイスの実装については、第１の態様におけるネットワークデバイス側での方法の実装を参照されたい。詳細は再び記載されない。
【００２６】
第３の態様によれば、本願の実施形態は、端末デバイスが、該端末デバイスのためにネットワークデバイスによって決定されたチャネル品質インジケータセットを取得し、該チャネル品質インジケータセットが少なくとも１つのチャネル品質インジケータ値を含み、該チャネル品質インジケータ値がチャネル品質を指示するために使用される、ことと、
前記端末デバイスが、前記チャネル品質インジケータセット内のチャネル品質インジケータ値であって、チャネルの現在のチャネル品質を決定するために使用される目標チャネル品質インジケータ値を指示するために使用されるフィードバック情報を前記ネットワークデバイスへ送信することと
を含むチャネル品質フィードバック方法を提供する。
【００２７】
可能な設計において、チャネル品質インジケータ値は、チャネル品質差分インジケータ値を含み、該差分インジケータ値は、チャネル品質測定値とチャネル品質参照値との間のオフセットを指示するために使用される。
【００２８】
可能な設計において、チャネル品質参照値は、
測定値に対応する測定時に最も近い時点で非周期的にフィードバックされるチャネル品質値、又は
測定値に対応する測定時に最も近い時点で周期的にフィードバックされるチャネル品質値、又は
測定値に対応する測定時に最も近い時点でフィードバックされ、特定のチャネル品質報告セットに含まれるチャネル品質値
を含む。
【００２９】
可能な設計において、端末デバイスが、該端末デバイスのためにネットワークデバイスによって決定されたチャネル品質インジケータセットを取得することは、
端末デバイスが、第１チャネル品質インジケータセット及び第２チャネル品質インジケータセットを取得することを含み、このとき、第１チャネル品質インジケータセットは、第１期間のインターバルに対応し、第２チャネル品質インジケータセットは、第２期間のインターバルに対応し、第１期間又は第２期間は、測定値に対応する基準時と参照値に対応する基準値との間の時間差であり、第１期間のインターバルは、第２期間のインターバルとは異なり、
前記端末デバイスがフィードバック情報を前記ネットワークデバイスへ送信することは、
端末デバイスが、チャネル品質測定値に対応する測定時とチャネル品質参照値に対応するフィードバック時との間の時間差に対応するチャネル品質インジケータセットであって、第１チャネル品質インジケータセット又は第２チャネル品質インジケータセットである第１目標差分セットを決定することと、
端末デバイスが、第１目標差分セットにおいて目標差分インジケータ値を指示するために使用されるフィードバック情報をネットワークデバイスへ送信することと
を含む。
【００３０】
可能な設計において、端末デバイスが、該端末デバイスのためにネットワークデバイスによって決定されたチャネル品質インジケータセットを取得することは、
端末デバイスが、第３チャネル品質インジケータセット及び第４チャネル品質インジケータセットを取得することを含み、このとき、第３チャネル品質インジケータセットは、第３ブロックエラーレート差のインターバルに対応し、第４チャネル品質インジケータセットは、第４ブロックエラーレート差のインターバルに対応し、第３ブロックエラーレート差又は第４ブロックエラーレート差は、チャネル品質測定値に対応するブロックエラーレートとチャネル品質参照値に対応するブロックエラーレートとの間の差であり、第３ブロックエラーレート差のインターバルは、第４ブロックエラーレート差のインターバルとは異なり、
前記端末デバイスがフィードバック情報を前記ネットワークデバイスへ送信することは、
端末デバイスが、チャネル品質測定値に対応するブロックエラーレートと、チャネル品質参照値に対応するブロックエラーレートとの間の差に対応するチャネル品質インジケータセットであって、第３チャネル品質インジケータセット又は第４チャネル品質インジケータセットである第２目標差分セットを決定することと、
端末デバイスが、第２目標差分セットにおいて目標差分インジケータ値を指示するために使用されるフィードバック情報をネットワークデバイスへ送信することと
を含む。
【００３１】
可能な設計において、チャネル品質インジケータ値は、チャネル品質絶対インジケータ値を含み、絶対インジケータ値は、チャネル品質測定値を指示するために使用され、
チャネル品質インジケータセットは、前もってセットされたセット又は前もってセットされたセットのサブセットであるか、あるいは、チャネル品質セットは、複数の前もってセットされたセットの中の少なくとも１つである。
【００３２】
任意に、端末デバイスのためにネットワークデバイスによって決定されるチャネル品質インジケータセットは、前もってセットされたセット又は前もってセットされたセットのサブセットである。前もってセットされたセットは、プロトコルで指定されているセット、すなわち、ネットワークデバイス及び端末デバイスにおいて前もってセットされたセットであってよい。
【００３３】
任意に、端末デバイスのためにネットワークデバイスによって決定されるチャネル品質インジケータセットに含まれる絶対インジケータ値は、前もってセットされたセットから連続的に選択されてよく、あるいは、チャネル品質インジケータセットに含まれる絶対インジケータ値は、前もってセットされたセットから非連続的に選択されてもよい。
【００３４】
任意に、端末デバイスのためにネットワークデバイスによって決定されるチャネル品質インジケータセットに含まれる絶対インジケータ値は、複数の前もってセットされたセットの中の少なくとも１つにおけるチャネル品質インジケータ値の一部又は全てであってよい。複数の前もってセットされたセットは、ネットワークデバイス及び端末デバイスにおいて前もってセットされたセットであってよい。
【００３５】
第４の態様によれば、本願の実施形態は、端末デバイスを提供し、端末デバイスは、第３の態様の方法での端末デバイスの挙動を実装する機能を備える。機能は、ハードウェアによって実装されても、あるいは、ハードウェアが対応するソフトウェアを実行することによって実装されてもよい。ハードウェア又はソフトウェアは、機能に対応する１以上のモジュールを含む。
【００３６】
可能な実施において、端末デバイスは、トランシーバユニット及び処理ユニットを含む。処理ユニットは、端末デバイスのためにネットワークデバイスによって決定されたチャネル品質インジケータセットを取得するよう構成され、このとき、チャネル品質インジケータセットは、少なくとも１つのチャネル品質インジケータ値を含み、チャネル品質インジケータ値は、チャネル品質を指示するために使用される。
【００３７】
トランシーバユニットは、フィードバック情報を送信するよう構成され、このとき、フィードバック情報は、目標チャネル品質インジケータ値を指示するために使用され、目標チャネル品質インジケータ値は、チャネル品質インジケータセット内のチャネル品質インジケータ値であり、目標チャネル品質インジケータ値は、チャネルの現在のチャネル品質を決定するために使用される。
【００３８】
可能な実施において、端末デバイスは、プロセッサ及びトランシーバを含む。プロセッサは、端末デバイスのためにネットワークデバイスによって決定されたチャネル品質インジケータセットを取得するよう構成され、このとき、チャネル品質インジケータセットは、少なくとも１つのチャネル品質インジケータ値を含み、チャネル品質インジケータ値は、チャネル品質を指示するために使用される。
【００３９】
トランシーバは、フィードバック情報を送信するよう構成され、このとき、フィードバック情報は、目標チャネル品質インジケータ値を指示するために使用され、目標チャネル品質インジケータ値は、チャネル品質インジケータセット内のチャネル品質インジケータ値であり、目標チャネル品質インジケータ値は、チャネルの現在のチャネル品質を決定するために使用される。
【００４０】
同じ発明概念に基づいて、端末デバイスの問題解決原理及び有利な効果については、第３の態様の方法及び方法によってもたらされる有利な効果を参照されたい。端末デバイスの実装については、第３の態様における端末デバイス側での方法の実装を参照されたい。詳細は再び記載されない。
【００４１】
第５の態様によれば、本願の実施形態は、ネットワークデバイスが、端末デバイスの変調及び符号化スキームＭＣＳレベルインジケータセットを決定し、該ＭＣＳレベルインジケータセットがＭＣＳレベルインジケータ値を含み、該ＭＣＳレベルインジケータ値が変調及び符号化ポリシーを指示するために使用される、ことと、
前記ネットワークデバイスが前記ＭＣＳレベルインジケータセットを前記端末デバイスへ送信することと
を含む変調及び符号化ポリシー指示方法を提供する。
【００４２】
可能な実施において、ネットワークデバイスは、指示情報を端末デバイスへ送信し、このとき、指示情報は、ＭＣＳレベルインジケータセットにおいて目標ＭＣＳレベルインジケータ値を指示するために使用され、該目標ＭＣＳレベルインジケータ値は、ネットワークデバイスによって使用される変調及び符号化ポリシーを指示するために使用される。
【００４３】
可能な実施において、ＭＣＳレベルインジケータセットは、前もってセットされたセット又は前もってセットされたセットのサブセットであるか、あるいは、ＭＣＳレベルインジケータセットは、複数の前もってセットされたセットの中の少なくとも１つである。
【００４４】
任意に、端末デバイスのためにネットワークデバイスによって決定されるＭＣＳレベルインジケータセットは、前もってセットされたセット又は前もってセットされたセットのサブセットである。前もってセットされたセットは、プロトコルで指定されたセット、すなわち、ネットワークデバイス及び端末デバイスにおいて前もってセットされたセットであってよい。
【００４５】
任意に、端末デバイスのためにネットワークデバイスによって決定されるＭＣＳレベルインジケータセットに含まれるＭＣＳレベルインジケータ値は、前もってセットされたセットから連続的に選択されてよく、あるいは、ＭＣＳレベルインジケータセットに含まれるＭＣＳレベルインジケータ値は、前もってセットされたセットから非連続的に選択されてよい。
【００４６】
ＭＣＳレベルインジケータセットに含まれるＭＣＳレベルインジケータ値が前もってセットされたセットから連続的に選択されるか、あるいは、ＭＣＳレベルインジケータセットに含まれるＭＣＳレベルインジケータ値が等しいインターベルで選択される場合に、端末デバイスに対してＭＣＳレベルインジケータセットを指示するときに、ネットワークデバイスは、ＭＣＳレベルインジケータセットの開始要素及びＭＣＳレベルインジケータセットに含まれる要素の数量しか指示しなくてよく、あるいは、ネットワークデバイスは、開始要素のみを指示し、ＭＣＳレベルインジケータセットに含まれる要素の数量は、プロトコルで指定される値である。
【００４７】
ＭＣＳレベルインジケータセットに含まれるＭＣＳレベルインジケータ値が前もってセットされたセットから非連続的に選択され、値選択規則がない場合に、ネットワークデバイスは、ビットマップを使用することによって端末デバイスに対してＭＣＳレベルインジケータセットを指示してよい。
【００４８】
任意に、端末デバイスのためにネットワークデバイスによって決定されるＭＣＳレベルインジケータセットに含まれるＭＣＳレベルインジケータ値は、複数の前もってセットされたセットの中の少なくとも１つにおけるＭＣＳレベルインジケータ値の一部又は全てであってよい。複数の前もってセットされたセットは、ネットワークデバイス及び端末デバイスにおいて前もってセットされたセットであってよい。
【００４９】
第６の態様によれば、本願の実施形態は、ネットワークデバイスを提供し、ネットワークデバイスは、第５の態様の方法でのネットワークデバイスの挙動を実装する機能を備える。機能は、ハードウェアによって実装されても、あるいは、ハードウェアが対応するソフトウェアを実行することによって実装されてもよい。ハードウェア又はソフトウェアは、機能に対応する１以上のモジュールを含む。
【００５０】
可能な実施において、ネットワークデバイスは、処理ユニット及びトランシーバユニットを含む。処理ユニットは、端末デバイスの変調及び符号化スキームＭＣＳレベルインジケータセットを決定するよう構成され、このとき、ＭＣＳレベルインジケータセットは、ＭＣＳレベルインジケータ値を含み、ＭＣＳレベルインジケータ値は、変調及び符号化ポリシーを指示するために使用される。
【００５１】
トランシーバユニットは、ＭＣＳレベルインジケータセットを端末デバイスへ送信するよう構成される。
【００５２】
可能な実施において、ネットワークデバイスは、プロセッサ及びトランシーバを含む。プロセッサは、端末デバイスの変調及び符号化スキームＭＣＳレベルインジケータセットを決定するよう構成され、このとき、ＭＣＳレベルインジケータセットは、ＭＣＳレベルインジケータ値を含み、ＭＣＳレベルインジケータ値は、変調及び符号化ポリシーを指示するために使用される。
【００５３】
トランシーバは、ＭＣＳレベルインジケータセットを端末デバイスへ送信するよう構成される。
【００５４】
同じ発明概念に基づいて、ネットワークデバイスの問題解決原理及び有利な効果については、第５の態様の方法及び方法によってもたらされる有利な効果を参照されたい。ネットワークデバイスの実装については、第５の態様におけるネットワークデバイス側での方法の実装を参照されたい。詳細は再び記載されない。
【００５５】
第７の態様によれば、本願の実施形態は、
端末デバイスが、該端末デバイスのために決定されたＭＣＳレベルインジケータセットを受信し、該ＭＣＳレベルインジケータセットが少なくとも１つのＭＣＳレベルインジケータ値を含み、該ＭＣＳレベルインジケータ値が変調及び符号化ポリシーを指示するために使用される、ことと、
前記端末デバイスが前記ＭＣＳレベルインジケータセットを記憶することと
を含む変調及び符号化ポリシー指示方法を提供する。
【００５６】
可能な実施において、端末デバイスは、ネットワークデバイスによって送信された指示情報を受信し、このとき、指示情報は、ＭＣＳレベルインジケータセットにおいて目標ＭＣＳレベルインジケータ値を指示するために使用され、該目標ＭＣＳレベルインジケータ値は、ネットワークデバイスによって使用される変調及び符号化ポリシーを指示するために使用される。
【００５７】
可能な実施において、ＭＣＳレベルインジケータセットは、前もってセットされたセット又は前もってセットされたセットのサブセットであるか、あるいは、ＭＣＳレベルインジケータセットは、複数の前もってセットされたセットの中の１つである。
【００５８】
第８の態様によれば、本願の実施形態は、端末デバイスを提供し、端末デバイスは、第７の態様の方法での端末デバイスの挙動を実装する機能を備える。機能は、ハードウェアによって実装されても、あるいは、ハードウェアが対応するソフトウェアを実行することによって実装されてもよい。ハードウェア又はソフトウェアは、機能に対応する１以上のモジュールを含む。
【００５９】
可能な実施において、端末デバイスは、トランシーバユニット及び処理ユニットを含む。トランシーバユニットは、端末デバイスのために決定されたＭＣＳレベルインジケータセットを受信するよう構成され、このとき、ＭＣＳレベルインジケータセットはＭＣＳレベルインジケータ値を含み、該ＭＣＳレベルインジケータ値は変調及び符号化ポリシーを指示するために使用される。
【００６０】
処理ユニットは、ＭＣＳレベルインジケータセットを記憶するよう構成される。
【００６１】
可能な実施において、端末デバイスは、プロセッサ及びトランシーバを含む。トランシーバは、端末デバイスのために決定されたＭＣＳレベルインジケータセットを受信するよう構成され、このとき、ＭＣＳレベルインジケータセットはＭＣＳレベルインジケータ値を含み、該ＭＣＳレベルインジケータ値は変調及び符号化ポリシーを指示するために使用される。
【００６２】
プロセッサは更に、ＭＣＳレベルインジケータセットを記憶するよう構成される。
【００６３】
同じ発明概念に基づいて、端末デバイスの問題解決原理及び有利な効果については、第７の態様の方法及び方法によってもたらされる有利な効果を参照されたい。端末デバイスの実装については、第７の態様における端末デバイス側での方法の実装を参照されたい。詳細は再び記載されない。
【００６４】
第９の態様によれば、本願の実施形態は、命令を含むコンピュータ可読記憶媒体を提供する。命令がコンピュータ実行されるときに、該コンピュータは、第１の態様でネットワークデバイスによって実行される方法を実行することを可能にされる。
【００６５】
第１０の態様によれば、本願の実施形態は、命令を含むコンピュータ可読記憶媒体を提供する。命令がコンピュータ実行されるときに、該コンピュータは、第３の態様で端末デバイスによって実行される方法を実行することを可能にされる。
【００６６】
第１１の態様によれば、本願の実施形態は、命令を含むコンピュータ可読記憶媒体を提供する。命令がコンピュータ実行されるときに、該コンピュータは、第５の態様でネットワークデバイスによって実行される方法を実行することを可能にされる。
【００６７】
第１２の態様によれば、本願の実施形態は、命令を含むコンピュータ可読記憶媒体を提供する。命令がコンピュータ実行されるときに、該コンピュータは、第７の態様で端末デバイスによって実行される方法を実行することを可能にされる。
【００６８】
本願の実施形態では、ネットワークデバイスは、端末デバイスのために、各端末デバイスに専用のチャネル品質インジケータセットを構成し、このとき、チャネル品質インジケータセットはチャネル品質インジケータ値を含み、チャネル品質インジケータ値はチャネル品質を指示するために使用され、チャネル品質インジケータ値は端末デバイスのチャネル品質に対して設定される。従って、チャネル品質をフィードバックするときに、端末デバイスは、チャネル品質をネットワークデバイスへ正確にフィードバックすることができ、それによって、チャネル品質フィードバックの正確さは改善される。
【００６９】
第１３の態様によれば、本願の実施形態は、チャネル品質を決定する方法を提供する。方法は、少なくとも１つのブロックエラーレートＢＬＥＲセットをサポートするシステムに適用され、少なくとも１つのＢＬＥＲセットの中の第１ＢＬＥＲセットは第１ＢＬＥＲサブセット及び第２ＢＬＥＲサブセットを含み、第１ＢＬＥＲサブセットは少なくとも１つのＢＬＥＲを含み、第２ＢＬＥＲサブセットは少なくとも１つのＢＬＥＲを含み、方法は、ネットワークデバイスが、第１ＢＬＥＲサブセット内の各ＢＬＥＲに対応し、端末デバイスによって送信されるチャネル品質パラメータを受信し、該チャネル品質パラメータは端末デバイスとネットワークデバイスとの間のチャネル品質を指示するために使用される、ことと、ネットワークデバイスが、少なくとも１つのチャネル品質パラメータ差及び第１ＢＬＥＲサブセット内の少なくとも１つのＢＬＥＲに対応するチャネル品質パラメータに基づいて、第２ＢＬＥＲサブセット内の少なくとも１つのＢＬＥＲに対応するチャネル品質パラメータを決定し、前記少なくとも１つのチャネル品質パラメータ差は、第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間の差を含む、こととを含む。
【００７０】
ネットワークデバイスは、第１ＢＬＥＲサブセット内のあるＢＬＥＲに対応し、端末デバイスによって送信されるチャネル品質パラメータを受信し、第１ＢＬＥＲサブセット内のいくつかのＢＬＥＲに対応するチャネル品質パラメータと、第２ＢＬＥＲサブセット内の各ＢＬＥＲに対応するチャネル品質パラメータと第１ＢＬＥＲサブセット内の少なくとも１つのＢＬＥＲに対応するチャネル品質パラメータとの間のパラメータ差とに基づいて、第２ＢＬＥＲサブセット内の全てのＢＬＥＲに対応するチャネル品質パラメータを決定し得る。すなわち、ネットワークデバイスは、第１ＢＬＥＲセット内の全てのＢＬＥＲに対応するチャネル品質パラメータを決定することができ、従って、端末デバイスは、第１ＢＬＥＲセット内の全てのＢＬＥＲに対応するチャネル品質パラメータを送信する必要がなく、それによって、シグナリングオーバーヘッドは低減される。
【００７１】
可能な実施において、方法は、ネットワークデバイスが、チャネル品質パラメータ要求を端末デバイスへ送信し、チャネル品質パラメータ要求は、第１ＢＬＥＲセット内の第２ＢＬＥＲサブセット内の少なくとも１つのＢＬＥＲに対応するチャネル品質パラメータと第１ＢＬＥＲセット内の第１ＢＬＥＲサブセット内の少なくとも１つのＢＬＥＲに対応するチャネル品質パラメータとの間の少なくとも１つのチャネル品質パラメータ差を要求するために使用される、ことと、ネットワークデバイスが、第１ＢＬＥＲセット内の第２ＢＬＥＲサブセット内の少なくとも１つのＢＬＥＲに対応するチャネル品質パラメータと第１ＢＬＥＲセット内の第１ＢＬＥＲサブセット内の少なくとも１つのＢＬＥＲに対応するチャネル品質パラメータとの間の少なくとも１つのチャネル品質パラメータ差を受け取ることとを更に含む。
【００７２】
ネットワークデバイスがチャネル品質パラメータ差を要求する場合に、ネットワークデバイスは、チャネル品質パラメータ要求を端末デバイスへ送信し、そして、チャネル品質パラメータ要求を使用することによって、ネットワークデバイスによって必要とされるチャネル品質パラメータ差を要求し、それにより、端末デバイスは、余分のチャネル品質パラメータ差を報告せずに済み、その結果、シグナリングオーバーヘッドは低減される。
【００７３】
可能な実施において、方法は、ネットワークデバイスが、チャネル品質パラメータ要求を端末デバイスへ送信し、チャネル品質パラメータ要求は、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差を要求するために使用される、ことと、ネットワークデバイスが、少なくとも１つのＢＬＥＲセットの夫々における第２ＢＬＥＲサブセット内の少なくとも１つのＢＬＥＲに対応するチャネル品質パラメータと、第２ＢＬＥＲサブセット内の少なくとも１つのＢＬＥＲに対応するチャネル品質パラメータとの間のチャネル品質パラメータ差を受け取ることとを更に含む。
【００７４】
ネットワークデバイスは、全てのＢＬＥＲに対応するチャネル品質パラメータを決定するために全てのチャネル品質パラメータ差を要求してよく、それによって、チャネル品質の信頼性は改善される。
【００７５】
可能な実施において、少なくとも２つのＢＬＥＲセットをサポートするシステムに方法が適用される場合に、少なくとも２つのＢＬＥＲセットのうちのいずれか２つは、異なるＣＱＩレベルに対応する。
【００７６】
ネットワークデバイスは、端末デバイスによって報告される異なるＣＱＩレベルにあるＢＬＥＲに対応するチャネル品質パラメータ間のチャネル品質パラメータ差を受け取ってよく、それによって、第２ＢＬＥＲサブセット内のあるＢＬＥＲに対応するチャネル品質パラメータを決定する正確さは、改善される。
【００７７】
可能な実施において、少なくとも２つのＢＬＥＲセットをサポートするシステムに方法が適用される場合に、少なくとも２つのＢＬＥＲセットのうちのいずれ２つは、異なる伝送モードに対応する。
【００７８】
ネットワークデバイスは、端末デバイスによって報告される異なる伝送モードでのＢＬＥＲに対応するチャネル品質パラメータ間のチャネル品質パラメータ差を受け取ってよく、それによって、第２ＢＬＥＲサブセット内のあるＢＬＥＲに対応するチャネル品質パラメータを決定する正確さは、改善される。
【００７９】
可能な実施において、伝送モードは、アンテナポート構成及び／又は多入力多出力ＭＩＭＯ前処理モードを含む。
【００８０】
ネットワークデバイスは、端末デバイスによって報告される異なるアンテナポート構成及び／又は多入力多出力ＭＩＭＯ前処理モードでのＢＬＥＲに対応するチャネル品質パラメータ間のチャネル品質パラメータ差を受け取ってよく、それによって、第２ＢＬＥＲサブセット内のあるＢＬＥＲに対応するチャネル品質パラメータを決定する正確さは、更に改善される。
【００８１】
第１４の態様によれば、チャネル品質を決定する方法が提供される。方法は、少なくとも１つのブロックエラーレートＢＬＥＲセットをサポートするシステムに適用され、少なくとも１つのＢＬＥＲセットの夫々は第１ＢＬＥＲサブセット及び第２ＢＬＥＲサブセットを含み、第１ＢＬＥＲサブセットは少なくとも１つのＢＬＥＲを含み、第２ＢＬＥＲサブセットは少なくとも１つのＢＬＥＲを含み、方法は、端末デバイスが、第１ＢＬＥＲサブセット内の各ＢＬＥＲに対応し、端末デバイスとネットワークデバイスとの間のチャネル品質を指示するために使用されるチャネル品質パラメータを決定することと、端末デバイスが、第１ＢＬＥＲサブセット内の各ＢＬＥＲに対応するチャネル品質パラメータをネットワークデバイスへ送信して、ネットワークデバイスが、少なくとも１つのチャネル品質パラメータ差及び第１ＢＬＥＲサブセット内の少なくとも１つのＢＬＥＲに対応するチャネル品質パラメータに基づいて、第２ＢＬＥＲサブセット内の少なくとも１つのＢＬＥＲに対応するチャネル品質パラメータを決定するようにすることとを含み、前記少なくとも１つのチャネル品質パラメータ差は、第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間の差を含む。
【００８２】
端末デバイスは、第１ＢＬＥＲセット内の第１ＢＬＥＲサブセット内の各ＢＬＥＲに対応するチャネル品質パラメータを送信し、第１ＢＬＥＲサブセット内のいくつかのＢＬＥＲに対応するチャネル品質パラメータと、第２ＢＬＥＲサブセット内の各ＢＬＥＲに対応するチャネル品質パラメータと第１ＢＬＥＲサブセット内の少なくとも１つのＢＬＥＲに対応するチャネル品質パラメータとの間のパラメータ差とに基づいて、第２ＢＬＥＲサブセット内の全てのＢＬＥＲに対応するチャネル品質パラメータを決定する。すなわち、ネットワークデバイスは、第１ＢＬＥＲセット内の全てのＢＬＥＲに対応するチャネル品質パラメータを決定することができ、従って、端末デバイスは、第１ＢＬＥＲセット内の全てのＢＬＥＲに対応するチャネル品質パラメータを送信する必要がなく、それによって、シグナリングオーバーヘッドは低減される。
【００８３】
いくつかの可能な実施において、方法は、端末デバイスが、ネットワークデバイスによって送信されたチャネル品質パラメータ要求を受信し、チャネル品質パラメータ要求は、第１ＢＬＥＲセット内の第２ＢＬＥＲサブセット内の少なくとも１つのＢＬＥＲに対応するチャネル品質パラメータと第１ＢＬＥＲセット内の第１ＢＬＥＲサブセット内の少なくとも１つのＢＬＥＲに対応するチャネル品質パラメータとの間の少なくとも１つのチャネル品質パラメータ差を要求するために使用される、ことと、端末デバイスが、第１ＢＬＥＲセット内の第２ＢＬＥＲサブセット内の少なくとも１つのＢＬＥＲに対応するチャネル品質パラメータと第１ＢＬＥＲセット内の第１ＢＬＥＲサブセット内の少なくとも１つのＢＬＥＲに対応するチャネル品質パラメータとの間の少なくとも１つのチャネル品質パラメータ差をチャネル品質パラメータ要求に従ってネットワークデバイスへ送信することとを更に含む。
【００８４】
端末デバイスは、ネットワークデバイスがチャネル品質パラメータ差を要求する場合にネットワークデバイスによって端末デバイスへ送信されるチャネル品質パラメータ要求を受信し、そして、ネットワークデバイスによって要求されたチャネル品質パラメータ差をフィードバックし、それにより、端末デバイスは、余分のチャネル品質パラメータ差を報告せずに済み、その結果、シグナリングオーバーヘッドは低減される。
【００８５】
いくつかの可能な実施において、方法は、端末デバイスが、ネットワークデバイスによって送信されたチャネル品質パラメータ要求を受信し、チャネル品質パラメータ要求は、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差を要求するために使用される、ことと、端末デバイスが、少なくとも１つのＢＬＥＲセットの夫々における第２ＢＬＥＲサブセット内の少なくとも１つのＢＬＥＲに対応するチャネル品質パラメータと、第２ＢＬＥＲサブセット内の少なくとも１つのＢＬＥＲに対応するチャネル品質パラメータとの間のチャネル品質パラメータ差をチャネル品質パラメータ要求に従ってネットワークデバイスへ送信することとを更に含む。
【００８６】
端末デバイスは、全てのＢＬＥＲに対応するチャネル品質パラメータを決定するために、ネットワークデバイスによって要求される全てのチャネル品質パラメータ差をネットワークデバイスへ送信してよく、それによって、チャネル品質の信頼性は改善される。
【００８７】
いくつかの可能な実施において、少なくとも２つのＢＬＥＲセットをサポートするシステムに方法が適用される場合に、方法は、少なくとも２つのＢＬＥＲセットのうちのいずれか２つが異なるＣＱＩレベルに対応することを更に含む。
【００８８】
端末デバイスは、ネットワークデバイスに対して、ネットワークデバイスによって要求される異なるＣＱＩレベルにあるＢＬＥＲに対応するチャネル品質パラメータ間のチャネル品質パラメータ差を送信してよく、それによって、第２ＢＬＥＲサブセット内のあるＢＬＥＲに対応するチャネル品質パラメータを決定する正確さは、改善される。
【００８９】
いくつかの可能な実施において、少なくとも２つのＢＬＥＲセットをサポートするシステムに方法が適用される場合に、少なくとも２つのＢＬＥＲセットのうちのいずれ２つは、異なる伝送モードに対応する。
【００９０】
端末デバイスは、ネットワークデバイスに対して、ネットワークデバイスによって要求される異なる伝送モードでのＢＬＥＲに対応するチャネル品質パラメータ間のチャネル品質パラメータ差を送信してよく、それによって、第２ＢＬＥＲサブセット内のあるＢＬＥＲに対応するチャネル品質パラメータを決定する正確さは、改善される。
【００９１】
いくつかの可能な実施において、伝送モードは、アンテナポート構成及び／又は多入力多出力ＭＩＭＯ前処理モードを含む。
【００９２】
端末デバイスは、ネットワークデバイスに対して、ネットワークデバイスによって要求される異なるアンテナポート構成及び／又は多入力多出力ＭＩＭＯ前処理モードでのＢＬＥＲに対応するチャネル品質パラメータ間のチャネル品質パラメータ差を送信してよく、それによって、第２ＢＬＥＲサブセット内のあるＢＬＥＲに対応するチャネル品質パラメータを決定する正確さは、更に改善される。
【００９３】
第１５の態様によれば、通信方法が提供され、端末デバイスによって対応表に基づき指示情報を決定することと、前記端末デバイスによって前記指示情報をネットワークデバイスへ送信することとを含み、前記指示情報は、少なくとも１つのチャネル品質インジケータＣＱＩインデックスを指示するために使用され、前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である。
【００９４】
本願のこの実施形態では、端末デバイスは、対応表に基づいて指示情報を決定し、このとき、指示情報は、少なくとも１つのチャネル品質インジケータＣＱＩインデックスを指示するために使用され、対応表は、Ｎ個のＣＱＩインデックスと、Ｍ個の変調スキームと、Ｋ個の符号レートパラメータとを含み、Ｎ個のＣＱＩインデックスのうちの少なくとも１つは、変調スキームの１タイプに対応し、Ｎ個のＣＱＩインデックスのうちのＫ個は、Ｋ個の符号レートパラメータと一対一の対応にあり、Ｎ個のＣＱＩインデックスのうちの第１ＣＱＩインデックスに対応する符号レートと第１ＣＱＩインデックスに対応する変調スキームの変調次数との積は、０よりも大きく且つ０．０７８１よりも小さい値であり、符号レートパラメータ＝符号レート×１０２４、Ｎ＞Ｍ、Ｎ≧Ｋ、且つ、Ｎ、Ｋ及びＭは全て正の整数であり、そして、端末デバイスは指示情報を送信し、それにより、ネットワークデバイスは、指示情報に従って、少なくとも１つのＣＱＩインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【００９５】
可能な実施において、前記Ｋ個の符号レートパラメータは、０より大きく４０よりも小さい値を含む。
【００９６】
可能な実施において、前記対応表内の前記Ｎ個のＣＱＩインデックスは、昇順に配置され、前記Ｎ個のＣＱＩインデックスのうちの最初のＰ個のＣＱＩインデックスの全部に対応する変調スキームの変調次数と前記最初のＰ個のＣＱＩインデックスの全部に対応する符号レートとの積は、昇順に配置され、（Ｐ＋ｈ）番目のＣＱＩインデックスに対応する変調スキームの変調次数と前記（Ｐ＋ｈ）番目のＣＱＩインデックスに対応する符号レートとの積は、Ｐ番目のＣＱＩインデックスに対応する変調スキームの変調次数と前記Ｐ番目のＣＱＩインデックスに対応する符号レートとの積よりも小さく、このとき、Ｎ＞Ｐ＋ｈ、ｈは１からＮ−Ｘの範囲の値であり、Ｘ＞Ｐである。
【００９７】
ＣＱＩインデックスに対応する０．０７８１に満たないスペクトル効率値は、最大スペクトル効率値の後ろに配置されてよく、それにより、端末デバイスは、必要に応じて、チャネル品質指示情報に含まれるビットの数量を決定することができる。
【００９８】
第１６の態様によれば、通信方法が提供され、ネットワークデバイスが、少なくとも１つのチャネル品質インジケータＣＱＩインデックスを指示するために使用される指示情報を受信することと、前記ネットワークデバイスが、対応表に基づき、前記少なくとも１つのＣＱＩインデックスに対応する変調及び符号化スキームを決定することとを含み、前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートパラメータと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である。
【００９９】
本願のこの実施形態では、ネットワークデバイスは、指示情報を受信し、対応表に基づいて、少なくとも１つのＣＱＩインデックスに対応する変調スキームを決定し、このとき、対応表は、Ｎ個のＣＱＩインデックスと、Ｍ個の変調スキームと、Ｋ個の符号レートパラメータとを含み、Ｎ個のＣＱＩインデックスのうちの第１ＣＱＩインデックスに対応する符号レートと第１ＣＱＩインデックスに対応する変調スキームの変調次数との積は、０よりも大きく且つ０．０７８１よりも小さい値であり、符号レートパラメータ＝符号レート×１０２４、Ｎ＞Ｍ、Ｎ≧Ｋ、且つ、Ｎ、Ｋ及びＭは全て正の整数であり、そして、ネットワークデバイスは指示情報を送信し、それにより、ネットワークデバイスは、指示情報に従って、少なくとも１つのＣＱＩインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【０１００】
可能な実施において、前記Ｋ個の符号レートパラメータは、０より大きく４０よりも小さい値を含む。
【０１０１】
可能な実施において、前記対応表内の前記Ｎ個のＣＱＩインデックスは、昇順に配置され、前記Ｎ個のＣＱＩインデックスのうちの最初のＰ個のＣＱＩインデックスの全部に対応する変調スキームの変調次数と前記最初のＰ個のＣＱＩインデックスの全部に対応する符号レートパラメータとの積は、昇順に配置され、（Ｐ＋ｈ）番目のＣＱＩインデックスに対応する変調スキームの変調次数と前記（Ｐ＋ｈ）番目のＣＱＩインデックスに対応する符号レートパラメータとの積は、Ｐ番目のＣＱＩインデックスに対応する変調スキームの変調次数と前記Ｐ番目のＣＱＩインデックスに対応する符号レートパラメータとの積よりも小さく、このとき、Ｎ＞Ｐ＋ｈ、ｈは１からＮ−Ｘの範囲の値であり、Ｘ＞Ｐである。
【０１０２】
ＣＱＩインデックスに対応する０．０７８１に満たないスペクトル効率値は、最大スペクトル効率値の後ろに配置されてよく、それにより、端末デバイスは、必要に応じて、チャネル品質指示情報に含まれるビットの数量を決定することができる。
【０１０３】
第１７の態様によれば、通信方法が提供され、当該通信方法は、ネットワークデバイスが対応表に基づき指示情報を決定することと、前記ネットワークデバイスが前記指示情報を送信することとを含み、前記指示情報は、少なくとも１つの変調及び符号化スキームＭＣＳインデックスを指示するために使用され、前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＭＣＳインデックスに対応する符号レートと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である。
【０１０４】
本願のこの実施形態では、ネットワークデバイスは、対応表に基づいて指示情報を決定し、このとき、指示情報は、少なくとも１つのチャネル品質インジケータＭＣＳインデックスを指示するために使用され、対応表は、Ｎ個のＭＣＳインデックスと、Ｍ個の変調スキームと、Ｋ個の符号レートパラメータとを含み、Ｎ個のＭＣＳインデックスのうちの少なくとも１つは、変調スキームの１タイプに対応し、Ｎ個のＭＣＳインデックスのうちのＫ個は、Ｋ個の符号レートパラメータと一対一の対応にあり、Ｎ個のＭＣＳインデックスのうちの第１ＭＣＳインデックスに対応する符号レートと第１ＭＣＳインデックスに対応する変調スキームの変調次数との積は、０よりも大きく且つ０．０７８１よりも小さい値であり、符号レートパラメータ＝符号レート×１０２４、Ｎ＞Ｍ、Ｎ≧Ｋ、且つ、Ｎ、Ｋ及びＭは全て正の整数であり、そして、ネットワークデバイスは指示情報を送信し、それにより、端末デバイスは、指示情報に従って、少なくとも１つのＭＣＳインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【０１０５】
可能な実施において、前記Ｋ個の符号レートは、０より大きく４０よりも小さい値を含み、Ｎ≧Ｋ、且つＫは正の整数である。
【０１０６】
可能な実施において、前記対応表内の前記Ｎ個のＭＣＳインデックスは、昇順に配置され、前記Ｎ個のＭＣＳインデックスのうちの最初のＰ個のＭＣＳインデックスの全部に対応する変調スキームの変調次数と前記最初のＰ個のＭＣＳインデックスの全部に対応する符号レートパラメータとの積は、昇順に配置され、（Ｐ＋ｈ）番目のＭＣＳインデックスに対応する変調スキームの変調次数と前記（Ｐ＋ｈ）番目のＭＣＳインデックスに対応する符号レートパラメータとの積は、Ｐ番目のＭＣＳインデックスに対応する変調スキームの変調次数と前記Ｐ番目のＭＣＳインデックスに対応する符号レートパラメータとの積よりも小さく、このとき、Ｎ＞Ｐ＋ｈ、ｈは１からＮ−Ｘの範囲の値であり、Ｘ＞Ｐである。
【０１０７】
第１８の態様によれば、通信方法が提供され、当該通信方法は、端末デバイスが、少なくとも１つの変調及び符号化スキームＭＣＳインデックスを指示するために使用される指示情報を受信することと、前記端末デバイスが、対応表に基づき、前記少なくとも１つのＭＣＳインデックスに対応する変調及び符号化スキームを決定することとを含み、前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＣＱＩインデックスに対応する符号レートパラメータと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である。
【０１０８】
可能な実施において、前記Ｋ個の符号レートパラメータは、０より大きく４０よりも小さい値を含む。
【０１０９】
可能な実施において、前記対応表内の前記Ｎ個のＭＣＳインデックスは、昇順に配置され、前記Ｎ個のＭＣＳインデックスのうちの最初のＰ個のＭＣＳインデックスの全部に対応する変調スキームの変調次数と前記最初のＰ個のＭＣＳインデックスの全部に対応する符号レートパラメータとの積は、昇順に配置され、（Ｐ＋ｈ）番目のＭＣＳインデックスに対応する変調スキームの変調次数と前記（Ｐ＋ｈ）番目のＭＣＳインデックスに対応する符号レートパラメータとの積は、Ｐ番目のＭＣＳインデックスに対応する変調スキームの変調次数と前記Ｐ番目のＭＣＳインデックスに対応する符号レートパラメータとの積よりも小さく、このとき、Ｎ＞Ｐ＋ｈ、ｈは１からＮ−Ｘの範囲の値であり、Ｘ＞Ｐである。
【０１１０】
第１９の態様によれば、プロセッサ、メモリ、及び通信インターフェイスを含むネットワークデバイスが提供される。前記プロセッサは前記メモリ及び前記通信インターフェイスへ接続される。前記メモリは命令を記憶するよう構成され、前記プロセッサは前記命令を実行するよう構成され、前記通信インターフェイスは、前記プロセッサの制御下で他のネットワーク要素と通信するよう構成される。前記プロセッサが前記メモリに記憶された前記命令を実行するとき、前記プロセッサは、第１３の態様の方法又は第１３の態様のいずれかの可能な実施を実行することを可能にされる。
【０１１１】
第２０の態様によれば、プロセッサ、メモリ、及び通信インターフェイスを含むネットワークデバイスが提供される。前記プロセッサは前記メモリ及び前記通信インターフェイスへ接続される。前記メモリは命令を記憶するよう構成され、前記プロセッサは前記命令を実行するよう構成され、前記通信インターフェイスは、前記プロセッサの制御下で他のネットワーク要素と通信するよう構成される。前記プロセッサが前記メモリに記憶された前記命令を実行するとき、前記プロセッサは、第１４の態様の方法又は第１４の態様のいずれかの可能な実施を実行することを可能にされる。
【０１１２】
第２１の態様によれば、コンピュータ記憶媒体が提供され、当該コンピュータ記憶媒体はプログラムコードを記憶し、該プログラムコードは、第１３の態様の方法又は第１３の態様のいずれかの可能な実施を実行するために使用される命令を示すために使用される。
【０１１３】
第２２の態様によれば、コンピュータ記憶媒体が提供され、当該コンピュータ記憶媒体はプログラムコードを記憶し、該プログラムコードは、第１４の態様の方法又は第１４の態様のいずれかの可能な実施を実行するために使用される命令を示すために使用される。
【０１１４】
第２３の態様によれば、ネットワークデバイスが提供され、当該ネットワークデバイスは、第１３の態様の方法又は第１３の態様のいずれかの可能な実施を実行するよう構成されたモジュールを含む。
【０１１５】
第２４の態様によれば、端末デバイスが提供され、当該端末デバイスは、第１４の態様の方法又は第１４の態様のいずれかの可能な実施を実行するよう構成されたモジュールを含む。
【０１１６】
第２５の態様によれば、システムが提供され、当該システムは、第２３の態様のネットワークデバイス及び第２４の態様の端末デバイスを含む。
【０１１７】
第２６の態様によれば、端末デバイスが提供され、プロセッサ、メモリ、及び通信インターフェイスを含む。前記プロセッサは前記メモリ及び前記通信インターフェイスへ接続される。前記メモリは命令を記憶するよう構成され、前記プロセッサは前記命令を実行するよう構成され、前記通信インターフェイスは、前記プロセッサの制御下で他のネットワーク要素と通信するよう構成される。前記プロセッサが前記メモリに記憶された前記命令を実行するとき、前記プロセッサは、第１５の態様の方法又は第１５の態様のいずれかの可能な実施を実行することを可能にされる。
【０１１８】
第２７の態様によれば、ネットワークデバイスが提供され、プロセッサ、メモリ、及び通信インターフェイスを含む。前記プロセッサは前記メモリ及び前記通信インターフェイスへ接続される。前記メモリは命令を記憶するよう構成され、前記プロセッサは前記命令を実行するよう構成され、前記通信インターフェイスは、前記プロセッサの制御下で他のネットワーク要素と通信するよう構成される。前記プロセッサが前記メモリに記憶された前記命令を実行するとき、前記プロセッサは、第１６の態様の方法又は第１６の態様のいずれかの可能な実施を実行することを可能にされる。
【０１１９】
第２８の態様によれば、コンピュータ記憶媒体が提供され、当該コンピュータ記憶媒体はプログラムコードを記憶し、該プログラムコードは、第１５の態様の方法又は第１５の態様のいずれかの可能な実施を実行するために使用される命令を示すために使用される。
【０１２０】
第２９の態様によれば、コンピュータ記憶媒体が提供され、当該コンピュータ記憶媒体はプログラムコードを記憶し、該プログラムコードは、第１６の態様の方法又は第１６の態様のいずれかの可能な実施を実行するために使用される命令を示すために使用される。
【０１２１】
第３０の態様によれば、端末デバイスが提供され、当該端末デバイスは、第１５の態様の方法又は第１５の態様のいずれかの可能な実施を実行するよう構成されたモジュールを含む。
【０１２２】
第３１の態様によれば、ネットワークデバイスが提供され、当該ネットワークデバイスは、第１６の態様の方法又は第１６の態様のいずれかの可能な実施を実行するよう構成されたモジュールを含む。
【０１２３】
第３２の態様によれば、システムが提供され、当該システムは、第３０の態様の端末デバイス及び第３１の態様のネットワークデバイスを含む。
【０１２４】
第３３の態様によれば、ネットワークデバイスが提供され、プロセッサ、メモリ、及び通信インターフェイスを含む。前記プロセッサは前記メモリ及び前記通信インターフェイスへ接続される。前記メモリは命令を記憶するよう構成され、前記プロセッサは前記命令を実行するよう構成され、前記通信インターフェイスは、前記プロセッサの制御下で他のネットワーク要素と通信するよう構成される。前記プロセッサが前記メモリに記憶された前記命令を実行するとき、前記プロセッサは、第１７の態様の方法又は第１７の態様のいずれかの可能な実施を実行することを可能にされる。
【０１２５】
第３４の態様によれば、端末デバイスが提供され、プロセッサ、メモリ、及び通信インターフェイスを含む。前記プロセッサは前記メモリ及び前記通信インターフェイスへ接続される。前記メモリは命令を記憶するよう構成され、前記プロセッサは前記命令を実行するよう構成され、前記通信インターフェイスは、前記プロセッサの制御下で他のネットワーク要素と通信するよう構成される。前記プロセッサが前記メモリに記憶された前記命令を実行するとき、前記プロセッサは、第１８の態様の方法又は第１８の態様のいずれかの可能な実施を実行することを可能にされる。
【０１２６】
第３５の態様によれば、コンピュータ記憶媒体が提供され、当該コンピュータ記憶媒体はプログラムコードを記憶し、該プログラムコードは、第１７の態様の方法又は第１７の態様のいずれかの可能な実施を実行するために使用される命令を示すために使用される。
【０１２７】
第３６の態様によれば、コンピュータ記憶媒体が提供され、当該コンピュータ記憶媒体はプログラムコードを記憶し、該プログラムコードは、第１８の態様の方法又は第１８の態様のいずれかの可能な実施を実行するために使用される命令を示すために使用される。
【０１２８】
第３７の態様によれば、ネットワークデバイスが提供され、当該ネットワークデバイスは、第１７の態様の方法又は第１７の態様のいずれかの可能な実施を実行するよう構成されたモジュールを含む。
【０１２９】
第３８の態様によれば、端末デバイスが提供され、当該端末デバイスは、第１８の態様の方法又は第１８の態様のいずれかの可能な実施を実行するよう構成されたモジュールを含む。
【０１３０】
第３９の態様によれば、システムが提供され、当該システムは、第３７の態様のネットワークデバイス及び第３８の態様の端末デバイスを含む。
【０１３１】
上記の解決法によれば、本願の実施形態では、ネットワークデバイスは、第１ＢＬＥＲセットにおける第１ＢＬＥＲサブセット内のＢＬＥＲに対応し、端末デバイスによって送信されるチャネル品質パラメータを受信し、第１ＢＬＥＲサブセット内のいくつかのＢＬＥＲに対応するチャネル品質パラメータ、及び第２ＢＬＥＲサブセット内の各ＢＬＥＲに対応するチャネル品質パラメータと第１ＢＬＥＲサブセット内の少なくとも１つのＢＬＥＲに対応するチャネル品質パラメータとの間のチャネル品質パラメータ差に基づいて、第２ＢＬＥＲサブセット内の全ＢＬＥＲに対応するチャネル品質パラメータを決定してよい。すなわち、ネットワークデバイスは、第１ＢＬＥＲセット内の全ＢＬＥＲに対応するチャネル品質パラメータを決定することができ、従って、端末デバイスは、第１ＢＬＥＲセット内の全ＢＬＥＲに対応するチャネル品質パラメータを送信し、それによって、シグナリングオーバーヘッドが低減される。
【図面の簡単な説明】
【０１３２】
【図１】本願の実施形態に従う適用シナリオの概略図である。
【図２】先行技術におけるＣＱＩ絶対インジケータ値の値表である。
【図３】先行技術におけるＣＱＩ差分インジケータ値の値表である。
【図４】本願の実施形態に従うチャネル品質フィードバック方法の相互作用フローチャートである。
【図５】本願の実施形態に従うＳＩＮＲ変動の概略図である。
【図６】本願の実施形態に従う時間相関のシミュレーション図である。
【図７】本願の実施形態に従う基準時の概略図である。
【図８】本願の実施形態に従う基準時の他の概略図である。
【図９】本願の実施形態に従うＣＱＩテーブルの概略図である。
【図１０】本願の実施形態に従う変調及び符号化ポリシー指示方法の相互作用図である。
【図１１Ａ】本願の実施形態に従うＭＣＳテーブルの概略図である。
【図１１Ｂ】本願の実施形態に従うＭＣＳテーブルの概略図である。
【図１２】本願の実施形態に従うネットワークデバイスの論理構造の概略図である。
【図１３】本願の実施形態に従うネットワークデバイスの物理構造の概略図である。
【図１４】本願の実施形態に従う端末デバイスの論理構造の概略図である。
【図１５】本願の実施形態に従う端末デバイスの物理構造の概略図である。
【図１６】本願の実施形態に従うネットワークデバイスの論理構造の概略図である。
【図１７】本願の実施形態に従うネットワークデバイスの物理構造の概略図である。
【図１８】本願の実施形態に従う端末デバイスの論理構造の概略図である。
【図１９】本願の実施形態に従う端末デバイスの物理構造の概略図である。
【図２０】本願の実施形態に従う通信方法の略フローチャートである。
【図２１】異なる端末デバイスのチャネル品質パラメータ差の略フローチャートである。
【図２２】本願の実施形態に従う通信方法の略フローチャートである。
【図２３】本願の実施形態に従う通信方法の略フローチャートである。
【図２４】本願の実施形態に従うネットワークデバイスの略ブロック図である。
【図２５】本願の実施形態に従うネットワークデバイスの略構造図である。
【図２６】本願の実施形態に従う端末デバイスの略ブロック図である。
【図２７】本願の実施形態に従う端末デバイスの略構造図である。
【図２８】本願の実施形態に従うシステムの略ブロック図である。
【図２９】本願の実施形態に従う端末デバイスの略構造図である。
【図３０】本願の実施形態に従う端末デバイスの略構造図である。
【図３１】本願の実施形態に従うネットワークデバイスの略ブロック図である。
【図３２】本願の実施形態に従うネットワークデバイスの略構造図である。
【図３３】本願の実施形態に従うシステムの略ブロック図である。
【発明を実施するための形態】
【０１３３】
以下は、添付の図面を参照して本願の技術的解決法について記載する。
【０１３４】
以下は、本願の実施形態の添付の図面を参照して、本願の実施形態について記載する。
【０１３５】
本願の実施形態における前もってセットされたセットは、ネットワークデバイス及び端末デバイスで前もってセットされたセットであってよい。
【０１３６】
本願の実施形態は、無線通信システムに適用されてよい。無線通信システムは、通常はセルを含み、各セルは１つの基地局（Base  Station，ＢＳ）を含む。図１に示されるように、基地局は、複数の端末デバイスのための通信サービスを提供し、基地局は、コアネットワークデバイスへ接続されている。基地局はベースバンド・ユニット（Baseband  Unit，ＢＢＵ）及び遠隔無線ユニット（Remote  Radio  Unit，ＲＲＵ）を含む。ＢＢＵ及びＲＲＵは異なる場所に置かれてよい。例えば、ＲＲＵは、遠隔に配置され、トラフィック量が多いエリアから遠く離れた開放エリアに位置し、ＢＢＵは、中央設備室に位置する。代替的に、ＢＢＵ及びＲＲＵは、同じ設備室に置かれてもよい。ＢＢＵ及びＲＲＵは、同じラック内の異なるコンポーネントであってよい。
【０１３７】
本願の実施形態における無線通信システムは、狭帯域インターネット・オブ・シングス（Narrow  Band-Internet  of  Things，ＮＢ−ＩｏＴ）システム、グローバル・システム・フォー・モバイル・コミュニケーションズ（Global  System  for  Mobile  Communications，ＧＳＭ）、エンハンスド・データ・レート・フォーＧＳＭエボリューション（Enhanced  Data  rate  for  GSM  Evolution，ＥＤＧＥ）システム、広帯域符号分割多重アクセス（Wideband  Code  Division  Multiple  Access，ＷＣＤＭＡ）システム、符号分割多重アクセス２０００（Code  Division  Multiple  Access，ＣＤＭＡ２０００）システム、時分割同期符号分割多重アクセス（Time  Division-Synchronization  Code  Division  Multiple  Access，ＴＤ−ＳＣＤＭＡ）システム、ロング・ターム・エボリューション（Long  Term  Evolution  ＬＴＥ）システム、５Ｇシステム、及び将来のモバイル通信システムを含むが限られない点が留意されるべきである。
【０１３８】
本願の実施形態における基地局は、無線アクセスネットワーク内に配置され、端末デバイスのための無線通信機能を提供するよう構成される装置である。基地局は、様々な形でマクロ基地局、ミクロ基地局（スモールセルとも呼ばれる。）、中継局、アクセス・ポイント、送信受信点（Transmission  Receiver  point，ＴＲＰ）、等を含み得る。異なる無線アクセス技術を使用するシステムでは、基地局機能を備えるデバイスの名称は異なることがある。例えば、ＬＴＥシステムでは、デバイスは進化型ノードＢ（evolved  NodeB，eNB又はeNodeB）と呼ばれ、第３世代（3rd  Generation，３Ｇ）システムでは、デバイスはノードＢ（NodeB，ＮＢ）と呼ばれる。記載の簡単のために、本願の全ての実施形態で、端末デバイスのための無線通信機能を提供する上記の全ての装置は、ネットワークデバイスと総称される。
【０１３９】
本願の実施形態における端末デバイスは、様々な手持ち式デバイス、車載デバイス、装着式デバイス、又は無線通信機能を備えるコンピュータデバイス、あるいは、無線モデムへ接続された他の処理デバイスを含み得る。端末デバイスは、移動局（Mobile  Station，ＭＳ）、端末（Terminal）とも呼ばれることがあり、あるいは、加入者ユニット（subscriber  unit）、セルラーフォン（cellular  phone）、スマートフォン（smartphone）、無線データカード、パーソナル・デジタル・アシスタント（Personal  Digital  Assistant，ＰＤＡ）コンピュータ、タブレットコンピュータ、無線モデム（modem）、ハンドセット（handset）、ラップトップコンピュータ（laptop  computer）、マシン型通信（Machine  Type  Communication，ＭＴＣ）端末、等を含み得る。記載の簡単のために、上記のデバイスは、本願の全ての実施形態で端末デバイスと総称される。
【０１４０】
例えば、５Ｇ通信システムは、複数のサービスタイプ、異なる配置シナリオ、及びより広いスペクトル範囲をサポートする。複数のサービスタイプは、増強されたモバイルブロードバンド（enhanced  Mobile  Broadband，ｅＭＢＢ）、大規模マシンタイプ通信（Massive  Machine  Type  Communication，ｍＭＴＣ）、超高信頼且つ低遅延通信（Ultra-reliable  and  low  latency  communications，ＵＲＬＬＣ）、マルチメディア・ブロードキャスト・マルチキャスト・サービス（Multimedia  Broadcast  Multicast  Service，ＭＢＭＳ）、ポジショニングサービス、等を含むが限られない。異なる配置シナリオは、屋内ホットスポット（Indoor  hotspot）シナリオ、密集した都市（dense  urban）シナリオ、地方シナリオ、都市マクロ（Urban  Macro）シナリオ、高速鉄道シナリオ、等を含むが限られない。より広いスペクトル範囲は、５Ｇが最大１００ＧＨｚまでのスペクトル範囲をサポートすることを示し、スペクトル範囲は、６ＧＨｚに満たない低周波部分と、６ＧＨｚから１００ＧＨｚの範囲に及ぶ高周波部分とを含む。
【０１４１】
４Ｇ通信システムと比較して、５Ｇ通信システムの１つの特徴は、ＵＲＬＬＣサービスがサポートされることである。複数のＵＲＬＬＣサービスタイプがあり、典型的な例には、産業制御、工業的製造プロセス自動化、人とコンピュータとの対話、遠隔医療、等がある。５Ｇシステムを設計するためのリファレンス入力及び評価基準を提供するようにＵＲＬＬＣサービスの性能インジケータをより良く量子化するために、３ＧＰＰ  ＲＡＮ及びＲＡＮ１作業部会は、ＵＲＬＬＣサービスの次の性能インジケータを定義する。
【０１４２】
レイテンシは、ユーザアプリケーションレイヤパケットのサービス・データ・ユニット（Service  Data  Unit，ＳＤＵ）が送信端の無線プロトコルスタックレイヤ２／３から受信端の無線プロトコルスタックレイヤ２／３へ送信されるときに必要とされる伝送時間である。ＵＲＬＬＣサービスのアップリンクユーザプレーンレイテンシ要件及びダウンリンクユーザプレーンレイテンシ要件は両方とも０．５ｍｓであり、上記の要件は、基地局も端末も不連続受信状態にないときにのみ適用可能である。ここで、０．５ｍｓのレイテンシ性能要件は、データパケットの平均レイテンシを意味することが留意されるべきである。
【０１４３】
信頼性は、所与のチャネル品質条件で特定の時間（Ｌ秒）に送信端から受信端へＸビットが正確に送信される成功確率である。上記の時間はまた、ユーザアプリケーションレイヤパケットのサービス・データ・ユニット（Service  Data  Unit，ＳＤＵ）が送信端の無線プロトコルスタックレイヤ２／３から受信端の無線プロトコルスタックレイヤ２／３へ送信されるときに必要とされる時間としても定義される。ＵＲＬＬＣサービスについて、典型的な要件は、１ｍｓで９９．９９９％の信頼性を達成することである。上記の性能インジケータは、単に、典型的な値であることが留意されるべきである。具体的に、ＵＲＬＬＣサービスは異なる信頼性要件を有してもよい。例えば、いくつかの極度に細かい産業制御要件は、０．２５ｍｓのエンド間レイテンシと、９９．９９９９９９９％の伝送成功確率とを必要とする。
【０１４４】
システム容量は、特定の割合のユーザ割り込みが満足されるときのシステムの最大セルスループットである。ここで、ユーザ割り込みは、システムが特定のレイテンシ範囲でＵＲＬＬＣサービスの信頼性要件を満足することができないことを意味する。
【０１４５】
上記の説明から、厳しい信頼性要件が過酷な伝送レイテンシ条件で満足される必要があり、夫々の伝送、特に再送は可能な限り正確である必要があることが分かる。しかし、変調及び符号化レベルを確実に削減しても、低いシステム伝送効率をもたらすだけである。従って、チャネル品質情報フィードバックが強化される必要があり、それにより、伝送信頼性が確保され得るだけでなく、過度に低い伝送効率でのスケジューリングも回避され得る。
【０１４６】
例えば、ＣＱＩフィードバック技術は、典型的なチャネル品質フィードバック技術である。ロング・ターム・エボリューション（Long  Term  Evolution，ＬＴＥ）システムでは、ＣＱＩフィードバック技術は、絶対インジケータ値フィードバック及び差分インジケータ値フィードバックを含む。ＣＱＩ絶対インジケータ値は、図２で表において示される。図示されるように、各ＣＱＩインデックスは、特定のチャネル条件での変調及び符号レートに対応する。表中のＣＱＩ絶対インジケータ値は、チャネル品質インジケータＣＱＩセットを形成する。
【０１４７】
ＣＱＩ絶対インジケータ値フィードバックでは、測定を通じて現在のチャネル品質を取得した後に、端末デバイスは、１タイプのフィードバック情報をフィードバックし、フィードバック情報は、現在のチャネル品質に対応するＣＱＩインデックスに対応する。すなわち、フィードバック情報の１タイプは、ＣＱＩインデックスの１タイプに対応する。例えば、１６のタイプのＣＱＩインデックスが含まれる場合には、４ビットのフィードバック情報がフィードバックのために使用される必要がある。通常は、２、３タイプのＣＱＩインデックスが、フィードバックオーバーヘッドを減らすために設定される。
例えば、ほんの１６タイプのＣＱＩインデックスが設定される。この指示は比較的に粗く、精度は高くない。
【０１４８】
更に、絶対インジケータ値フィードバックが使用される場合に、比較的に大きいオーバーヘッドが引き起こされる。業界内で、ＣＱＩは、差分インジケータ値フィードバックを使用することによって漸進的にフィードバックされる。差分インジケータ値フィードバックでは、ＣＱＩ参照インデックス値が最初に決定され、オフセットが、夫々の残りのＣＱＩインデックスについて、参照インデックス値を基準として使用することによって計算される。従って、端末デバイスは、オフセットに対応するフィードバック情報をフィードバックしさえすればよい。フィードバック情報のオーバーヘッドを減らすために、いくつかの任意のオフセットが、チャネル品質インジケータＣＱＩセットを形成するために決定され、フィードバック情報の１タイプは１つのオフセットに対応する。例えば、チャネル品質インジケータＣＱＩセットは｛−１，０，１，２｝である。端末デバイスは、２ビットのフィードバック情報を使用することによって、４つのオフセットをフィードバックし得る。現在、チャネル品質インジケータＣＱＩセット、例えば、図３で表において示されるチャネル品質インジケータＣＱＩセットが、業界において全ての場合に対して指定されている。参照インデックス値は異なるフィードバックシナリオでは異なり、オフセットの定義も異なる。例えば、符号語０の広帯域ＣＱＩインデックスと符号語１の広帯域ＣＱＩインデックスとの間のオフセットは、符号語１の広帯域ＣＱＩインデックスを参照インデックス値として使用することによって計算される。例えば、サブバンドＣＱＩインデックスと広帯域ＣＱＩインデックスとの間のオフセットは、広帯域ＣＱＩインデックスを参照インデックス値として使用することによって計算される。例えば、最良の信号品質を有している選択されたＭ個のサブバンドの夫々のＣＱＩインデックスと広帯域ＣＱＩインデックスとの間のオフセットは、広帯域ＣＱＩインデックスを参照インデックス値として使用することによって計算される。
【０１４９】
具体的なフィードバックシナリオでは、全ての端末デバイスが同じチャネル品質インジケータセットを使用し、その結果、チャネル品質指示は不正確なものとなる。例えば、図３のチャネル品質インジケータセットについて、オフセットが２であるとき、端末デバイスによってフィードバックされるフィードバック情報は１０であり、オフセットが５であるとき、端末デバイスによってフィードバックされるフィードバック情報はやはり１０である。従って、端末デバイスは、チャネルの現在のチャネル品質を正確に示すことができない。
【０１５０】
絶対インジケータ値フィードバック又は差分インジケータ値フィードバックにかかわらず、全ての端末デバイスがフィードバックを提供するために同じセットを使用するので、フィードバックは正確でない。上記の問題を解決するために、本願の実施形態では、チャネル品質インジケータセットが端末デバイスごとに独立して構成される。チャネル品質インジケータセットに含まれるチャネル品質インジケータ値は、絶対インジケータ値又は差分インジケータ値であってよいことが留意されるべきである。
【０１５１】
端末デバイスのために構成されたチャネル品質インジケータセットに含まれるチャネル品質インジケータ値の数量は、本願の実施形態で制限されず、１以上のチャネル品質インジケータ値があってよいことが留意されるべきである。チャネル品質インジケータ値は、チャネル品質を指示するために使用される。
【０１５２】
例えば、チャネル品質インジケータセットは、チャネル品質絶対インジケータ値（例えば、ＣＱＩインデックス）を含む。ネットワークデバイスは、端末デバイスごとに１つのチャネル品質インジケータセットを構成する。チャネル品質インジケータセットは、プロトコルで指定される前もってセットされたセット又は前もってセットされたセットのサブセットであってよく、プロトコルで指定される前もってセットされたセットは、比較的に多い絶対インジケータ値を含み、分割粒度は比較的に細かく、夫々の絶対インジケータ値は、特定のチャネル条件での１つの変調及び符号化ポリシーに対応する。各端末デバイスのチャネル品質変化が様々である場合に、構成されるチャネル品質インジケータセットも様々であり、すなわち、前もってセットされたセットから選択されたサブセットは変化する。代替的に、端末デバイスごとにネットワークデバイスによって構成されるチャネル品質インジケータセットは、プロトコルで指定される複数の前もってセットされたセットの中の少なくとも１つであってよい。例えば、ネットワークデバイスは、１の端末デバイスに対して複数のチャネル品質インジケータセットを有し、１のチャネル品質インジケータセットは、１のサービスタイプに対応する。異なるサービスタイプをフィードバックするときに、端末デバイスは、異なるチャネル品質インジケータセットを使用することによってフィードバックを供給する。任意に、複数の前もってセットされたセットの中の少なくとも２つは、異なる数量の絶対インジケータ値を含む。
【０１５３】
他の例として、チャネル品質インジケータセットは、差分インジケータ値（例えば、ＣＱＩインデックスのオフセット）を含む。ネットワークデバイスは、端末デバイスごとに１つのチャネル品質インジケータセットを構成し、このとき、チャネル品質インジケータセットは、その端末デバイスのチャネル品質変化に適応する。例えば、端末デバイスが中心ユーザである場合に、それは、その端末デバイスのチャネル品質が比較的に良く示し、ＳＩＮＲ変動が比較的に小さく、チャネル品質インジケータセットにおける差分インジケータ値の変動が比較的に小さいことを示す。端末デバイスがエッジユーザである場合に、それは、その端末デバイスのチャネル品質が比較的に悪く、ＳＩＮＲ変動が比較的に大きく、チャネル品質インジケータセットにおける差分インジケータ値の変動が比較的に大きいことを示す。夫々の端末デバイスは、フィードバック情報を使用することによって端末デバイスのチャネル品質を正確に示すことができる。
【０１５４】
端末デバイスのために特に構成されたチャネル品質インジケータセットが使用され、それにより、端末デバイスは、現在のチャネル品質を正確にフィードバックすることができる。
【０１５５】
本願の実施形態で提供されるチャネル品質フィードバック方法が、以下で詳細に記載される。
【０１５６】
図４は、本願の実施形態に従うチャネル品質フィードバック方法の略フローチャートである。方法は、ネットワークデバイスと端末デバイスとの間の相互作用の視点から記載され、方法は、次のステップを含むが限られない。
【０１５７】
ステップＳ１０：ネットワークデバイスは、端末デバイスのチャネル品質インジケータセットを決定し、このとき、チャネル品質インジケータセットはチャネル品質インジケータ値を含み、チャネル品質インジケータ値はチャネル品質を指示するために使用される。
【０１５８】
ステップＳ１１：ネットワークデバイスは、チャネル品質インジケータセットを端末デバイスへ送信する。
【０１５９】
ステップＳ１２：端末デバイスは、端末デバイスに対してネットワークデバイスによって決定されたチャネル品質インジケータセットを取得し、このとき、チャネル品質インジケータセットはチャネル品質インジケータ値を含み、チャネル品質インジケータ値はチャネル品質を指示するために使用される。
【０１６０】
ステップＳ１３：端末デバイスは、フィードバック情報をネットワークデバイスへ送信し、このとき、フィードバック情報は目標チャネル品質インジケータ値を指示するために使用され、目標チャネル品質インジケータ値はチャネル品質インジケータセット内のチャネル品質インジケータ値であり、目標チャネル品質インジケータ値はチャネルの現在のチャネル品質を決定するために使用される。
【０１６１】
ステップＳ１４：ネットワークデバイスは、フィードバック情報を受信してチャネル品質を決定する。
【０１６２】
本願のこの実施形態では、ネットワークデバイスは、端末デバイスのためにチャネル品質インジケータセットを独立して決定し、決定されたチャネル品質インジケータセットを端末デバイスへ送信する。端末デバイスは、その後に、チャネル品質インジケータセットに基づきチャネル品質をネットワークデバイスへフィードバックする。任意に、ネットワークデバイスが端末デバイスのためにチャネル品質インジケータセットを独立して決定することは、ネットワークデバイスが端末デバイスのためのチャネル品質インジケータセットを構成することであってよい。
【０１６３】
任意に、チャネル品質インジケータセットは、少なくとも１つのチャネル品質インジケータ値を含み、チャネル品質インジケータ値は、チャネル品質を指示するために使用される。チャネル品質インジケータ値は、チャネル品質差分インジケータ値又はチャネル品質絶対インジケータ値であってよく、チャネル品質差分インジケータ値は、チャネル品質測定値とチャネル品質参照値との間のオフセットを指示するために使用され、チャネル品質絶対インジケータ値は、チャネル品質測定値を指示するために使用される。任意に、チャネル品質はＣＱＩ、ＭＣＳ、又はＢＬＥＲであってよく、これは本願で制限されない。ＣＱＩ、ＭＣＳ、及びＢＬＥＲは、単に、ここでは説明のための例として使用される。
【０１６４】
任意に、チャネル品質がＣＱＩである場合に、チャネル品質測定値は、現在のチャネル品質条件でのＣＱＩインデックスであってよく、チャネル品質参照値は、測定値に対応する基準時に最も近い時点でフィードバックされるＣＱＩインデックスであってよい（測定値に対応する基準時に最も近い時点で周期的にフィードバックされるＣＱＩインデックスであっても、あるいは、測定値に対応する基準時に最も近い時点で非周期的にフィードバックされるＣＱＩインデックスであっても、あるいは、測定値に対応する基準時に最も近い時点でフィードバックされ、特定のチャネル品質報告セットに含まれるチャネル品質値であってもよい。）。
【０１６５】
測定値に対応する基準時は、測定値に対応する基準測定時点又は測定値に対応する測定報告時点であってよい。測定値に対応する測定報告時点は、端末デバイスによってチャネル品質測定値についてのフィードバック情報（フィードバック情報は、チャネル品質測定値に基づきネットワークデバイスに対してチャネル品質を指示するために使用される。）を送信する時点であり、基準測定時点は、通常は、測定報告時点より前の前もってセットされた期間（例えば、測定報告時点前の２つのサブフレーム）として定義される。端末デバイスは、チャネル品質測定値を取得するようチャネル品質を測定し、そして、端末デバイスによってチャネル品質を測定する測定時間は、基準測定時点と重なり合い、あるいは、複数の測定時間が存在し、基準測定時点は測定時間の１つである。図７に示されるように、ｔ３は測定報告時点を表し、ｔ２は基準測定時点を表し、ｔ１は測定時間を表す。図７で、ｔ２からｔ３の間隔は１サブフレームであり、ｔ１とｔ２とは重なり合っている。図８に示されるように、ｔ３は測定報告時点を表し、ｔ２は基準測定時点を表し、ｔ１は測定時間を表す。図７で、ｔ２からｔ３の間隔は１サブフレームであり、ｔ１は、３つのサブフレームに及び（すなわち、端末デバイスは、３つの全てのサブフレームでチャネル品質を測定し、最終的にチャネル品質平均をフィードバックする。）、ｔ２はｔ１内のサブフレームである。ｔ２からｔ３の間隔は、通常はプロトコルで指定される。
【０１６６】
任意に、チャネル品質がＭＣＳである場合に、チャネル品質測定値は、目標ブロックエラーレートを現在のチャネル品質条件と適合させるＭＣＳレベルであってよく、チャネル品質参照値は、現在の伝送のために使用されるＭＣＳレベルであってよい。
【０１６７】
任意に、チャネル品質がＢＬＥＲである場合に、チャネル品質測定値は、現在のチャネル品質条件で現在の伝送のために使用されるＭＣＳに対応するＢＬＥＲレベルであってよく、チャネル品質参照値は、現在の伝送での期待される目標ＢＬＥＲレベルであってよい。ＢＬＥＲレベルは｛１，２，３，４，５｝を含んでよく、ＢＬＥＲレベルに対応するＢＬＥＲは｛１０＾−１，１０＾−２，１０＾−３，１０＾−４，１０＾−５｝である。
【０１６８】
任意の実施では、チャネル品質インジケータセット内のチャネル品質インジケータ値は、チャネル品質差分インジケータ値であり、すなわち、チャネル品質インジケータ値は、チャネル品質測定値とチャネル品質参照値との間のオフセットである。異なる端末デバイスのチャネル品質変化は異なるので、チャネル品質インジケータセットは、端末デバイスごとに独立して構成される必要がある。チャネル品質インジケータセット内のチャネル品質インジケータ値は、端末デバイスのチャネル品質変化に基づき設定され、端末デバイスのチャネル品質変化を正確に反映することができる。
【０１６９】
例えば、セルエッジ又はセル中心での端末デバイスの受信信号対干渉及び雑音比（Signal  to  Interference  plus  Noise  Ratio，ＳＩＮＲ）は、時間とともに変化する。図５に示されるように、実線は、１０ｍｓのインターバルでのセル中心ユーザのＳＩＮＲ変動の累積分布関数（cumulative  distribution  function，ＣＤＦ）分布曲線であり、５０％、８０％、及び９５％に対応するＳＩＮＲ変動は、夫々、０．８ｄＢ、１．２ｄＢ、及び１．７ｄＢである。図５の破線は、１０ｍｓのインターバルでのセルエッジユーザのＳＩＮＲ変動のＣＤＦ分布曲線であり、以下の表で示されるように、５０％、８０％、及び９５％に対応するＳＩＮＲ変動は、夫々、０．９ｄＢ、２ｄＢ、及び４．３ｄＢである。
【表１】
2020523913.tif 000003
【０１７０】
上記の表から、セルエッジユーザのＳＩＮＲ変動は、中心ユーザのそれよりも著しく高いことが分かる。ネットワークデバイスは、エッジユーザ及び中心ユーザのために別々にチャネル品質インジケータセットを構成し得る。以下は、説明のために、チャネル品質がＣＱＩである例を使用する。チャネル品質測定値は、測定を通じて取得されるＣＱＩインデックスであり、チャネル品質参照値は、ＣＱＩ参照インデックス値である。差分インジケータ値は、測定を通じて取得されるＣＱＩインデックスとＣＱＩ参照インデックス値との間のオフセットである。
【０１７１】
例えば、中心ユーザのために構成されるチャネル品質インジケータセットは｛−１．２，−０．８，０，０．８｝であり、エッジユーザのために構成されるチャネル品質インジケータセットは｛−３，−１．３，０，１．３｝である。中心ユーザのために構成されるチャネル品質インジケータセット内のチャネル品質インジケータ値間の変動は比較的に小さく、エッジユーザのために構成されるチャネル品質インジケータセット内のチャネル品質インジケータ値間の変動は比較的に大きい。これは、主に、中心ユーザ及びエッジユーザのチャネル品質変化の特性に適応するためである。
【０１７２】
上記の説明から、チャネル品質インジケータセットにはたった４つの差分インジケータ値しか存在せず、対応するＵＣＩシグナリングは２ビットを有するが、各ユーザは、ユーザ特有のチャネル品質インジケータセットを使用することによって、現在のチャネル品質変動を正確に示すことができることが分かる。
【０１７３】
先行技術では、あるシナリオで、｛−２，−１，０，１｝のただ１つのチャネル品質インジケータセットしかない。例えば、最初の値は、中心ユーザの過度の下方オフセットを示し（比較的に低いＭＣＳレベルがその後の伝送のために使用される。）、その結果、伝送資源の浪費を生じさせる。最初の値は、エッジユーザにとっては不十分な下方オフセットを示し、従って、基地局は、端末に対して比較的に高いＭＣＳレベルを構成し、その結果、伝送エラーを生じさせる。
【０１７４】
端末デバイスの中心ユーザ又はエッジユーザのセル属性に基づきチャネル品質インジケータセットにおける差分インジケータ値を決定することに加えて、構成は、端末デバイスによって報告されるチャネル品質履歴値に基づき実行されてよい。例えば、過去に端末デバイスによって報告されたＣＱＩインデックスが比較的に小さいか又は大いに変動する場合に、比較的に大きいチャネル品質インジケータ値がチャネル品質インジケータセットにおいて設定される。そうでなければ、比較的に小さい値が設定される。
【０１７５】
任意に、チャネル品質インジケータセット内の差分インジケータ値は、整数及び／又は分数であってよい。例えば、チャネル品質インジケータセットは｛−３，０，０．３，０．６｝である。
【０１７６】
任意に、チャネル品質インジケータセット内の差分インジケータ値は、不均一に分布してよい。例えば、チャネル品質インジケータセットは｛−５，−１，０，１，５｝である。
【０１７７】
更に、任意に、チャネル品質変化は、期間の持続時間とも相関される。図６は、本願の実施形態に従う期間の持続時間及びチャネルのＳＩＮＲ相関のシミュレーション図である。シミュレーション図の横座標は、単位ミリ秒で時間を表し、縦座標は、ＳＩＮＲ相関係数を表す。図示されるように、時間が長いほど、チャネルのＳＩＮＲ相関は小さくなり、対応するチャネル品質インジケータセット内のチャネル品質差分インジケータ値の変動は大きくなる。対照的に、時間が短いほど、チャネルのＳＩＮＲ相関は大きくなり、対応するチャネル品質インジケータセット内のチャネル品質差分インジケータ値の変動は小さくなる。
【０１７８】
本願のこの実施形態では、チャネル品質インジケータセット内のチャネル品質差分インジケータ値は、チャネル品質測定値とチャネル品質参照値との間のオフセットを指示するために使用され、すなわち、チャネル品質測定値に対応する基準時とチャネル品質参照値に対応する基準時との間の時間は、チャネル品質インジケータセット内の差分インジケータ値の変動を決定する。チャネル品質参照値に対応する基準時は、チャネル品質参照値に対応する基準測定時点又はチャネル品質参照値に対応する測定報告時点である。ここでのチャネル品質参照値に対応する基準測定時点の定義は、測定値に対応する基準測定時点のそれと同じであり、ここでのチャネル品質参照値に対応する測定報告時点の定義は、測定値に対応する測定報告時点のそれと同じである。詳細は、ここで再び記載されない。
【０１７９】
本願のこの実施形態では、同じ端末デバイスについて、複数の期間のインターバルが複数のチャネル品質インジケータセットに夫々対応し、複数の期間のインターバルが重なり合わないことが設定される。期間は、測定値に対応する基準時とチャネル品質参照値に対応する基準時との間の時間差である。本願のこの実施形態における第１期間のインターバル及び第２期間のインターバルは、複数の期間のインターバルのうちのいずれか２つの期間のインターバルであってよい。第１期間のインターバルは第１チャネル品質インジケータセットに対応し、第２期間のインターバルは第２チャネル品質インジケータセットに対応する。
【０１８０】
任意に、第１期間のインターバルにおける期間が第２期間のインターバルにおける期間に満たない場合に、第１チャネル品質インジケータセット内の差分インジケータ値の変動は、第２チャネル品質インジケータセット内の差分インジケータ値の変動よりも小さい。例えば、第１チャネル品質インジケータセット内の差分インジケータ値の分散は、第２チャネル品質インジケータセット内の差分インジケータ値の分散よりも小さくなる。
【０１８１】
例えば、ネットワークデバイスが期間のインターバルを５ｍｓ未満であるように設定する場合に、対応するチャネル品質インジケータセットは｛−０．５，０，０．５，１｝であり、ネットワークデバイスが期間のインターバルを５ｍｓよりも大きく且つ１０ｍｓ未満であるように設定する場合に、対応するチャネル品質インジケータセットは｛−１，０，１，２｝であり、ネットワークデバイスが期間のインターバルを１０ｍｓよりも大きいように設定する場合に、対応するチャネル品質インジケータセットは｛−２，０，２，４｝である。
【０１８２】
更に、任意に、チャネル品質変化は、参照ＢＬＥＲの値とも相関される。例えば、測定値に対応するＢＬＥＲが参照値に対応するＢＬＥＲと同じである場合に、ＳＩＮＲ差は比較的に小さく、相応して、チャネル品質インジケータセット内のチャネル品質差分インジケータ値の変動は比較的に小さい。測定値に対応するＢＬＥＲが参照値に対応するＢＬＥＲと異なる場合に、ＳＩＮＲ差は比較的に大きく、相応して、チャネル品質インジケータセット内のチャネル品質差分インジケータ値の変動は比較的に大きい。その上、測定値に対応するＢＬＥＲが参照値に対応するＢＬＥＲよりも大きい場合に、チャネル品質インジケータセット内の差分インジケータ値は０よりも大きく又は０に等しい。測定に対応するＢＬＥＲが参照値に対応するＢＬＥＲよりも小さい場合に、チャネル品質インジケータセット内の差分インジケータ値は０よりも小さく又は０に等しい。
【０１８３】
本願のこの実施形態では、同じ端末デバイスについて、複数のＢＬＥＲ差のインターバルが複数のチャネル品質インジケータセットに夫々対応し、複数のＢＬＥＲ差のインターバルが重なり合わないことが設定される。ＢＬＥＲ差は、測定値に対応するＢＬＥＲとチャネル品質参照値に対応するＢＬＥＲとの間のブロックエラーレート差である。本願のこの実施形態における第１ＢＬＥＲ差のインターバル及び第２ＢＬＥＲ差のインターバルは、複数のＢＬＥＲ差のインターバルのうちのいずれか２つのＢＬＥＲ差のインターバルであってよい。第１ＢＬＥＲ差のインターバルは第１チャネル品質インジケータセットに対応し、第２ＢＬＥＲ差のインターバルは第２チャネル品質インジケータセットに対応する。
【０１８４】
任意に、第１ＢＬＥＲ差のインターバルにおけるＢＬＥＲ差の絶対インジケータ値が第２ＢＬＥＲ差のインターバルにおけるＢＬＥＲ差の絶対インジケータ値に満たない場合に、第１チャネル品質インジケータセット内の差分インジケータ値の変動は、第２チャネル品質インジケータセット内の差分インジケータ値の変動よりも小さい。例えば、第１チャネル品質インジケータセット内の差分インジケータ値の分散は、第２チャネル品質インジケータセット内の差分インジケータ値の分散よりも小さくなる。
【０１８５】
任意に、異なるチャネル品質インジケータセットは、ＢＬＥＲ差インターバルのＢＬＥＲ差を０と比較した結果に基づき更に決定されてよい。ＢＬＥＲ差が０である場合に、チャネル品質インジケータセットは｛−０．５，０，０．５，１｝である。ＢＬＥＲ差が０よりも大きい場合に、チャネル品質インジケータセットは｛０，１，２，３｝である。ＢＬＥＲ差が０よりも小さい場合に、チャネル品質インジケータセットは｛−３，−２，−１，０｝である。
【０１８６】
ネットワークデバイスは、構成されたチャネル品質インジケータセットを端末デバイスへ送信する。任意に、チャネル品質インジケータセットは、上位レイヤシグナリング構成を使用することによって送信されてよく、あるいは、チャネル品質インジケータセットは、ＭＡＣ  ＣＥシグナリング構成を使用することによって送信されてもよい。更に、チャネル品質インジケータセットは、代替的に、ユーザ特有のシグナリング構成を使用することによって送信されてもよい。
【０１８７】
端末デバイスは、端末デバイスのためにネットワークデバイスによって決定されたチャネル品質インジケータセットを取得し、このとき、チャネル品質インジケータセットは、チャネル品質差分インジケータ値を含む。例えば、端末デバイスのためにネットワークデバイスによって決定されるチャネル品質インジケータセットは｛−１，０，１，２｝である。端末デバイスは、チャネルを測定し、チャネル品質をフィードバックする。例えば、端末デバイスは、時点ｔ１でチャネルを測定し、３であるチャネル品質測定値ＣＱＩを取得し、時点ｔ０でフィードバックされたＣＱＩインデックスを参照値として使用する。時点ｔ０でフィードバックされるＣＱＩインデックスは２であり、時点ｔ０は時点ｔ１より前であると仮定される。チャネル品質測定値とチャネル品質参照値との間の差は、３−２＝１である。
【０１８８】
次の表は、フィードバック情報とＣＱＩ差分インジケータ値との間の対応を示す。次の表から、端末デバイスは、１０であるフィードバック情報を送信することが分かる。
【表２】
2020523913.tif 000004
【０１８９】
フィードバック情報を受信した後、ネットワークデバイスは、チャネル品質参照値に基づき計算によりチャネル品質測定値を求めてよい。チャネル品質測定値は、現在のチャネル品質を指示するために使用され、ネットワークデバイスによってその後のスケジューリング中に構成されるＭＣＳ及び／又は電力に更に影響を与える。
【０１９０】
任意に、同じ端末デバイスについて、ネットワークデバイスによって構成されるチャネル品質インジケータセットは、複数の期間のインターバルに夫々対応する複数のチャネル品質インジケータセットである。例えば、ネットワークデバイスが期間のインターバルを５ｍｓ未満であるように設定する場合に、対応するチャネル品質インジケータセットは｛−０．５，０，０．５，１｝であり、ネットワークデバイスが期間のインターバルを５ｍｓよりも大きく且つ１０ｍｓ未満であるように設定する場合に、対応するチャネル品質インジケータセットは｛−１，０，１，２｝であり、ネットワークデバイスが期間のインターバルを１０ｍｓよりも大きいように設定する場合に、対応するチャネル品質インジケータセットは｛−２，０，２，４｝である。
【０１９１】
端末デバイスは、時点ｔ１でチャネルを測定し、３であるチャネル品質測定値を取得し、時点ｔ０でフィードバックされたＣＱＩインデックスを参照値として使用する。時点ｔ０でフィードバックされるＣＱＩインデックスは２であり、時点ｔ０は時点ｔ１より前であると仮定される。チャネル品質測定値とチャネル品質参照値との間の差は、３−２＝１である。時点ｔ１から時点ｔ０の間の期間が６ｍｓである場合に、対応するチャネル品質インジケータセットは｛−１，０，１，２｝であり、１である差分インジケータ値に対応するフィードバック情報は、端末１０である。端末デバイスは、１０であるフィードバック情報を送信する。
【０１９２】
１０であるフィードバック情報を受信した後、ネットワークデバイスは最初に、フィードバック情報に対応する第１の目標チャネル品質インジケータセットを決定する必要がある。具体的に、任意に、ネットワークデバイスは、測定値に対応する基準時と参照値に対応する基準時との間の期間を決定し、その期間が複数の期間の前もってセットされたインターバルの中の目標期間のインターバルに属することを決定し、目標期間のインターバルに対応するチャネル品質インジケータセットを第１の目標チャネル品質インジケータセットとして使用する。例えば、ネットワークデバイスは、第１の目標チャネル品質インジケータセットが、５ｍｓよりも大きく且つ１０ｍｓに満たない期間のインターバルに対応する｛−１，０，１，２｝のチャネル品質インジケータセットであることを決定する。更に、目標差分インジケータ値が、１０であるフィードバック情報に基づき１と決定され、次いで、チャネル品質測定値が、チャネル品質参照値に基づき求められ、このとき、チャネル品質測定値は、現在のチャネル品質を指示するために使用され、更には、ネットワークデバイスによってその後のスケジューリング中に構成されるＭＣＳ及び／又は電力に影響を与える。
【０１９３】
任意に、同じ端末デバイスについて、ネットワークデバイスによって構成されるチャネル品質インジケータセットは、複数のＢＬＥＲ差のインターバルに夫々対応する複数のチャネル品質インジケータセットであり、複数のＢＬＥＲ差のインターバルは重なり合わない。本願のこの実施形態における第３ブロックエラーレート差のインターバル及び第４ブロックエラーレート差のインターバルは、複数のＢＬＥＲ差のインターバルのいずれか２つのブロックエラーレート差のインターバルであってよい。第３ブロックエラーレート差のインターバルは、第３チャネル品質インジケータセットに対応し、第４ブロックエラーレート差のインターバルは、第４チャネル品質インジケータセットに対応する。
【０１９４】
例えば、ネットワークデバイスによって設定される複数のＢＬＥＲ差のインターバルに夫々対応する複数のチャネル品質インジケータセットは、次の通りである。ＢＬＥＲ差が０である場合に、チャネル品質インジケータセットは｛−０．５，０，０．５，１｝である。ＢＬＥＲ差が０よりも大きい場合に、チャネル品質インジケータセットは｛０，１，２，３｝である。ＢＬＥＲ差が０に満たない場合に、チャネル品質インジケータセットは｛−３，−２，−１，０｝である。
【０１９５】
端末デバイスは、時点ｔ１でチャネルを測定し、２であるチャネル品質測定値及び１％である参照ＢＬＥＲを取得し、時点ｔ０でフィードバックされたＣＱＩインデックスを参照値として使用する。時点ｔ０でフィードバックされるＣＱＩインデックスは２であり、参照ＢＬＥＲは１０％であり、時点ｔ０は時点ｔ１より前であると仮定される。チャネル品質測定値とチャネル品質参照値との間の差は２−２＝１である。測定値に対応するＢＬＥＲと参照値に対応するＢＬＥＲとの間のＢＬＥＲ差が０に満たない場合に、対応するチャネル品質インジケータセットは｛−３，−２，−１，０｝であり、差分インジケータ値０に対応するフィードバック情報は端末１１である。端末デバイスは、１１であるフィードバック情報を送信する。
【０１９６】
１１であるフィードバック情報を受信した後、ネットワークデバイスは最初に、フィードバック情報に対応する第２の目標チャネル品質インジケータセットを決定する必要がある。具体的に、任意に、ネットワークデバイスは、測定値に対応するＢＬＥＲと参照値に対応するＢＬＥＲとの間のＢＬＥＲ差を決定し、ＢＬＥＲ差が複数のＢＬＥＲ差の前もってセットされたインターバルの中の目標ＢＬＥＲ差のインターバルに属することを決定し、目標ＢＬＥＲ差のインターバルに対応するチャネル品質インジケータセットを第２の目標チャネル品質インジケータセットとして使用する。例えば、ネットワークデバイスは、第２の目標チャネル品質インジケータセットが、０に満たないＢＬＥＲ差に対応する｛−３，−２，−１，０｝のチャネル品質インジケータセットであることを決定する。更に、目標差分インジケータ値が、１１であるフィードバック情報に基づき０と決定され、次いで、チャネル品質測定値が、チャネル品質参照値に基づき求められ、このとき、チャネル品質測定値は、現在のチャネル品質を指示するために使用され、更には、ネットワークデバイスによってその後のスケジューリング中に構成されるＭＣＳ及び／又は電力に影響を与える。
【０１９７】
任意の実施では、チャネル品質インジケータセット内のチャネル品質インジケータ値は、チャネル品質絶対インジケータ値であり、チャネル品質絶対インジケータ値は、チャネル品質測定値、例えば、測定を通じて取得されるＣＱＩインデックスを指示するために使用される。異なるユーザは、通常は、異なるＳＩＮＲインターバルにおいて作動する。例えば、エッジユーザは、通常は、比較的に低いＳＩＮＲ、例えば、−１２ｄＢから−２ｄＢで作動し、中心ユーザは、比較的に高いＳＩＮＲ、例えば、１５ｄＢから２５ｄＢで作動する。従って、異なるユーザによって測定及びフィードバックされるＣＱＩインデックスの範囲も異なる。フィードバックオーバーヘッドを低減し且つより細かい粒度でＣＱＩタイプを分類するために、ネットワークデバイスは、端末デバイスごとにチャネル品質インジケータセットを独立して構成する。チャネル品質インジケータセット内の絶対インジケータ値は、端末デバイスのチャネル品質に基づき設定され、端末デバイスのチャネル品質変化を正確に反映することができる。
【０１９８】
任意に、端末デバイスのためにネットワークデバイスによって構成されるチャネル品質インジケータセットは、前もってセットされたセット又は前もってセットされたセットのサブセットであってよく、前もってセットされたセットは、プロトコルで指定されるセットである。図９は、プロトコルで指定される前もってセットされたセットを示してよく、前もってセットされたセットは、３２個の絶対インジケータ値を含む。オーバーヘッドを低減するために、ネットワークデバイスは、端末デバイスごとに、端末デバイスのチャネル品質に基づき、前もってセットされたセット又は前もってセットされたセットのサブセットを構成する。例えば、エッジユーザのためにネットワークデバイスによって構成されるチャネル品質インジケータセットは、作動インターバルが０から１５であるセットであり、中心ユーザのためにネットワークデバイスによって構成されるチャネル品質インジケータセットは、作動インターバル１６から３１であるセットである。ＵＣＩにおいてＣＱＩフィードバック情報を指示するために使用される有効ビットＬは、ＲＲＣを通じて構成されるＣＱＩセット内の絶対インジケータ値の数量Ｓと相関されることが留意されるべきであり、このとき、Ｌ≧ｌｏｇ２（Ｓ）である。
【０１９９】
端末デバイスのためにネットワークデバイスによって構成されるチャネル品質インジケータセットは、プロトコルで指定される前もってセットされたセット内の連続した値を含むセットであってよく、あるいは、端末デバイスのためにネットワークデバイスによって構成されるチャネル品質インジケータセットは、プロトコルで指定される前もってセットされたセット内の不連続な値を含むセットであってもよい。
【０２００】
端末デバイスに対してチャネル品質インジケータセットを示すとき、ネットワークデバイスは、チャネル品質インジケータセットに含まれる絶対インジケータ値を直接示してよく、例えば、チャネル品質インジケータセットに含まれるＣＱＩインデックスを直接示してよい。例えば、エッジユーザの端末デバイスのためにネットワークデバイスによって構成されるチャネル品質インジケータセットは｛０，２，４，６，８，１０，１２｝であり、中心ユーザの端末デバイスのためにネットワークデバイスによって構成されるチャネル品質インジケータセットは｛１４，１６，１８，２０，２２，２４｝であり、エッジユーザの端末デバイス及び中心ユーザの端末デバイスによって検出されるＳＩＮＲインターバルは異なる。従って、異なるインターバルＣＱＩが構成される。
【０２０１】
任意に、端末デバイスに対してネットワークデバイスによって示されるチャネル品質インジケータセット内の絶対インジケータ値の数量は、プロトコルで指定されてよく（プロトコルで指定される数量は、ネットワークデバイス及び端末デバイスにおいて前もってセットされる数量である。）、あるいは、構成可能である。チャネル品質インジケータセット内の絶対インジケータ値の数量が構成可能である場合に、数量は、サービスに基づき構成されてよい。例えば、ＵＲＬＬＣサービスに対応するチャネル品質インジケータセット内の絶対インジケータ値の数量は、ｅＭＢＢサービスに対応するチャネル品質インジケータセット内の絶対インジケータ値の数量よりも少ない。代替的に、ネットワークデバイスは、サービス及び／又はチャネル品質変動ステータスに基づき、チャネル品質インジケータセット内の絶対インジケータ値の数量を構成する。例えば、絶対インジケータ値の数量が比較的に少ないチャネル品質インジケータセットは、移動速度が比較的に遅いユーザ又は静止状態にあるユーザのために構成され、絶対インジケータ値の数量が比較的に多いチャネル品質インジケータセットは、移動速度が比較的に速いユーザのために構成される。
【０２０２】
例えば、ＵＲＬＬＣサービスの端末デバイスのためにネットワークデバイスによって構成されるチャネル品質インジケータセットは｛０，２，４，６，８，・・・，２８，３０｝、すなわち、偶数のＣＱＩインデックスである。ｅＭＢＢサービスの端末デバイスのためにネットワークデバイスによって構成されるチャネル品質インジケータセットは｛０，１，２，・・・，３１｝又は｛６，８，１０，１２，１４，１６，１７，・・・，３１｝である。如何なる時点でもチャネルステータスを指示するために、比較的に大きいＳＩＮＲインターバル、すなわち、比較的に広いＣＱＩインデックス範囲が、ＵＲＬＬＣサービスの端末デバイスのために構成される必要がある。なお、ＵＲＬＬＣサービスに対するＣＱＩ指示シグナリングオーバーヘッドの制限を考えると、要素は、前もってセットされたセットから一様に選択され得るが、本願は、一様選択に限られない。ｅＭＢＢサービスの端末デバイスはＣＱＩ指示シグナリングオーバーヘッドに鈍感であるから、比較的に大きいセットがｅＭＢＢサービスの端末デバイスのために構成され得、前もってセットされたセットの全体でさえ、ｅＭＢＢサービスの端末デバイスのために構成され得る。前もってセットされたセットの全体がｅＭＢＢサービスの端末デバイスのために構成される場合に、前もってセットされたセットの全体は、デフォルトで端末側で構成されてよく、追加のシグナリングは指示のために必要とされない。
【０２０３】
端末デバイスのためにネットワークデバイスによって構成されるチャネル品質インジケータセットは、プロトコルで指定される前もってセットされたセット内の連続した値を含むセットであるか、あるいは、端末デバイスのためにネットワークデバイスによって構成されるチャネル品質インジケータセットは、プロトコルで指定される前もってセットされたセット内で等間隔にある要素を含むセットである（例えば、１つの値は、１つの要素のインターバルで選択され、インデックスは、３、５及び７である。）。この場合に、端末デバイスに対してチャネル品質インジケータセットを指示するためにネットワークデバイスによって使用されるシグナリング（シグナリングは、上位レイヤシグナリング、ＭＡＣ  ＣＥシグナリング、ユーザ特有のシグナリング、等を含み得るが限られない。）は、前もってセットされたセット内のチャネル品質インジケータセットの開始要素のインデックス及びチャネル品質インジケータセットに含まれる要素の数量しか示さなくてよく、あるいは、前もってセットされたセット内のチャネル品質インジケータセットの開始要素のインデックスのみを示して、チャネル品質インジケータセット内の要素の数量はプロトコルで指定される。チャネル品質インジケータセット内の要素は、チャネル品質インジケータセット内の絶対インジケータ値である。
【０２０４】
例えば、チャネル品質インジケータセット内の要素の数量は、プロトコルで指定され、端末デバイスのためにネットワークデバイスによって構成されるチャネル品質インジケータセットは、プロトコルで指定される前もってセットされたセット内の連続した絶対インジケータ値を含む。エッジユーザの端末デバイスのためにネットワークデバイスによって構成されるチャネル品質インジケータセットが｛０，１，２，３，４，５，６，７，８，９，１０，１１｝である場合に、０が示される。中心ユーザの端末デバイスのためにネットワークデバイスによって構成されるチャネル品質インジケータセットが｛１０，１１，１２，１３，１４，１５，１６，１７，１８，１９，２０，２１｝である場合に、１０が示される。任意に、チャネル品質インジケータセット内の要素の数量は、サービスタイプと結び付けられてもよい（例えば、ＵＲＬＬＣサービスのチャネル品質インジケータセットに含まれる要素の数量は８であり、ｅＭＢＢサービスのチャネル品質インジケータセットに含まれる要素の数量は１６である。）。
【０２０５】
他の例として、チャネル品質インジケータセット内の要素の数量は、プロトコルで指定され、端末デバイスのためにネットワークデバイスによって構成されるチャネル品質インジケータセットは、プロトコルで指定される前もってセットされたセットにおいて等間隔にある要素を含み、すなわち、値は、前もってセットされたセットから等間隔で選択され、開始要素のインデックスのみが示される（チャネル品質がＣＱＩである場合に、インデックスはＣＱＩインデックスである。）。エッジユーザの端末デバイスのためにネットワークデバイスによって構成されるチャネル品質インジケータセットが｛０，２，４，６，８，１０｝である場合に、０が示される。中心ユーザの端末デバイスのためにネットワークデバイスによって構成されるチャネル品質インジケータセットが｛１０，１２，１４，１６，１８，２０｝である場合に、１０が示される。任意に、チャネル品質インジケータセット内の要素の数量は、サービスタイプと結び付けられてもよい（例えば、ＵＲＬＬＣサービスのチャネル品質インジケータセットに含まれる要素の数量は８であり、ｅＭＢＢサービスのチャネル品質インジケータセットに含まれる要素の数量は１６である。）。
【０２０６】
端末デバイスのためにネットワークデバイスによって構成されるチャネル品質インジケータセットからチャネル品質絶対インジケータ値を選択する（すなわち、連続的に値を選択するか、又は等間隔で値を選択する）方法が決定される場合に、ネットワークデバイスは、開始位置（開始位置はインデックス、例えば、ＣＱＩインデックスであってよい。）及びチャネル品質インジケータセットに含まれる絶対インジケータ値の数量（例えば、含まれているＣＱＩインデックスの数量）しか示されなくてよい。開始位置及び絶対インジケータ値の数量は、独立して符号化されても、あるいは、連帯して符号化されてもよい。
【０２０７】
例えば、エッジユーザの端末デバイスのためにネットワークデバイスによって構成されるチャネル品質インジケータセットが｛０，２，４，６，８，１０｝である場合に、｛０，６｝が示され、このとき、０は開始位置であり、６は、チャネル品質インジケータセットに含まれる絶対インジケータ値の数量である。代替的に、２つの要素０及び６は連帯して符号化されてもよく、例えば、ツリー表示式に従って計算を通じて１６０が求められる。中心ユーザの端末デバイスのためにネットワークデバイスによって構成されるチャネル品質インジケータセットが｛１０，１１，１２，１３，１４，１５，１６，１７，１８，１９，２０｝である場合に、｛１０，１１｝が示され、このとき、１０は開始位置であり、１１は、チャネル品質インジケータセットに含まれる絶対インジケータ値の数量である。代替的に、２つの要素１０及び１１は連帯して符号化され、例えば、ツリー表示式に従って計算を通じて３３１が求められる。ツリー表示式は、次の通りである：
【数１】
2020523913.tif 000005
ここで、Ｌｓｅｔ≧１且つＮＣＱＩ−Ｓｅｔｓｔａｒｔを超えるべきではない。
【０２０８】
Ｌｓｅｔは、チャネル品質インジケータセット内のＣＱＩの数量であり、ＮＣＱＩは、前もってセットされたセット内の要素の数量であり、Ｓｅｔｓｔａｒｔは、開始位置である。
【０２０９】
端末デバイスのためにネットワークデバイスによって構成されるチャネル品質インジケータセットが、プロトコルで指定される前もってセットされたセットからランダムに選択される要素を含む場合。すなわち、規則がなく、チャネル品質インジケータセットを指示するためのシグナリング（シグナリングは、上位レイヤシグナリング、ＭＡＣ  ＣＥシグナリング、ユーザ特有のシグナリング、等を含み得るが限られない。）は、ビットマップを使用することによる端末への指示のために使用されてよい。例えば、前もってセットされたセットが６４個の絶対インジケータ値を含む場合に、６４ビットが指示のために使用される。チャネル品質インジケータセットが絶対インジケータ値を含む場合に、絶対インジケータ値に対応するビットは１に設定される。チャネル品質インジケータセットが絶対インジケータ値を含まない場合に、絶対インジケータ値に対応するビットは０に設定される。
【０２１０】
例えば、エッジユーザの端末デバイスのためにネットワークデバイスによって構成されるチャネル品質インジケータセットが｛０，２，４，６，８，１０，１２｝であり、中心ユーザの端末デバイスのためにネットワークデバイスによって構成されるチャネル品質インジケータセットが｛１４，１６，１８，２０，２２，２４｝である。この場合に、ビットマップが端末への指示のために使用される場合に、１０１０１０１０１０１０１００００・・・０が、エッジユーザの端末デバイスに対して示されてよく、００００００００００００００１０１０１０１０１０１００・・・０が、中心ユーザの端末デバイスに対して示されてよい。
【０２１１】
端末デバイスは、ネットワークデバイスによって決定されるチャネル品質インジケータセットを取得し、このとき、チャネル品質インジケータセットは、前もってセットされたセット又は前もってセットされたセットのサブセットであり、チャネル品質インジケータセットは、チャネル品質絶対インジケータ値を含む。端末デバイスは、チャネル品質を測定し、ネットワークデバイスに対して、チャネル品質測定値に対応するフィードバック情報を送信する。フィードバック情報のためのビットの数量は、チャネル品質インジケータセットに含まれる絶対インジケータ値の数量と相関される。例えば、図９に示されるように、前もってセットされたセットは、３２個の絶対インジケータ値を含み、端末デバイスのためにネットワークデバイスによって構成されるチャネル品質インジケータセットは、１６個の絶対インジケータ値を含み（例えば、０から１５のインターバル又は１６から３１のインターバル）、端末デバイスは、４ビットのフィードバック情報を使用することによってフィードバックを供給し得る。
【０２１２】
端末デバイスによって送信されたフィードバック情報を受信した後、ネットワークデバイスは、フィードバック情報に対応する絶対インジケータ値を決定する必要がある。例えば、端末デバイスによって送信されるフィードバック情報が１１１１である場合に、１５又は３１の絶対インジケータ値が指示され得る。従って、ネットワークデバイスは、端末デバイスのために事前に設定されたチャネル品質インジケータセットを取得する必要がある。例えば、端末デバイスのためにネットワークデバイスによって事前に設定されたチャネル品質インジケータセットが１６乃至３１である場合に、それは、フィードバック情報に対応する絶対インジケータ値が３１であることを示す。
【０２１３】
本願のこの実施形態では、ネットワークデバイスは、各端末デバイスに専用のチャネル品質インジケータセットをその端末デバイスのために構成し、このとき、チャネル品質インジケータセットはチャネル品質インジケータ値を含み、チャネル品質インジケータ値はチャネル品質を指示するために使用され、チャネル品質インジケータ値は端末デバイスのチャネル品質について設定される。従って、チャネル品質をフィードバックする場合に、端末デバイスは、チャネル品質をネットワークデバイスへ正確にフィードバックすることができ、それによって、チャネル品質フィードバックの精度は改善される。
【０２１４】
図１０は、本願の実施形態に従う変調及び符号化ポリシー指示方法の略フローチャートである。方法は、ネットワークデバイスと端末デバイスとの間の相互作用の視点から記載され、方法は、次のステップを含み得るが限られない。
【０２１５】
ステップＳ２０：ネットワークデバイスは、端末デバイスの変調及び符号化スキームＭＣＳレベルインジケータセットを決定し、このとき、ＭＣＳレベルインジケータセットは、ＭＣＳレベルインジケータ値を含み、ＭＣＳレベルインジケータ値は、変調及び符号化ポリシーを指示するために使用される。
【０２１６】
ステップＳ２１：ネットワークデバイスは、ＭＣＳレベルインジケータセットを端末デバイスへ送信する。
【０２１７】
ステップＳ２２：端末デバイスは、端末デバイスのために決定されたＭＣＳレベルインジケータセットを受信し、このとき、ＭＣＳレベルインジケータセットは、ＭＣＳレベルインジケータ値を含み、ＭＣＳレベルインジケータ値は、変調及び符号化ポリシーを指示するために使用される。
【０２１８】
ステップＳ２３：端末デバイスは、ＭＣＳレベルインジケータセットを記憶する。
【０２１９】
ステップＳ２４：ネットワークデバイスは、指示情報を端末デバイスへ送信し、このとき、指示情報は、ＭＣＳレベルインジケータセットにおいて目標ＭＣＳレベルインジケータ値を指示するために使用され、目標ＭＣＳレベルインジケータ値は、ネットワークデバイスによって使用される変調及び符号化ポリシーを指示するために使用される。
【０２２０】
ステップＳ２５：端末デバイスは、ネットワークデバイスによって送信された指示情報を受信し、このとき、指示情報は、ＭＣＳレベルインジケータセットにおいて目標ＭＣＳレベルインジケータ値を指示するために使用され、目標ＭＣＳレベルインジケータ値は、ネットワークデバイスによって使用される変調及び符号化ポリシーを指示するために使用される。
【０２２１】
本願のこの実施形態では、異なる端末デバイスは、通常は、異なるＳＩＮＲインターバルにおいて作動する。例えば、端末デバイスがエッジユーザである場合に、端末デバイスは、通常は、比較的に低いＳＩＮＲ、例えば、−１２ｄＢから−２ｄＢで作動し、端末デバイスが中心ユーザである場合に、端末デバイスは、通常は、比較的に高いＳＩＮＲ、例えば、１５ｄＢから２５ｄＢで作動する。エッジユーザに対してネットワークデバイスによってデータを送信するＭＣＳレベルの範囲も、中心ユーザに対してネットワークデバイスによってデータを送信するＭＳＣレベルの範囲とは異なる。例えば、エッジユーザへデータを送信するためにネットワークデバイスによって使用されるＭＣＳレベルは比較的に低く、中心ユーザへデータを送信するためにネットワークデバイスによって使用されるＭＣＳレベルは比較的に高い。指示オーバーヘッドを低減するために、ネットワークデバイスは、端末デバイスごとにＭＡＣレベルインジケータセットを独立して構成する。
【０２２２】
任意に、端末デバイスのためにネットワークデバイスによって構成されるＭＣＳレベルインジケータセットは、前もってセットされたセット又は前もってセットされたセットであり、前もってセットされたセットは、プロトコルで指定されるセットであってよい。図１１は、本願の実施形態に従う前もってセットされたセットを示し得る。前もってセットされたセットは、６４個のＭＣＳレベルを含む。ネットワークデバイスは、端末デバイスのチャネル品質ステータスに基づき６４個のＭＣＳレベルのうちの一部又は全てを構成してよい。
【０２２３】
例えば、エッジユーザである端末デバイスのためにネットワークデバイスによって構成されるＭＣＳレベルインジケータセットは、０から２７及び５８から６１であり、中心ユーザである端末デバイスのためにネットワークデバイスによって構成されるＭＣＳレベルインジケータセットは、２８から５７及び６１から６３である。ここで、インデックスは、図１１ではＭＣＳレベルを表し、ＭＣＳレベル５８から６３は、再送のために使用されることが留意されるべきである。ＤＣＩに含まれ、ＭＣＳレベルを指示するために使用される有効ビットＬは、ＲＲＣを通じて構成されるＭＣＳレベルインジケータセット内のＭＣＳレベルの数量Ｓと相関されることが留意されるべきであり、このとき、Ｌ≧ｌｏｇ２（Ｓ）である。
【０２２４】
端末デバイスのためにネットワークデバイスによって構成されるＭＣＳレベルインジケータセットは、プロトコルで指定される前もってセットされたセット内の連続したＭＣＳレベルインジケータ値（ＭＣＳレベル）を含んでよく、あるいは、端末デバイスのためにネットワークデバイスによって構成されるチャネル品質インジケータセットは、プロトコルで指定される前もってセットされたセット内の不連続なＭＣＳレベルインジケータ値（ＭＣＳレベル）を含んでよい。
【０２２５】
端末デバイスのためにネットワークデバイスによって構成されるＭＣＳレベルインジケータセットは、プロトコルで指定される前もってセットされたセット内の連続したＭＣＳレベルインジケータ値を含むか、あるいは、端末デバイスのためにネットワークデバイスによって構成されるＭＣＳレベルインジケータセットは、プロトコルで指定される前もってセットされたセットにおいて等間隔にあるＭＣＳレベルインジケータ値を含む（例えば、１つの値は、１つの要素のインターバルで選択され、インデックスは、３、５及び７である。）。この場合に、端末デバイスに対してＭＣＳレベルインジケータセットを指示するためにネットワークデバイスによって使用されるシグナリング（シグナリングは、上位レイヤシグナリング、ＭＡＣ  ＣＥシグナリング、ユーザ特有のシグナリング、等を含み得るが限られない。）は、前もってセットされたセット内のＭＣＳレベルインジケータセットの開始要素のインデックス及びＭＣＳレベルインジケータセットに含まれる要素の数量しか示さなくてよく、あるいは、前もってセットされたセット内のＭＣＳレベルインジケータセットの開始要素のインデックスのみを示して、ＭＣＳレベルインジケータセット内の要素の数量はプロトコルで指定される。ＭＣＳレベルインジケータセット内の要素は、ＭＣＳレベルインジケータセット内のＭＣＳレベルインジケータ値である。更に、任意に、端末デバイスに対してＭＣＳレベルインジケータセットを指示するためにネットワークデバイスによって使用されるシグナリングは、代替的に、ツリー表示法を使用することによって指示のために使用されてもよい。ツリー表示法は、図４の実施形態でのツリー表示法と同じであり、詳細は、ここで再び記載されない。
【０２２６】
端末デバイスのためにネットワークデバイスによって構成されるＭＣＳレベルインジケータセットが、プロトコルで指定される前もってセットされたセットからランダムに選択される要素を含む場合。すなわち、規則がなく、ＭＣＳレベルインジケータセットを指示するためのシグナリング（シグナリングは、上位レイヤシグナリング、ＭＡＣ  ＣＥシグナリング、ユーザ特有のシグナリング、等を含み得るが限られない。）は、ビットマップを使用することによる端末への指示のために使用されてよい。例えば、前もってセットされたセットが６４個の絶対インジケータ値を含む場合に、６４ビットが指示のために使用される。ＭＳＣレベルインジケータセットがＭＣＳレベルインジケータ値を含む場合に、ＭＣＳレベルインジケータ値に対応するビットは１に設定される。ＭＣＳレベルインジケータセットがＭＳＣレベルインジケータ値を含まない場合に、ＭＣＳレベルインジケータ値に対応するビットは０に設定される。
【０２２７】
端末デバイスは、端末デバイスのためにネットワークデバイスによって構成されたＭＣＳレベルインジケータセットを取得し記憶する。ネットワークデバイスがデータを端末デバイスへ送信する場合に、ネットワークデバイスは、使用されている目標ＭＣＳレベルインジケータ値を端末デバイスに対して示す必要があり、このとき、目標ＭＣＳレベルインジケータ値は、ネットワークデバイスによって使用されている変調及び符号化ポリシーを指示するために使用され、それにより、端末デバイスは、受信されたデータをその変調及び符号化ポリシーに従って処理することができる。
【０２２８】
具体的に、任意に、ネットワークデバイスは、指示情報を端末デバイスへ送信し、このとき、指示情報は、端末デバイスのために構成されたＭＣＳレベルインジケータセットにおいて目標ＭＣＳレベルインジケータ値を指示するために使用される。任意に、ネットワークデバイスは、ＤＣＩを使用することによって端末デバイスへ指示情報を送信してよい。例えば、端末デバイスのためにネットワークデバイスによって構成されるＭＣＳレベルインジケータセットは、０から２７及び５８〜６１である。指示情報は５ビットであってよく、指示情報の１タイプは、１つのＭＣＳレベルインジケータ値に対応する。
【０２２９】
端末デバイスは、ネットワークデバイスによって構成されたＭＣＳレベルインジケータセットに基づいて、指示情報に対応する目標ＭＣＳレベルインジケータ値を探し、このとき、目標ＭＣＳレベルインジケータ値は、ネットワークデバイスによって使用されている変調及び符号化ポリシーを指示するために使用される。
【０２３０】
本願のこの実施形態では、ネットワークデバイスは、端末デバイスに専用のＭＣＳレベルインジケータセットをその端末デバイスのために決定する。ＭＣＳレベルインジケータセットはＭＣＳレベルインジケータ値を含み、ＭＣＳレベルインジケータ値は変調及び符号化ポリシーを指示するために使用される。端末デバイスに専用のＭＣＳレベルインジケータセットは、端末デバイスのチャネル品質に基づき設定されるセットであってよい。その後、変調及び符号化ポリシーを示す場合に、ネットワークデバイスは、オーバーヘッドを減らしながら指示精度を改善することができる。
【０２３１】
上記は、本願の実施形態における方法について詳細に記載し、下記は、本願の実施形態で提供される装置について記載する。
【０２３２】
図１２は、本願の実施形態に従うネットワークデバイスの論理構造の概略図である。ネットワークデバイス１０１は、処理ユニット１０１１及びトランシーバユニット１０１２を含んでよい。
【０２３３】
処理ユニット１０１１は、端末デバイスのチャネル品質インジケータセットを決定するよう構成され、このとき、チャネル品質インジケータセットは、少なくとも１つのチャネル品質インジケータ値を含み、チャネル品質インジケータ値は、チャネル品質を指示するために使用される。
【０２３４】
トランシーバユニット１０１２は、チャネル品質インジケータセットを端末デバイスへ送信するよう構成される。
【０２３５】
処理ユニット１０１１は、図４に示される方法の実施形態におけるステップＳ１０を実行するよう構成され、トランシーバユニット１０１２は、図４に示される方法の実施形態におけるステップＳ１１を実行するよう構成されることが留意されるべきである。
【０２３６】
具体的な詳細については、図４の上記の方法におけるネットワークデバイス側の記載を参照されたい。詳細は、ここで再び記載されない。
【０２３７】
図１３は、本願の実施形態に従うネットワークデバイスの物理構造の概略図である。ネットワークデバイス１０２は、プロセッサ１０２１、トランシーバ１０２２、及びメモリ１０２３を含む。プロセッサ１０２１、メモリ１０２３、及びトランシーバ１０２２は、バスにより相互接続される。
【０２３８】
メモリ１０２３は、ランダム・アクセス・メモリ（Random  Access  Memory，ＲＡＭ）、リード・オンリー・メモリ（Read-Only  Memory，ＲＯＭ）、消去可能なプログラム可能リード・オンリー・メモリ（Erasable  Programmable  Read  Only  Memory，ＥＰＲＯＭ）、又はコンパクト・ディスク・リード・オンリー・メモリ（Compact  Disc  Read-Only  Memory，ＣＤ−ＲＯＭ）を含むが限られない。メモリ１０２３は、関連する命令及びデータを記憶するよう構成される。
【０２３９】
トランシーバ１０２２は、通信モジュール又はトランシーバ回路であってよく、ネットワークデバイスと端末デバイスとの間でデータ及びシグナリングのような情報を送信するよう構成される。本願のこの実施形態では、トランシーバ１０２２は、図４に示される方法の実施形態におけるステップＳ１１を実行するよう構成される。
【０２４０】
プロセッサ１０２１は、コントローラ、中央演算処理装置（Central  Processing  Unit，ＣＰＵ）、汎用プロセッサ、デジタル信号プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field  Programmable  Gate  Array，ＦＰＧＡ）若しくは他のプログラム可能論理デバイス、トランジスタ論理デバイス、ハードウェア部品、又はそれらの組み合わせであってよい。プロセッサ１０２１は、本願の実施形態で開示される内容を参照して記載される様々な、例となる論理ブロック、モジュール、及び回路を実装又は実行してよい。代替的に、プロセッサ１０２１は、計算機能を実装するプロセッサの組み合わせ、例えば、１つのマイクロプロセッサ若しくはマイクロプロセッサの組み合わせ、又はＤＳＰとマイクロプロセッサとの組み合わせであってよい。本願のこの実施形態では、プロセッサ１０２１は、図４に示される実施形態におけるステップＳ１０を実行するよう構成される。
【０２４１】
例えば、プロセッサ１０２１は、端末デバイスのチャネル品質インジケータセットを決定するよう構成され、このとき、チャネル品質インジケータセットは、少なくとも１つのチャネル品質インジケータ値を含み、チャネル品質インジケータ値は、チャネル品質を指示するために使用される。
【０２４２】
トランシーバ１０２２は、チャネル品質インジケータセットを端末デバイスへ送信するよう構成される。
【０２４３】
具体的な詳細については、図４の上記の方法におけるネットワークデバイス側の記載を参照されたい。詳細は、ここで再び記載されない。
【０２４４】
図１４は、本願の実施形態に従う端末デバイスの論理構造の概略図である。端末デバイス２０１は、トランシーバユニット２０１１及び処理ユニット２０１２を含んでよい。
【０２４５】
処理ユニット２０１２は、端末デバイスのためにネットワークデバイスによって決定されたチャネル品質インジケータセットを取得するよう構成され、このとき、チャネル品質インジケータセットは、少なくとも１つのチャネル品質インジケータ値を含み、チャネル品質インジケータ値は、チャネル品質を指示するために使用される。
【０２４６】
トランシーバユニット２０１１は、フィードバック情報をネットワークデバイスへ送信するよう構成され、このとき、フィードバック情報は、目標チャネル品質インジケータ値を指示するために使用され、目標チャネル品質インジケータ値は、チャネル品質インジケータセット内のチャネル品質インジケータ値であり、目標チャネル品質インジケータ値は、チャネルの現在のチャネル品質を決定するために使用される。
【０２４７】
トランシーバユニット２０１１は、図４に示される方法の実施形態におけるステップＳ１３を実行するよう構成され、処理ユニット２０１２は、図４に示される方法の実施形態におけるステップＳ１２を実行するよう構成されることが留意されるべきである。
【０２４８】
具体的な詳細については、図４の上記の方法における端末デバイス側の記載を参照されたい。詳細は、ここで再び記載されない。
【０２４９】
図１５は、本願の実施形態に従う端末デバイス２０２を示す。端末デバイス２０２は、プロセッサ２０２１、トランシーバ２０２２、及びメモリ２０２３を含み、プロセッサ２０２１、メモリ２０２３、及びトランシーバ２０２２は、バスにより相互接続される。
【０２５０】
メモリ２０２３は、ＲＡＭ、ＲＯＭ、ＥＰＲＯＭ、又はＣＤ−ＲＯＭを含むが限られず、メモリ２０２４は、関連する命令及びデータを記憶するよう構成される。
【０２５１】
トランシーバ２０２２は、通信モジュール又はトランシーバ回路であってよく、ネットワークデバイスと端末デバイスとの間でデータ及びシグナリングのような情報を送信するよう構成される。本願のこの実施形態では、トランシーバ２０２２は、図４に示される方法の実施形態におけるステップＳ１３を実行するよう構成される。
【０２５２】
プロセッサ２０２１は、コントローラ、ＣＰＵ、汎用プロセッサ、ＤＳＰ、ＡＳＩＣ、ＦＰＧＡ若しくは他のプログラム可能論理デバイス、トランジスタ論理デバイス、ハードウェア部品、又はそれらの組み合わせであってよい。プロセッサ２０２１は、本願の実施形態で開示される内容を参照して記載される様々な、例となる論理ブロック、モジュール、及び回路を実装又は実行してよい。代替的に、プロセッサ２０２１は、計算機能を実装するプロセッサの組み合わせ、例えば、１つのマイクロプロセッサ若しくはマイクロプロセッサの組み合わせ、又はＤＳＰとマイクロプロセッサとの組み合わせであってよい。本願のこの実施形態では、プロセッサ２０２１は、図４に示される実施形態におけるステップＳ１２を実行するよう構成される。
【０２５３】
例えば、プロセッサ２０２１は、端末デバイスのためにネットワークデバイスによって決定されたチャネル品質インジケータセットを取得するよう構成され、このとき、チャネル品質インジケータセットは、少なくとも１つのチャネル品質インジケータ値を含み、チャネル品質インジケータ値は、チャネル品質を指示するために使用される。
【０２５４】
トランシーバ２０２２は、フィードバック情報をネットワークデバイスへ送信するよう構成され、このとき、フィードバック情報は、目標チャネル品質インジケータ値を指示するために使用され、目標チャネル品質インジケータ値は、チャネル品質インジケータセット内のチャネル品質インジケータ値であり、目標チャネル品質インジケータ値は、チャネルの現在のチャネル品質を決定するために使用される。
【０２５５】
具体的な詳細については、図４の上記の方法における端末デバイス側の記載を参照されたい。詳細は、ここで再び記載されない。
【０２５６】
図１６は、本願の実施形態に従うネットワークデバイスの論理構造の概略図である。ネットワークデバイス３０１は、処理ユニット３０１１及びトランシーバユニット３０１２を含んでよい。
【０２５７】
処理ユニット３０１１は、端末デバイスの変調及び符号化スキームＭＣＳレベルインジケータセットを決定するよう構成され、このとき、ＭＣＳレベルインジケータセットは、少なくとも１つのＭＣＳレベルインジケータ値を含み、ＭＣＳレベルインジケータ値は、変調及び符号化ポリシーを指示するために使用される。
【０２５８】
トランシーバユニット３０１２は、ＭＣＳレベルインジケータセットを端末デバイスへ送信するよう構成される。
【０２５９】
処理ユニット３０１１は、図１０に示される方法の実施形態におけるステップＳ２０を実行するよう構成され、トランシーバユニット３０１２は、図１０に示される方法の実施形態におけるステップＳ２１を実行するよう構成されることが留意されるべきである。
【０２６０】
具体的な詳細については、図１０の上記の方法におけるネットワークデバイス側の記載を参照されたい。詳細は、ここで再び記載されない。
【０２６１】
図１７は、本願の実施形態に従うネットワークデバイスの物理構造の概略図である。ネットワークデバイス３０２は、プロセッサ３０２１、トランシーバ３０２２、及びメモリ３０２３を含む。プロセッサ３０２１、メモリ３０２３、及びトランシーバ３０２２は、バスにより相互接続される。
【０２６２】
メモリ３０２３は、ランダム・アクセス・メモリ（Random  Access  Memory，ＲＡＭ）、リード・オンリー・メモリ（Read-Only  Memory，ＲＯＭ）、消去可能なプログラム可能リード・オンリー・メモリ（Erasable  Programmable  Read  Only  Memory，ＥＰＲＯＭ）、又はコンパクト・ディスク・リード・オンリー・メモリ（Compact  Disc  Read-Only  Memory，ＣＤ−ＲＯＭ）を含むが限られない。メモリ３０２３は、関連する命令及びデータを記憶するよう構成される。
【０２６３】
トランシーバ３０２２は、通信モジュール又はトランシーバ回路であってよく、ネットワークデバイスと端末デバイスとの間でデータ及びシグナリングのような情報を送信するよう構成される。本願のこの実施形態では、トランシーバ３０２２は、図１０に示される方法の実施形態におけるステップＳ２１を実行するよう構成される。
【０２６４】
プロセッサ３０２１は、コントローラ、中央演算処理装置（Central  Processing  Unit，ＣＰＵ）、汎用プロセッサ、デジタル信号プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field  Programmable  Gate  Array，ＦＰＧＡ）若しくは他のプログラム可能論理デバイス、トランジスタ論理デバイス、ハードウェア部品、又はそれらの組み合わせであってよい。プロセッサ３０２１は、本願の実施形態で開示される内容を参照して記載される様々な、例となる論理ブロック、モジュール、及び回路を実装又は実行してよい。代替的に、プロセッサ３０２１は、計算機能を実装するプロセッサの組み合わせ、例えば、１つのマイクロプロセッサ若しくはマイクロプロセッサの組み合わせ、又はＤＳＰとマイクロプロセッサとの組み合わせであってよい。本願のこの実施形態では、プロセッサ３０２１は、図１０に示される実施形態におけるステップＳ２０を実行するよう構成される。
【０２６５】
例えば、プロセッサ３０２１は、端末デバイスの変調及び符号化スキームＭＣＳレベルインジケータセットを決定するよう構成され、このとき、ＭＣＳレベルインジケータセットは、少なくとも１つのＭＣＳレベルインジケータ値を含み、ＭＣＳレベルインジケータ値は、変調及び符号化ポリシーを指示するために使用される。
【０２６６】
トランシーバ３０２２は、ＭＣＳレベルインジケータセットを端末デバイスへ送信するよう構成される。
【０２６７】
具体的な詳細については、図１０の上記の方法におけるネットワークデバイス側の記載を参照されたい。詳細は、ここで再び記載されない。
【０２６８】
図１８は、本願の実施形態に従う端末デバイスの論理構造の概略図である。端末デバイス４０１は、トランシーバユニット４０１１及び処理ユニット４０１２を含んでよい。
【０２６９】
トランシーバユニット４０１１は、端末デバイスのために決定されたＭＣＳレベルインジケータセットを受信するよう構成され、このとき、ＭＣＳレベルインジケータセットは、少なくとも１つのＭＣＳレベルインジケータ値を含み、ＭＣＳレベルインジケータ値は、変調及び符号化ポリシーを指示するために使用される。
【０２７０】
処理ユニット４０１２は、ＭＣＳレベルインジケータセットを記憶するよう構成される。
【０２７１】
トランシーバユニット４０１１は、図１０に示される方法の実施形態におけるステップＳ２２を実行するよう構成され、処理ユニット４０１２は、図１０に示される方法の実施形態におけるステップＳ２３を実行するよう構成されることが留意されるべきである。
【０２７２】
具体的な詳細については、図１０の上記の方法における端末デバイス側の記載を参照されたい。詳細は、ここで再び記載されない。
【０２７３】
図１９は、本願の実施形態に従う端末デバイス４０２を示す。端末デバイス４０２は、プロセッサ４０２１、トランシーバ４０２２、及びメモリ４０２３を含み、プロセッサ４０２１、メモリ４０２３、及びトランシーバ４０２２は、バスにより相互接続される。
【０２７４】
メモリ４０２３は、ＲＡＭ、ＲＯＭ、ＥＰＲＯＭ、又はＣＤ−ＲＯＭを含むが限られず、メモリ４０２４は、関連する命令及びデータを記憶するよう構成される。
【０２７５】
トランシーバ４０２２は、通信モジュール又はトランシーバ回路であってよく、ネットワークデバイスと端末デバイスとの間でデータ及びシグナリングのような情報を送信するよう構成される。本願のこの実施形態では、トランシーバ４０２２は、図１０に示される方法の実施形態におけるステップＳ２２を実行するよう構成される。
【０２７６】
プロセッサ４０２１は、コントローラ、ＣＰＵ、汎用プロセッサ、ＤＳＰ、ＡＳＩＣ、ＦＰＧＡ若しくは他のプログラム可能論理デバイス、トランジスタ論理デバイス、ハードウェア部品、又はそれらの組み合わせであってよい。プロセッサ４０２１は、本願の実施形態で開示される内容を参照して記載される様々な、例となる論理ブロック、モジュール、及び回路を実装又は実行してよい。代替的に、プロセッサ４０２１は、計算機能を実装するプロセッサの組み合わせ、例えば、１つのマイクロプロセッサ若しくはマイクロプロセッサの組み合わせ、又はＤＳＰとマイクロプロセッサとの組み合わせであってよい。本願のこの実施形態では、プロセッサ４０２１は、図１０に示される実施形態におけるステップＳ２３を実行するよう構成される。
【０２７７】
例えば、トランシーバ４０２２は、端末デバイスのために決定されたＭＣＳレベルインジケータセットを受信するよう構成され、このとき、ＭＣＳレベルインジケータセットは、少なくとも１つのＭＣＳレベルインジケータ値を含み、ＭＣＳレベルインジケータ値は、チャネル品質を指示するために使用される。
【０２７８】
プロセッサ４０２１は、ＭＣＳレベルインジケータセットを記憶するよう構成される。
【０２７９】
具体的な詳細については、図１０の上記の方法における端末デバイス側の記載を参照されたい。詳細は、ここで再び記載されない。
【０２８０】
実施プロセスにおいて、上記の方法のステップは、プロセッサ内のハードウェア集積論理回路を使用することによって、又はソフトウェアの形をとる命令を使用することによって、完了されてよい。本願の実施形態を参照して開示される方法のステップは、ハードウェアプロセッサによって直接実行され完了されてよく、あるいは、プロセッサ内のハードウェアとソフトウェアユニットとの組み合わせを使用することによって実行され完了されてもよい。ソフトウェアユニットは、ランダム・アクセス・メモリ、フラッシュメモリ、リード・オンリー・メモリ、プログラム可能リード・オンリー・メモリ、電気的消去可能なプログラム可能メモリ、又はレジスタのような、当該技術における成熟した記憶媒体に位置してよい。記憶媒体は、メモリに位置してよく、プロセッサは、メモリ内の命令を実行し、プロセッサ内のハードウェアと共同して上記の方法のステップを完了する。繰り返しを避けるために、詳細はここで再び記載されない。
【０２８１】
本明細書中の語「及び／又は」は、単に、関連するオブジェクトについて記載するための関連関係を表し、３つの関係が存在する可能性があることを意味する。例えば、Ａ及び／又はＢは、次の３つの場合：Ａのみが存在する、Ａ及びＢの両方が存在する、及びＢのみが存在する、を意味し得る。その上、本明細書中の文字「／」は、一般に、関連するオブジェクト間の“論理和”関係を示す。
【０２８２】
５Ｇ通信システムは、より高いシステム性能、より多くのサービスタイプ、異なる配置シナリオ、及びより広いスペクトル範囲をサポートすることを目指す。サービスタイプは、主に、増強されたモバイルブロードバンド（enhanced  Mobile  Broadband，ｅＭＢＢ）サービス、大規模マシンタイプ通信（Massive  Machine  Type  Communication，ｍＭＴＣ）サービス、超高信頼且つ低遅延通信（Ultra-reliable  and  low  latency  communications，ＵＲＬＬＣ）サービス、マルチメディア・ブロードキャスト・マルチキャスト・サービス（Multimedia  Broadcast  Multicast  Service，ＭＢＭＳ）、ポジショニングサービス、等を含む。配置シナリオは、主に、屋内ホットスポット（Indoor  hotspot）シナリオ、密集した都市（dense  urban）シナリオ、地方シナリオ、都市マクロ（Urban  Macro）シナリオ、高速鉄道シナリオ、等を含む。より広いスペクトル範囲は、主に、最大１００ＧＨｚまでのスペクトル範囲である。すなわち、スペクトル範囲は、６ＧＨｚに満たない低周波部分と、６ＧＨｚから１００ＧＨｚの範囲に及ぶ高周波部分とを含む。
【０２８３】
４Ｇ通信システムと比較して、５Ｇ通信システムの１つの特徴は、ＵＲＬＬＣサービスがサポートされることである。多数のＵＲＬＬＣサービスタイプ、例えば、産業制御、工業的製造プロセス自動化、人とコンピュータとの対話、及び遠隔医療がある。５Ｇシステムを設計するためのリファレンス入力及び評価基準を提供するようにＵＲＬＬＣサービスの性能インジケータをより良く量子化するために、第３世代パートナーシッププロジェクト（3rd  Generation  Partnership  Project，３ＧＰＰ）無線アクセスネットワーク（Radio  Access  Network，ＲＡＮ）及びＲＡＮ１作業部会は、ＵＲＬＬＣサービスの次の性能インジケータを定義する。
【０２８４】
レイテンシは、ユーザアプリケーションレイヤパケットのサービス・データ・ユニット（Service  Data  Unit，ＳＤＵ）が送信端の無線プロトコルスタックレイヤ２／３から受信端の無線プロトコルスタックレイヤ２／３へ送信されるときに必要とされる伝送時間である。ＵＲＬＬＣサービスのアップリンクユーザプレーンレイテンシ要件及びダウンリンクユーザプレーンレイテンシ要件は両方とも０．５ｍｓであり、上記の要件は、基地局も端末も不連続受信（ＤＲＸ）状態にないときにのみ適用可能である。ここで、０．５ｍｓの性能要件は、データパケットの平均レイテンシを意味し、次の信頼性要件とは結び付けられないことが留意されるべきである。
【０２８５】
信頼性は、所与のチャネル品質条件で特定の時間（Ｌ秒）に送信端から受信端へＸビットが正確に送信される成功確率である。上記の時間はまた、ユーザアプリケーションレイヤパケットのサービス・データ・ユニット（Service  Data  Unit，ＳＤＵ）が送信端の無線プロトコルスタックレイヤ２／３から受信端の無線プロトコルスタックレイヤ２／３へ送信されるときに必要とされる時間としても定義される。ＵＲＬＬＣサービスについて、典型的な要件は、１ｍｓで９９．９９９％の信頼性を達成することである。
【０２８６】
上記の性能インジケータは、一例にすぎないことが留意されるべきである。具体的に、ＵＲＬＬＣサービスは異なる信頼性要件を有してもよい。例えば、いくつかの極度に細かい産業制御要件は、０．２５ｍｓのエンド間レイテンシで９９．９９９９９９９％の伝送成功確率を必要とする。
【０２８７】
システム容量は、ユーザ割り込みなしでシステム達成することができる最大スループットである。ここで、ユーザ割り込みは、システムが特定のレイテンシ範囲で信頼性要件を満足することができないことを意味する。
【０２８８】
従来の解決法では、端末デバイスは、ＢＬＥＲに対応するチャネル品質インジケータ（Channel  Quality  Indicator，ＣＱＩ）インデックスを使用することによって、ネットワークデバイスと端末デバイスとの間のチャネル品質を示す。具体的には、端末デバイスは、全てのブロックエラーレートに対応するＣＱＩインデックスをフィードバックし得る。しかし、チャネル環境が変化する場合に、全てのブロックエラーレートに対応するＣＱＩインデックスが従来の解決法でフィードバックされるとき、ＣＱＩインデックスをフィードバックするシグナリングオーバーヘッドは比較的に高い。
【０２８９】
図２０は、本願の実施形態に従う通信方法の略フローチャートである。
【０２９０】
通信方法は、少なくとも１つのブロックエラーレートＢＬＥＲセットをサポートするシステムに適用され、少なくとも１つのＢＬＥＲセットの第１ＢＬＥＲセットは、第１ＢＬＥＲサブセット及び第２ＢＬＥＲサブセットを含み、第１ＢＬＥＲサブセットは少なくとも１つのＢＬＥＲを含み、第２ＢＬＥＲサブセットは少なくとも１つのＢＬＥＲを含む。
【０２９１】
本願のこの実施形態におけるＢＬＥＲは１０％、１％、０．１％、又は０．００１％であってよく、あるいは、他のタイプであってもよいことが理解されるべきである。これは、本願において限られない。
【０２９２】
任意に、第１ＢＬＥＲセットは、少なくとも１つのＢＬＥＲセットの任意の１つであってよく、すなわち、少なくとも１つのＢＬＥＲセットの他のＢＬＥＲセットも、第１ＢＬＥＲサブセット及び第２ＢＬＥＲサブセットを含んでよい。これは、本願において限られない。
【０２９３】
本願のこの実施形態では、端末デバイスは、第１ＢＬＥＲサブセットとして、ネットワークデバイスへ送信される必要があるチャネル品質パラメータ絶対値に対応し且つ各ＢＬＥＲセットに含まれる少なくとも１つのＢＬＥＲを含むセットを決定し、すなわち、異なるＢＬＥＲセット内の第１ＢＬＥＲサブセットに特に含まれるＢＬＥＲは、同じであっても又は異なってもよい。
【０２９４】
任意に、少なくとも１つのＢＬＥＲセットにおける第１ＢＬＥＲセットに含まれるＢＬＥＲ及び他のＢＬＥＲセットに含まれるＢＬＥＲは、完全に同じであっても、あるいは、部分的に同じであっても、あるいは、完全に異なってもよい。これは、本願において限られない。
【０２９５】
２００１．端末デバイスは、第１ＢＬＥＲサブセット内の各ＢＬＥＲに対応するチャネル品質パラメータを決定する。
【０２９６】
端末デバイスは、第１ＢＬＥＲセットに含まれる第１ＢＬＥＲサブセット内の各ＢＬＥＲに対応するチャネル品質パラメータを決定してよく、あるいは、システムに含まれる少なくとも１つのＢＬＥＲセットの全てにおける全ての第１ＢＬＥＲサブセット内の全てのＢＬＥＲに対応するチャネル品質パラメータを決定してもよい。これは、本願において限られない。
【０２９７】
任意に、チャネル品質パラメータは、信号対干渉及び雑音比（Signal  to  Interference  plus  Noise  Ratio，ＳＩＮＲ）であってよく、あるいは、ＣＱＩインデックスであってもよい。
【０２９８】
２００２．端末デバイスは、ネットワークデバイスに対して、第１ＢＬＥＲサブセット内の各ＢＬＥＲに対応するチャネル品質パラメータを送信する。
【０２９９】
相応して、ネットワークデバイスは、第１ＢＬＥＲサブセット内の各ＢＬＥＲに対応する、端末デバイスによって送信されるチャネル品質パラメータを受信する。
【０３００】
２００３．ネットワークデバイスは、第１ＢＬＥＲサブセット内の各ＢＬＥＲに対応するチャネル品質パラメータ、及び第２ＢＬＥＲサブセット内の少なくとも１つのＢＬＥＲに対応するチャネル品質パラメータと第１ＢＬＥＲサブセット内の少なくとも１つのＢＬＥＲに対応するチャネル品質パラメータとの間のチャネル品質パラメータ差に基づいて、第２ＢＬＥＲサブセット内の各ＢＬＥＲに対応するチャネル品質パラメータを決定する。
【０３０１】
具体的に、ネットワークデバイスは、第１ＢＬＥＲサブセット内の各ＢＬＥＲに対応するチャネル品質パラメータのみを受信し、第２ＢＬＥＲサブセット内の少なくとも１つのＢＬＥＲに対応するチャネル品質パラメータと第１ＢＬＥＲサブセット内の少なくとも１つのＢＬＥＲに対応するチャネル品質パラメータとの間の少なくとも１つのチャネル品質パラメータ差に基づいて、第２ＢＬＥＲサブセット内の少なくとも１つのＢＬＥＲに対応するチャネル品質パラメータを決定し得る。２つのＢＬＥＲに対応するチャネル品質パラメータ間のチャネル品質パラメータ差は、基本的に、一定条件で一貫性を保たれる。従って、本願のこの実施形態では、チャネル環境が変化する場合に、端末デバイスは、第１ＢＬＥＲサブセット内のあるＢＬＥＲに対応するチャネル品質パラメータを送信することによるだけで、第１ＢＬＥＲセット内の全てのＢＬＥＲに対応するチャネル品質パラメータを知ることができ、それにより、端末デバイスは、チャネル環境が変化するときに第１ＢＬＥＲセット内の全てのＢＬＥＲに対応するチャネル品質パラメータを送信しないようにされ、それによって、品具リングオーバーヘッドは低減される。
【０３０２】
ここで、一定条件は、伝送モード又は移動速度又はチャネル環境（例えば、都市環境若しくは地方環境）であってよいことが理解されるべきである。
【０３０３】
任意に、少なくとも１つのチャネル品質パラメータ差は、表、集合、又は値であってよい。
【０３０４】
例えば、第１ＢＬＥＲサブセットが１つのＢＬＥＲ（第１ＢＬＥＲが説明のための例として使用される。）しか含まない場合に、ネットワークデバイスは、第１ＢＬＥＲに対応する受信されたチャネル品質パラメータ、及び第１ＢＬＥＲに対応するチャネル品質パラメータと第２ＢＬＥＲサブセット内の少なくとも１つのＢＬＥＲに対応するチャネル品質パラメータとの間のチャネル品質パラメータ差に基づいて、第２ＢＬＥＲサブセット内の少なくとも１つのＢＬＥＲに対応するチャネル品質パラメータを決定し得る。
【０３０５】
具体的に、表１に示されるように、第１ＢＬＥＲサブセットに含まれるＢＬＥＲは１０％であってよく、第２ＢＬＥＲサブセットに含まれるＢＬＥＲは１％、０．１％、０．０１％、又は０．００１％であってよい。ネットワークデバイスは、１０％に対応する、端末デバイスによって送信されるＣＱＩを受信し、この値及び表１中のＣＱＩレベル差に基づいて、夫々１％、０．１％、０．１％、及び０．００１％に対応するＣＱＩを決定し得る。
【表３】
2020523913.tif 000006
【０３０６】
表中の小数は、小数から変換される等価な符号レートが目標ＢＬＥＲ要件を満足することを示すことが留意されるべきである。例えば、第１ＢＬＥＲはＣＱＩ１に対応し、第１ＢＬＥＲに対応するＣＱＩ１と第２ＢＬＥＲに対応するＣＱＩ２との間の差は０．５である。ＣＱＩ１は１６ＱＡＭ及び０．５の符号レート１に対応し、ＣＱＩ１に隣接するＣＱＩレベルは、１６ＱＡＭ及び０．７５の符号レート２に対応する。この場合に、ＣＱＩ２は、１６ＱＡＭ及び０．５＋（０．７５−０．５）×０．５（符号レート１＋（符号レート２−符号レート１）×ＣＱＩレベル差）の符号レートに対応する。
【０３０７】
第１ＢＬＥＲサブセットは、これらのＢＬＥＲについてフィードバックされる必要があるチャネル品質パラメータの絶対値を記述する便宜のためであることが留意されるべきである。
【０３０８】
例えば、第１ＢＬＥＲセットは、第１ＢＬＥＲ及び第２ＢＬＥＲしか含まなくてもよい。このように、ネットワークデバイスは、第１ＢＬＥＲに対応する受信されたチャネル品質パラメータ、及び第１ＢＬＥＲに対応するチャネル品質パラメータと第２ＢＬＥＲに対応するチャネル品質パラメータとの間のチャネル品質パラメータ差に基づいて、第２ＢＬＥＲに対応するチャネル品質パラメータを決定し得る。
【０３０９】
任意に、本願のこの実施形態では、少なくとも１つのチャネル品質パラメータ差は、プロトコルで指定されてよく、あるいは、前もってネットワークデバイスに対して端末デバイスによって送信されてもよい。これは、本願において限られない。
【０３１０】
任意に、端末デバイスは、周期的に又は実時間において少なくとも１つのチャネル品質パラメータ差を報告してよい。
【０３１１】
任意に、ネットワークデバイスがチャネル品質パラメータ差を必要とする場合に、ネットワークデバイスは、端末デバイスにチャネル品質パラメータ差を報告させるように、チャネル品質パラメータ要求を端末デバイスへ送信してよく、それによって、リソースの浪費は回避される。
【０３１２】
任意に、端末デバイスは、１つのチャネル品質パラメータ差しか報告しなくてもよく、他のチャネル品質パラメータ差は補間により取得され、それによって、シグナリングオーバーヘッドは更に低減される。２つのＢＬＥＲに対応するチャネル品質パラメータ差しか以下の実施形態において表中に存在しない場合に、ＢＬＥＲの複数のグループに対応するチャネル品質パラメータ差は補間により取得され得る。繰り返しを避けるために、詳細は、以下の実施形態では記載されない。
【０３１３】
例えば、表２に示されるように、端末デバイスは、同じ環境における１０％に対応するＣＱＩと０．００１％に対応するＣＱＩとの間のＣＱＩレベル差しか報告しない。端末デバイスが１０％に対応するＣＱＩ１を受信する場合に、端末デバイスは、表２に基づいて、０．００１％に対応するＣＱＩ２を決定し得る。端末デバイスは更に、補間により１０％、０．００１％、ＣＱＩ１、及びＣＱＩ２に基づいて表１中のＣＱＩレベル差を決定し得る。
【表４】
2020523913.tif 000007
【０３１４】
任意に、システムが少なくとも２つのＢＬＥＲセットを含む場合に、少なくとも２つのＢＬＥＲセット内の全てのＢＬＥＲに対応するＣＱＩレベルは、互いに異なることがある。このように、ＣＱＩレベル差は、まさに、ＳＩＮＲのチャネル品質パラメータ差であることができ、それによって、第２ＢＬＥＲサブセット内のあるＢＬＥＲに対応するチャネル品質パラメータを決定する精度は改善される。
【０３１５】
任意に、異なるＢＬＥＲに対応するＣＱＩレベル差は、異なる伝送モードにおいて異なることがある。例えば、表３に示されるように、２つのＢＬＥＲに対応するチャネル品質間のチャネル品質差の複数の値が存在してよく、夫々の差は、１つのＣＱＩレベル差インデックスに対応する。
【表５】
2020523913.tif 000008
【０３１６】
例えば、表４又は表５は、異なるＣＱＩにおいてＢＬＥＲの対に別々に対応するチャネル品質パラメータのチャネル品質パラメータ差を示す。
【表６】
2020523913.tif 000009
【表７】
2020523913.tif 000010
【０３１７】
本願のこの実施形態におけるＣＱＩレベルは、プロトコルで定義されるＣＱＩレベルの全て又は一部であってよいことが理解されるべきである。表４及び表５は、単に、ほんの８つのＣＱＩレベルを一例として使用することによって記載される。しかし、本願は、これらに限られない。
【０３１８】
表５では、ＣＱＩレベルがＣＱＩ１である場合に、対応するＢＬＥＲセットは１０％、１％、０．１％、０．０１％、及び０．００１％を含んでよいことが更に理解されるべきである。この場合に、ＣＱＩレベル差は、ＣＱＩ１が表５中で位置する列に対応するＣＱＩレベル差であってよい。ＢＬＥＲ＝１０％がＣＱＩ１に対応することが知られる場合に、ＢＬＥＲ＝１％に対応するＣＱＩは、次のように計算され得る：ＣＱＩ１＋（ＣＱＩ２−ＣＱＩ１）＋０．５）。
【０３１９】
任意に、端末デバイスは、ＣＱＩレベルの一部でのみＢＬＥＲの対に対応するチャネル品質パラメータのチャネル品質パラメータ差をフィードバックしてよく、それによって、シグナリングオーバーヘッドを低減する。
【０３２０】
例えば、表４に示されるように、端末デバイスは、ＣＱＩ５、ＣＱＩ６、ＣＱＩ７、及びＣＱＩ８でのみ１０％に対応するチャネル品質パラメータと０．００１％に対応するチャネル品質パラメータとの間のチャネル品質パラメータ差をフィードバックしてよい。
【０３２１】
任意に、ＣＱＩレベルの一部は、奇数のＣＱＩレベル若しくは偶数のＣＱＩレベル、粗粒度でのＣＱＩレベル、又はサンプリングされたＣＱＩレベルであってよい。サンプリングされたＣＱＩレベルは、一様にサンプリングされたＣＱＩレベル又は非一様にサンプリングされたＣＱＩレベルであってよい。ＣＱＩレベルが増大するにつれて、隣接するＣＱＩレベルに対応するＣＱＩレベル差の間の差は大きくなり、一様なＣＱＩレベル差は非一様サンプリングにより取得され得、それによって、シグナリングオーバーヘッドは低減される。
【０３２２】
任意に、システムが少なくとも２つのＢＬＥＲセットを含む場合に、少なくとも２つのＢＬＥＲセットは、複数の符号レート（coderate）に対応し得る。この場合に、ＣＱＩレベル差は、より正確であることができ、それによって、第２ＢＬＥＲサブセット内のあるＢＬＥＲに対応するチャネル品質パラメータを決定する精度は改善される。
【０３２３】
例えば、端末デバイスは、代替的に、異なる符号レートでＢＬＥＲの対に対応するＣＱＩのＣＱＩレベル差をフィードバックしてもよい。Ｃｏｄｅｒａｔｅ＝０．１の場合に、ＢＬＥＲ＝１に対応するＣＱＩとＢＬＥＲ＝０．０００１に対応するＣＱＩとの間のＳＩＮＲ差は２ｄＢであり、対応するＣＱＩレベル差は１である。Ｃｏｄｅｒａｔｅ＝０．９の場合に、ＢＬＥＲ＝１に対応するＣＱＩとＢＬＥＲ＝０．０００１に対応するＣＱＩとの間のＳＩＮＲ差は２ｄＢでありＳＩＮＲ差は４ｄＢであり、対応するＣＱＩレベル差は２である。
【０３２４】
実際に、変調、符号レート、及びＣＱＩレベルの間には対応が存在することが留意されるべきである。例えば、変調がＱＰＳＫである場合に、Ｃｏｄｅｒａｔｅ＝０．１は、対応するＣＱＩレベルが０であることを示し、変調がＱＰＳＫである場合に、Ｃｏｄｅｒａｔｅ＝０．２は、対応するＣＱＩレベルが１であることを示す、等。
【０３２５】
任意に、異なる端末デバイスのＢＬＥＲ−ＳＩＮＲ傾き値は異なる。従って、図２１に示されるように、独立したチャネル品質パラメータ差が、異なる端末デバイスに対して使用され得る。
【０３２６】
任意に、システムが少なくとも２つのＢＬＥＲセットを含む場合に、少なくとも２つのＢＬＥＲセット内のＢＬＥＲは、複数の伝送モードに対応し得る。このように、ＳＩＮＲ差は、まさに、伝送モードのＳＩＮＲ差であることができ、それによって、第２ＢＬＥＲサブセット内のあるＢＬＥＲに対応するチャネル品質パラメータを決定する精度は改善される。
【０３２７】
任意に、伝送モードは、アンテナポート構成及び／又は多入力多出力（Multiple  Input  Multiple  Output，ＭＩＭＯ）前処理モードを含む。
【０３２８】
アンテナポート構成は、具体的に、１×１（すなわち、１つの送信ポート及び１つの受信ポート）、１×２、２×２、等であってよいことが理解されるべきである。前処理モードは、伝送ダイバーシティ、プリコーディング、及びビームフォーミングの中の少なくとも１つを含んでよい。
【０３２９】
ＭＩＭＯは、単入力単出力（Single  Input  Single  Output，ＳＩＳＯ）、単入力多出力（Single  Input  Multiple  Output，ＳＩＭＯ）、及び多入力単出力（Multiple  Input  Single  Output，ＭＩＳＯ）を含むことが更に理解されるべきである。
【０３３０】
例えば、表６は、異なる伝送モードにおいて１０％のＢＬＥＲに対応するＣＱＩレベルと０．００１％のＢＬＥＲに対応するＣＱＩレベルとの間のＣＱＩレベル差を示す。
【表８】
2020523913.tif 000011
【０３３１】
任意に、異なる伝送モードにおいて異なるＢＬＥＲに対応するＣＱＩレベル差は、異なることがある。例えば、表７及び表８に示されるように、２つのＢＬＥＲに対応するチャネル品質の間のチャネル品質差の複数の値が存在し得る。
【０３３２】
任意に、ネットワークデバイスは、伝送モードに基づき、適切なＣＱＩレベル差を選択してよい。
【０３３３】
任意に、端末デバイスは更に、指示情報をネットワークデバイスへ送信してよく、このとき、指示情報は、ネットワークデバイスによって、複数のＣＱＩレベル差から１つのＣＱＩレベル差を決定するために使用される。以下の実施形態では、チャネル品質パラメータが複数の値を含む場合に、複数の値の中の１つが、端末デバイスによって送信された指示情報に従って決定され得る。繰り返しを避けるために、詳細は、以下の実施形態では記載されない。
【表９】
2020523913.tif 000012
【表１０】
2020523913.tif 000013
【０３３４】
任意に、システムが少なくとも２つのＢＬＥＲセットを含む場合に、本願のこの実施形態では、少なくとも２つのＢＬＥＲセットの夫々は、ＣＱＩレベル及び伝送モードに基づき、より具体的に分割され得る。
【０３３５】
例えば、表９に示されるように、伝送モード１及びＣＱＩ１は、１つのＢＬＥＲセットに対応する。
【表１１】
2020523913.tif 000014
【０３３６】
任意に、ＢＬＥＲの対に対応する変調及び符号化の差も、ＳＩＮＲ差を使用することによって決定され得る。
【０３３７】
例えば、表１０又は表１１に示されるように、ＢＬＥＲ＝１０％に対応するＳＩＮＲとＢＬＥＲ＝０．００１％に対応するＳＩＮＲとの間のＳＩＮＲ差は２である。
【表１２】
2020523913.tif 000015
【表１３】
2020523913.tif 000016
【０３３８】
同様に、表１２又は表１３に示されるように、ＳＩＮＲ差はまた、異なる伝送モードで複数の値を含み得る。
【表１４】
2020523913.tif 000017
【表１５】
2020523913.tif 000018
【０３３９】
任意に、本願のこの実施形態では、例えば、表１４、表１５及び表１６に示されるように、夫々のＢＬＥＲセットは、より具体的に分割され得る。
【表１６】
2020523913.tif 000019
【表１７】
2020523913.tif 000020
【表１８】
2020523913.tif 000021
【０３４０】
任意に、少なくとも１つのＢＬＥＲセットの中のＢＬＥＲセットは、複数の伝送モードに対応し得る。例えば、表１７は、異なる伝送モードにおいて２つのＢＬＥＲに対応するＳＩＮＲ差を示し、表１８は、他の条件によって提供を及ぼされる、２つのＢＬＥＲに対応するＳＩＮＲ差を示し得る。
【表１９】
2020523913.tif 000022
【表２０】
2020523913.tif 000023
【０３４１】
任意に、表１９及び表２０に示されるように、少なくとも１つのＢＬＥＲセットの中の夫々のＢＬＥＲセットは、伝送モード及びＣＱＩレベルに基づき分割され得る。
【表２１】
2020523913.tif 000024
【表２２】
2020523913.tif 000025
【０３４２】
任意に、端末デバイスは更に、チャネル品質パラメータ差のインデックス値をネットワークデバイスへ送信してよく、このとき、チャネル品質パラメータ差のインデックス値は、チャネル品質パラメータ差と一対一の対応にある。ネットワークデバイスは、チャネル品質パラメータ差のインデックス値に基づき、対応するチャネル品質パラメータ差を決定し得る。
【０３４３】
具体的に、ネットワークデバイスは、２つのＢＬＥＲに対応するチャネル品質パラメータの間の複数のチャネル品質パラメータ差を知り得るが、どの差が２つのＢＬＥＲに対応するチャネル品質パラメータの間の現在の差であるのかを具体的に知ることはできない。この場合に、ネットワークデバイスは、端末デバイスによって送信されるチャネル品質パラメータ差のインデックス値に基づいて、２つのＢＬＥＲに対応するチャネル品質パラメータの間の複数の差のうちのどの１つが具体的にチャネル品質パラメータ差であるのかを決定することができ、それにより、第２ＢＬＥＲサブセット内の各ＢＬＥＲに対応するチャネル品質パラメータが正確に決定され得、それによって、チャネル品質を決定する精度は改善される。
【０３４４】
任意に、チャネル品質パラメータがＣＱＩレベルである場合に、端末デバイスによって報告されるＣＱＩレベル差は、ＣＱＩインデックスを使用することによって表されてよい。
【０３４５】
具体的に、ＣＱＩレベル差とＣＱＩレベル差インデックスとの間の対応は、表２１に示されている。例えば、２つのＢＬＥＲに対応するＣＱＩレベル差が４であると端末デバイスが決定する場合に、端末デバイスは、３であるＣＱＩレベル差インデックスをネットワークデバイスへ送信してよく、それにより、ネットワークデバイスは、３であるＣＱＩレベル差インデックスに基づき、２つのＢＬＥＲに対応するＣＱＩレベル差が４であると決定することができる。
【表２３】
2020523913.tif 000026
【０３４６】
任意に、ネットワークデバイスは、チャネル品質パラメータ要求を端末デバイスへ送信し、このとき、チャネル品質パラメータ要求は、システムに含まれる少なくとも１つのＢＬＥＲセットの中のあるＢＬＥＲセット内の第２ＢＬＥＲサブセットの各ＢＬＥＲに対応するチャネル品質パラメータと、第１ＢＬＥＲサブセットの少なくとも１つのＢＬＥＲに対応するチャネル品質パラメータとの間の少なくとも１つのチャネル品質パラメータ差を要求するために使用されてよい。相応して、端末デバイスは、ネットワークデバイスに対して、チャネル品質パラメータ要求に従って、チャネル品質パラメータ要求を使用することによって要求された少なくとも１つのチャネル品質パラメータ差を報告する。
【０３４７】
任意に、ネットワークデバイスは、チャネル品質パラメータ要求を運ぶために上位レイヤシグナリング又は物理レイヤシグナリングを使用してよい。
【０３４８】
例えば、ネットワークデバイスは、第１ＢＬＥＲセット内の第２ＢＬＥＲサブセットの各ＢＬＥＲに対応するチャネル品質パラメータと、第１ＢＬＥＲサブセットの少なくとも１つのＢＬＥＲに対応するチャネル品質パラメータとの間の少なくとも１つのチャネル品質パラメータ差を要求するために使用されるチャネル品質パラメータ要求を運ぶために上位レイヤシグナリング又は物理レイヤシグナリングを使用してよい。チャネル品質パラメータ要求は、伝送方法１で及び／又はあるＳＩＮＲでＢＬＥＲ＝１０％及びＢＬＥＲ＝０．００１％に対応するＣＱＩレベル差を報告するように端末デバイスに要求するために使用されてよい。
【０３４９】
任意に、チャネル品質パラメータ要求は更に、少なくとも１つのＢＬＥＲに対応する特定の数量のチャネル品質パラメータ差を要求するために使用されてもよい。
【０３５０】
例えば、チャネル品質パラメータ要求は、４つのＳＩＮＲでのＢＬＥＲに対応するＣＱＩレベル差を要求するために使用されてよい。このように、上記の上位レイヤシグナリング又は上記の物理レイヤシグナリングを受信した後に、端末デバイスは、ＢＬＥＲ＝１０％及びＢＬＥＲ＝０．００１％に対応する０、１、２及び３の４つのＣＱＩレベル差を報告する。４つのＣＱＩレベル差は、異なるＳＩＮＲに別々に対応し得る。
【０３５１】
任意に、ネットワークデバイスは、チャネル品質パラメータ要求を使用することによって、システム内のＢＬＥＲセットの一部におけるＢＬＥＲ間のチャネル品質パラメータ差を要求してもよい。
【０３５２】
例えば、チャネル品質パラメータ要求は、ＢＬＥＲ＝１０％及びＢＬＥＲ＝０．００１％、ＢＬＥＲ＝１０％及びＢＬＥＲ＝０．０１％、ＢＬＥＲ＝１０％及びＢＬＥＲ＝０．１％、並びにＢＬＥＲ＝１０％及びＢＬＥＲ＝１％に対応する４つのＣＱＩレベル差を報告するように端末デバイスに要求するために使用されてよい。
【０３５３】
任意に、端末デバイスは、チャネル品質パラメータ要求を端末デバイスへ送信し、このとき、チャネル品質パラメータ要求は、少なくとも１つのＢＬＥＲセットの夫々における第１ＢＬＥＲサブセット内の少なくとも１つのＢＬＥＲに対応するチャネル品質パラメータと、第２ＢＬＥＲサブセット内の各ＢＬＥＲに対応するチャネル品質パラメータとの間のチャネル品質パラメータ差を要求するために使用されてよい。相応して、端末デバイスは、ネットワークデバイスに対して、チャネル品質パラメータ要求に従って、チャネル品質パラメータ要求を使用することによって要求された少なくとも１つのチャネル品質パラメータ差を報告する。
【０３５４】
任意に、ネットワークデバイスは、チャネル品質パラメータ要求を運ぶために上位レイヤシグナリング又は物理レイヤシグナリングを使用してよく、あるいは、半静的な構成を使用することによって全てのＣＱＩレベル差セットを報告してもよい。
【０３５５】
従って、本願のこの実施形態においてチャネル品質を決定する方法によれば、ネットワークデバイスは、第１ＢＬＥＲセット内の第１ＢＬＥＲサブセットのＢＬＥＲに対応する、端末デバイスによって送信されるチャネル品質パラメータを受信し、第１ＢＬＥＲサブセットのいくつかのＢＬＥＲに対応するチャネル品質パラメータ、及び第２ＢＬＥＲサブセット内の各ＢＬＥＲに対応するチャネル品質パラメータと第１ＢＬＥＲサブセット内の少なくとも１つのＢＬＥＲに対応するチャネル品質パラメータとの間のチャネル品質パラメータ差に基づいて、第２ＢＬＥＲサブセット内の全てのＢＬＥＲに対応するチャネル品質パラメータを決定し得る。すなわち、ネットワークデバイスは、第１ＢＬＥＲセット内の全てのＢＬＥＲに対応するチャネル品質パラメータを決定することができ、従って、端末デバイスは、第１ＢＬＥＲセット内の全てのＢＬＥＲに対応するチャネル品質パラメータを送信する必要がなく、それによって、シグナリングオーバーヘッドは低減される。
【０３５６】
表２２は、従来の解決法におけるＣＱＩインデックスとスペクトル効率（Efficiency）との間の対応を示す。この従来の解決法では、１６個の状態が、４つのビットを使用することによって表示され得、ＣＱＩインデックスに対応する最低スペクトル効率は０．１５２３であり、すなわち、ユーザの主たるチャネル条件インターバルはカバーされ得る。
【表２４】
2020523913.tif 000027
【０３５７】
図２２は、本願の実施形態に従う通信方法の略フローチャートである。
【０３５８】
２２０１．端末デバイスは、対応表に基づいて指示情報を決定し、このとき、指示情報は、少なくとも１つのチャネル品質インジケータＣＱＩインデックスを指示するために使用され、対応表は、Ｎ個のＣＱＩインデックス、Ｍ個の変調スキーム、及びＫ個の符号レートパラメータを含み、Ｎ個のＣＱＩインデックスのうちの少なくとも１つは、変調スキームの１タイプに対応し、Ｎ個のＣＱＩインデックスのうちのＫ個は、Ｋ個の符号レートパラメータと一対一の対応にあり、Ｎ個のＣＱＩインデックスのうちの第１ＣＱＩインデックスに対応する符号レートと第１ＣＱＩインデックスに対応する変調スキームの変調次数との積は、０より大きく０．０７８１よりも小さい値であり、このとき、符号レートパラメータ＝符号レート×１０２４、Ｎ＞Ｍ、Ｎ≧Ｋ、且つ、Ｎ、Ｋ及びＭは全て正の整数である。
【０３５９】
Ｎ個のＣＱＩインデックスのうちの第１ＣＱＩインデックスに対応する符号レートと第１ＣＱＩインデックスに対応する変調スキームの変調次数との積が０よりも大きいことは、特定のＣＱＩインデックスではなく、Ｎ個のＣＱＩインデックスの中にこの条件を満足する１つのＣＱＩインデックスが存在することを意味することが留意されるべきである。
【０３６０】
具体的に、対応表は、表２３において示されてよく、ＣＱＩインデックスは、リザーブされた値に対応してよい。
【０３６１】
任意に、スペクトル効率、変調スキーム、及び符号レートパラメータは、次の関係を満足する：スペクトル効率＝変調スキームの変調次数×符号レート。
【表２５】
2020523913.tif 000028
【０３６２】
任意に、チャネル品質指示情報は、４よりも多いビットを含んでよく、ビットの値は、１６よりも多い状態を表現し得る。
【０３６３】
例えば、表２３で、５ビットは３２の状態を表し、３２の状態はリザーブされた（reserved）状態を含み得る。
【０３６４】
本願のこの実施形態で０．０７８１に満たないスペクトル効率は、表１３中の値以外の値であり得ることが理解されるべきである。これは、本願において限られない。
【０３６５】
任意に、Ｋ個の符号レートパラメータは、０より大きく４０よりも小さい値を含む。
【０３６６】
例えば、表２５に示されるように、符号レート値は１６、８、又は４であってよい。本願のこの実施形態で０より大きく４０よりも小さい符号レート値は、他の値であってもよいことが理解されるべきである。これは、本願において限られない。
【０３６７】
任意に、対応表内のＮ個のＣＱＩインデックスは、昇順に配置され、Ｎ個のＣＱＩインデックスのうちの最初のＰ個のＣＱＩインデックスの全部に対応する変調スキームの変調次数と最初のＰ個のＣＱＩインデックスの全部に対応する符号レートとの積は、昇順に配置され、（Ｐ＋ｈ）番目のＣＱＩインデックスに対応する変調スキームの変調次数と（Ｐ＋ｈ）番目のＣＱＩインデックスに対応する符号レートとの積は、Ｐ番目のＣＱＩインデックスに対応する変調スキームの変調次数とＰ番目のＣＱＩインデックスに対応する符号レートとの積よりも小さく、このとき、Ｎ＞Ｐ＋ｈ、ｈは１からＮ−Ｘの範囲の値であり、Ｘ＞Ｐである。
【０３６８】
具体的に、ＣＱＩインデックスに対応する０．０７８１に満たないスペクトル効率値は、最大スペクトル効率値の後ろに配置されてよく、それにより、端末デバイスは、必要に応じて、チャネル品質指示情報に含まれるビットの数量を決定することができる。
【０３６９】
例えば、表２４に示されるように、チャネル品質指示情報におけるビットの数量が限られている場合に、４ビットが１６の状態を表現するために使用される。ユーザがチャネル条件の悪いエリアをカバーする必要がある場合には、５ビットが表２４中の全ての状態をカバーするために使用される。
【表２６】
2020523913.tif 000029
【０３７０】
任意に、Ｐ番目のＣＱＩインデックスの後ろに順次に配置されるＣＱＩインデックスに対応するスペクトル効率は、昇順に配置されてよい。
【０３７１】
例えば、表２４に示される１６から２０のＣＱＩインデックスに対応するスペクトル効率は、ＣＱＩインデックスが増大するにつれて漸進的に下がり、すなわち、０．００３９から０．０７８１へ下がる。
【０３７２】
任意に、対応表は、上記の表から選択された部分であってよく、すなわち、状態の総数は減り、それによって、シグナリングオーバーヘッドは低減される。例えば、詳細は、表２５及び表２５に示される。
【表２７】
2020523913.tif 000030
【表２８】
2020523913.tif 000031
【０３７３】
任意に、ネットワークデバイスは、上位レイヤシグナリングを端末デバイスへ送信してよく、このとき、上位レイヤシグナリングは対応表を指示する。具体的に、端末デバイス及びネットワークデバイスは、表２３、表２４、表２５、又は表２６について合意してよい。ネットワークデバイスは、サービス又はチャネル環境に基づき、使用されるべき表を決定し、その使用されるべき対応表を指示するために上位レイヤシグナリングを送信してよい。任意に、端末デバイス及びネットワークデバイスは、デフォルトの表又は表中の対応の一部について合意してよい。チャネル品質指示範囲が変更される必要があるとネットワークデバイスが決定する場合に、すなわち、複数の表の中の１つ又は表中の対応の一部のみが必要とされる場合に、ネットワークデバイスは、表及び表中の対応の一部を指示するために上位レイヤシグナリングを端末デバイスへ送信する。このように、端末デバイスがネットワークデバイスによって指示された表を使用する場合に、現在のチャネル環境の指示要件が満足され得、シグナリングオーバーヘッドは低減され得る。
【０３７４】
２２０２．端末デバイスは、指示情報をネットワークデバイスへ送信する。相応して、ネットワークデバイスは、指示情報を受信する。
【０３７５】
２２０３．ネットワークデバイスは、指示情報に従って、少なくとも１つのＣＱＩインデックスに対応する変調及び符号化スキームを決定する。
【０３７６】
任意に、ネットワークデバイスは、指示情報によって示された少なくとも１つのＣＱＩインデックス及び対応表に基づいて、少なくとも１つのＣＱＩインデックスに対応する変調及び符号化スキームを決定し得る。
【０３７７】
任意に、ネットワークデバイスは、プロトコル合意に従って対応表内の各要素を決定しても、あるいは、端末のために前もって構成された対応表に基づいて対応表内の各要素を決定してもよい。
【０３７８】
任意に、少なくとも２つのＣＱＩインデックスは、少なくとも２つの変調スキームと一対一の対応にある。
【０３７９】
任意に、対応表内の全てのＣＱＩインデックスに対応する変調スキームにおいて、ＱＰＳＫ変調スキームの数量が最大であるか、あるいは、６４ＱＡＭ変調スキームの数量が最大であるか、あるいは、２５６ＱＡＭ変調スキームが含まれる。
【０３８０】
例えば、表２７は、低ＳＩＮＲ及び中間ＳＩＮＲをカバーし（すなわち、ＱＰＳＫ変調スキームの数量が比較的に多い。）、６４ＱＡＭ変調スキームをカバーすることができ、そして、広く適用される。
【表２９】
2020523913.tif 000032
【０３８１】
他の例として、表２８は、低ＳＩＮＲ、中間ＳＩＮＲ及び高ＳＩＮＲ（主たるＳＩＮＲ）をカバーし、すなわち、高ＣＱＩレベルは高ＳＩＮＲに対応し、低ＣＱＩレベルは低ＳＩＮＲに対応する。換言すれば、ユーザの伝送効率は保証され得、ユーザのロバスト伝送が保証され得る。
【表３０】
2020523913.tif 000033
【０３８２】
他の例として、表２９に示されるように、表２９は、中間ＳＩＮＲ及び高ＳＩＮＲをカバーし、低ＳＩＮＲインターバルでのＣＱＩレベルは疎であり、高ＳＩＮＲインターバルでのＣＱＩレベルは密である。これは、チャネル品質が比較的に良いユーザに適用可能であり、伝送効率を改善する。
【表３１】
2020523913.tif 000034
【０３８３】
任意に、ネットワークデバイスは、プロトコル合意に従って表２７、表２８、及び表２９において各ＣＱＩインデックスと変調スキームとの間の対応を決定してよく、あるいは、ネットワークデバイスは、端末デバイスのために表２７、表２８、及び表２９において各ＣＱＩインデックスと変調スキームとの間の対応を事前に設定する。
【０３８４】
従って、本願のこの実施形態では、端末デバイスは、対応表に基づいて指示情報を決定し、このとき、指示情報は、少なくとも１つのチャネル品質インジケータＣＱＩインデックスを指示するために使用され、対応表は、Ｎ個のＣＱＩインデックス、Ｍ個の変調スキーム、及びＫ個の符号レートパラメータを含み、Ｎ個のＣＱＩインデックスの中の少なくとも１つは変調スキームの１タイプに対応し、Ｎ個のＣＱＩインデックスの中のＫ個はＫ個の符号レートパラメータと一対一の対応にあり、Ｎ個のＣＱＩインデックスの中の第１ＣＱＩインデックスに対応する符号レートと第１ＣＱＩインデックスに対応する変調スキームの変調次数との積は０より大きく０．０７８１よりも小さい値であり、このとき、符号レートパラメータ＝符号レート×１０２４、Ｎ＞Ｍ、Ｎ≧Ｋ、且つ、Ｎ、Ｋ及びＭは全て正の整数であり、そして、端末デバイスは指示情報を送信し、それにより、ネットワークデバイスは、指示情報をに従って、少なくとも１つのＣＱＩインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【０３８５】
図２３は、本願の実施形態に従う通信方法の略フローチャートである。
【０３８６】
２３０１．ネットワークデバイスは、対応表に基づき指示情報を決定し、このとき、指示情報は、少なくとも１つの変調及び符号化スキーム（Modulation  and  Coding  Scheme，ＭＣＳ）インデックス値を指示するために使用され、対応表は、Ｎ個のＭＣＳインデックス、Ｍ個の変調スキーム、及びＫ個の符号レートパラメータを含み、Ｎ個のＭＣＳインデックスの中の少なくとも１つは変調スキームの１タイプに対応し、Ｎ個のＭＣＳインデックスの中のＫ個はＫ個の符号レートパラメータと一対一の対応にあり、Ｎ個のＭＣＳインデックスの中の第１ＭＣＳインデックスに対応する符号レートと第１ＭＣＳインデックスに対応する変調スキームの変調次数との積は０より大きく０．０７８１よりも小さい値であり、このとき、符号レートパラメータ＝符号レート×１０２４、Ｎ＞Ｍ、Ｎ≧Ｋ、且つ、Ｎ、Ｋ及びＭは全て正の整数である。
【０３８７】
例えば、詳細は、表３０及び表３１に示される。
【表３２】
2020523913.tif 000035
【表３３】
2020523913.tif 000036
【０３８８】
任意に、Ｋ個の符号レートパラメータは、０より大きく４０よりも小さい値を含む。
【０３８９】
任意に、表３２に示されるように、対応表内のＮ個のＭＣＳインデックスは、昇順に配置され、Ｎ個のＭＣＳインデックスのうちの最初のＰ個のＭＣＳインデックスに対応するスペクトル効率は、昇順に配置され、（Ｐ＋ｈ）番目のＭＣＳインデックスに対応するスペクトル効率は、Ｐ番目のＭＣＳインデックスに対応するスペクトル効率よりも小さく、このとき、Ｎ＞Ｐ＋ｈ且つｈ＝１，２，・・・である。
【表３４】
2020523913.tif 000037
【０３９０】
２３０２．端末デバイスは、ネットワークデバイスによって送信された指示情報を受信する。
【０３９１】
２３０３．端末デバイスは、対応表に基づいて、少なくとも１つのＭＣＳインデックスに対応する変調及び符号化スキームを決定する。
【０３９２】
本願のこの実施形態の実施は、図２２に示される実施形態の実施と同様であり得ることが理解されるべきである。繰り返しを避けるために、詳細は、ここで再び記載されない。
【０３９３】
従って、本願のこの実施形態における通信方法によれば、ネットワークデバイスは、対応表に基づいて指示情報を決定し、このとき、指示情報は、少なくとも１つのチャネル品質インジケータＭＣＳインデックスを指示するために使用され、対応表は、Ｎ個のＭＣＳインデックスと、Ｍ個の変調スキームと、Ｋ個の符号レートパラメータとを含み、Ｎ個のＭＣＳインデックスのうちの少なくとも１つは、変調スキームの１タイプに対応し、Ｎ個のＭＣＳインデックスのうちのＫ個は、Ｋ個の符号レートパラメータと一対一の対応にあり、Ｎ個のＭＣＳインデックスのうちの第１ＭＣＳインデックスに対応する符号レートと第１ＭＣＳインデックスに対応する変調スキームの変調次数との積は、０よりも大きく且つ０．０７８１よりも小さい値であり、符号レートパラメータ＝符号レート×１０２４、Ｎ＞Ｍ、Ｎ≧Ｋ、且つ、Ｎ、Ｋ及びＭは全て正の整数であり、そして、ネットワークデバイスは指示情報を送信し、それにより、端末デバイスは、指示情報に従って、少なくとも１つのＭＣＳインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【０３９４】
図２４は、本願の実施形態に従うネットワークデバイス２４００の略ブロック図である、図２４に示されるように、ネットワークデバイス２４００は、
端末デバイスによって送信される、第１ＢＬＥＲサブセット内の各ＢＬＥＲに対応するチャネルパラメータを受信するよう構成される受信モジュール２４１０であって、チャネル品質パラメータは、端末デバイスとネットワークデバイスとの間のチャネル品質を指示するために使用される、受信モジュール２４０１と、
少なくとも１つのチャネル品質パラメータ差及び第１ＢＬＥＲサブセット内の少なくとも１つのＢＬＥＲに対応するチャネル品質パラメータに基づいて、第２ＢＬＥＲサブセット内の少なくとも１つのＢＬＥＲに対応するチャネル品質パラメータを決定するよう構成される処理モジュール２４２０であって、少なくとも１つのチャネル品質パラメータ差は、第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間の差を含む、処理モジュール２４０２と
を含む。
【０３９５】
任意に、ネットワークデバイス２４００は、チャネル品質パラメータ要求を端末デバイスへ送信するよう構成される送信モジュールを更に含み、チャネル品質パラメータ要求は、第１ＢＬＥＲセット内の第２ＢＬＥＲサブセットの少なくとも１つのＢＬＥＲに対応するチャネル品質パラメータと第１ＢＬＥＲセット内の第１ＢＬＥＲサブセットの少なくとも１つのＢＬＥＲに対応するチャネル品質パラメータとの間の少なくとも１つのチャネル品質パラメータ差を要求するために使用される。受信モジュール２４１０は、第１ＢＬＥＲセット内の第２ＢＬＥＲサブセットの少なくとも１つのＢＬＥＲに対応するチャネル品質パラメータと第１ＢＬＥＲセット内の第１ＢＬＥＲサブセットの少なくとも１つのＢＬＥＲに対応するチャネル品質パラメータとの間の少なくとも１つのチャネル品質パラメータ差を受信するよう更に構成される。
【０３９６】
任意に、ネットワークデバイス２４００は、チャネル品質パラメータ要求を端末デバイスへ送信するよう構成される送信モジュールを更に含み、チャネル品質パラメータ要求は、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差を要求するために使用される。受信モジュール２４１０は、少なくとも１つのＢＬＥＲセットの夫々における第２ＢＬＥＲサブセット内の少なくとも１つのＢＬＥＲに対応するチャネル品質パラメータと、第２ＢＬＥＲサブセット内の少なくとも１つのＢＬＥＲに対応するチャネル品質パラメータとの間のチャネル品質パラメータ差を受信するよう更に構成される。
【０３９７】
任意に、少なくとも２つのＢＬＥＲセットをサポートするシステムに方法が適用される場合に、少なくとも２つのＢＬＥＲセットのうちのいずれか２つは、異なる伝送モードに対応する。
【０３９８】
任意に、伝送モードは、アンテナポート構成及び／又は多入力多出力ＭＩＭＯ前処理モードを含む。
【０３９９】
従って、本願のこの実施形態では、ネットワークデバイスは、端末デバイスによって送信される、第１ＢＬＥＲセット内の第１ＢＬＥＲのＢＬＥＲに対応するチャネル品質パラメータを受信し、第１ＢＬＥＲサブセット内のいくつかのＢＬＥＲに対応するチャネル品質パラメータ、及び第２ＢＬＥＲサブセット内の各ＢＬＥＲに対応するチャネル品質パラメータと第１ＢＬＥＲサブセット内の少なくとも１つのＢＬＥＲに対応するチャネル品質パラメータとの間のチャネル品質パラメータ差に基づいて、第２ＢＬＥＲサブセット内の全てのＢＬＥＲに対応するチャネル品質パラメータを決定し得る。すなわち、ネットワークデバイスは、第１ＢＬＥＲセット内の全てのＢＬＥＲに対応するチャネル品質パラメータを決定することができ、従って、端末デバイスは、第１ＢＬＥＲセット内の全てのＢＬＥＲに対応するチャネル品質パラメータを送信する必要がなく、それによって、シグナリングオーバーヘッドは低減される。
【０４００】
本願のこの実施形態におけるネットワークデバイス２４００は、本願の実施形態のデータ伝送方法２０００におけるネットワークデバイスに対応してよく、ネットワークデバイス２４００におけるモジュールの上記及び他の管理動作及び／又は機能は、上記の方法の対応するステップを実施するために別々に使用されることが理解されるべきである。簡潔さのために、詳細は、ここで再び記載されない。
【０４０１】
本願のこの実施形態では、受信モジュール２４１０は、トランシーバによって実施されてよく、処理モジュール２４２０は、プロセッサによって実施されてよい。図２５に示されるように、ネットワークデバイス２５００は、トランシーバ２５１０、プロセッサ２５２０、及びメモリ２５３０を含んでよい。メモリ２５３０は、指示情報を記憶するよう構成されてよく、更には、プロセッサ２５２０によって実行されるコード、命令、等を記憶するよう構成されてよい。
【０４０２】
図２６は、本願の実施形態に従う端末デバイス２６００の略ブロック図である。図２６に示されるように、端末デバイス２６００は、少なくとも１つのブロックエラーレートＢＬＥＲセットをサポートするシステムに適用され、少なくとも１つのＢＬＥＲセットの夫々は第１ＢＬＥＲサブセット及び第２ＢＬＥＲサブセットを含み、第１ＢＬＥＲサブセットは少なくとも１つのＢＬＥＲを含み、第２ＢＬＥＲサブセットは少なくとも１つのＢＬＥＲを含み、端末デバイス２６００は、
第１ＢＬＥＲサブセット内の各ＢＬＥＲに対応するチャネル品質パラメータを決定するよう構成される処理モジュール２６１０であって、チャネル品質パラメータは、端末デバイスとネットワークデバイスとの間のチャネル品質を指示するために使用される、処理モジュール２６１０と、
第１ＢＬＥＲサブセット内の各ＢＬＥＲに対応するチャネル品質パラメータをネットワークデバイスへ送信して、ネットワークデバイスが、少なくとも１つのチャネル品質パラメータ差及び第１ＢＬＥＲサブセット内の少なくとも１つのＢＬＥＲに対応するチャネル品質パラメータに基づいて、第２ＢＬＥＲサブセット内の少なくとも１つのＢＬＥＲに対応するチャネル品質パラメータを決定するようにするよう構成される送信モジュール２６２０であって、少なくとも１つのチャネル品質パラメータ差は、第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間の差を含む、送信モジュール２６２０と
を含む。
【０４０３】
任意に、端末デバイス２６００は、ネットワークデバイスによって送信されたチャネル品質パラメータ要求を受信するよう構成される受信モジュールを更に含み、チャネル品質パラメータ要求は、第１ＢＬＥＲセット内の第２ＢＬＥＲサブセットの少なくとも１つのＢＬＥＲに対応するチャネル品質パラメータと第１ＢＬＥＲセット内の第１ＢＬＥＲサブセットの少なくとも１つのＢＬＥＲに対応するチャネル品質パラメータとの間の少なくとも１つのチャネル品質パラメータ差を要求するために使用される。処理モジュール２６１０は、第１ＢＬＥＲセット内の第２ＢＬＥＲサブセットの少なくとも１つのＢＬＥＲに対応するチャネル品質パラメータと第１ＢＬＥＲセット内の第１ＢＬＥＲサブセットの少なくとも１つのＢＬＥＲに対応するチャネル品質パラメータとの間の少なくとも１つのチャネル品質パラメータ差をチャネル品質パラメータ要求に従ってネットワークデバイスへ送信することよう更に構成される。
【０４０４】
任意に、端末デバイス２６００は、ネットワークデバイスによって送信されたチャネル品質パラメータ要求を受信するよう構成される受信モジュールを更に含み、チャネル品質パラメータ要求は、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差を要求するために使用される。処理モジュール２６１０は、少なくとも１つのＢＬＥＲセットの夫々における第２ＢＬＥＲサブセット内の少なくとも１つのＢＬＥＲに対応するチャネル品質パラメータと、第２ＢＬＥＲサブセット内の少なくとも１つのＢＬＥＲに対応するチャネル品質パラメータとの間のチャネル品質パラメータ差をチャネル品質パラメータ要求に従ってネットワークデバイスへ送信するよう更に構成される。
【０４０５】
任意に、少なくとも２つのＢＬＥＲセットをサポートするシステムに方法が適用される場合に、少なくとも２つのＢＬＥＲセットのうちのいずれか２つは、異なるＣＱＩレベルに対応する。
【０４０６】
任意に、少なくとも２つのＢＬＥＲセットをサポートするシステムに方法が適用される場合に、少なくとも２つのＢＬＥＲセットのうちのいずれ２つは、異なる伝送モードに対応する。
【０４０７】
任意に、伝送モードは、アンテナポート構成及び／又は多入力多出力ＭＩＭＯ前処理モードを含む。
【０４０８】
従って、本願のこの実施形態では、端末デバイスは、第１ＢＬＥＲセット内の第１ＢＬＥＲサブセットの各ＢＬＥＲに対応するチャネル品質パラメータを送信し、第１ＢＬＥＲサブセット内のいくつかのＢＬＥＲに対応するチャネル品質パラメータ、及び第２ＢＬＥＲサブセット内の各ＢＬＥＲに対応するチャネル品質パラメータと第１ＢＬＥＲサブセット内の少なくとも１つのＢＬＥＲに対応するチャネル品質パラメータとの間のパラメータ差に基づいて、第２ＢＬＥＲサブセット内の全てのＢＬＥＲに対応するチャネル品質パラメータを決定する。すなわち、ネットワークデバイスは、第１ＢＬＥＲセット内の全てのＢＬＥＲに対応するチャネル品質パラメータを決定することができ、従って、端末デバイスは、第１ＢＬＥＲセット内の全てのＢＬＥＲに対応するチャネル品質パラメータを送信する必要がなく、それによって、シグナリングオーバーヘッドは低減される。
【０４０９】
本願のこの実施形態における端末デバイス２６００は、本願の実施形態のデータ伝送方法２０００における端末デバイスに対応してよく、端末デバイス２６００におけるモジュールの上記及び他の管理動作及び／又は機能は、上記の方法の対応するステップを実施するために別々に使用されることが理解されるべきである。簡潔さのために、詳細は、ここで再び記載されない。
【０４１０】
本願のこの実施形態では、送信モジュール２６２０は、トランシーバによって実施されてよく、処理モジュール２６１０は、プロセッサによって実施されてよい。図２７に示されるように、端末デバイス２７００は、トランシーバ２７１０、プロセッサ２７２０、及びメモリ２７３０を含んでよい。メモリ２７３０は、指示情報を記憶するよう構成されてよく、更には、プロセッサ２７２０によって実行されるコード、命令、等を記憶するよう構成されてよい。
【０４１１】
プロセッサ２５２０又はプロセッサ２７２０は、集積回路チップであってよく、信号処理機能を備えることが理解されるべきである。実施プロセスにおいて、上記の方法の実施形態のステップは、プロセッサ内のハードウェア集積論理回路を使用することによって、又はソフトウェアの形をとる命令を使用することによって、完了されてよい。プロセッサは、汎用プロセッサ、デジタル信号プロセッサ（Digital  Signal  Processor，ＤＳＰ）、特定用途向け集積回路（Application  Specific  Integrated  Circuit，ＡＳＩＣ）、フィールド・プログラマブル・ゲート・アレイ（Field  Programmable  Gate  Array，ＦＰＧＡ）若しくは他のプログラム可能な論理デバイス、ディスクリートゲート若しくはトランジスタ論理デバイス、又はディスクリートハードウェア部品であってよい。プロセッサは、本発明の実施形態で開示される方法、ステップ、及び論理ブロック図を実施又は実行してよい。汎用プロセッサは、マイクロプロセッサであってよく、あるいは、プロセッサは、如何なる従来のプロセッサ等であってもよい。本発明の実施形態を参照して開示される方法のステップは、ハードウェア復号化プロセッサによって直接実行され完了されてよく、あるいは、復号化プロセッサ内のハードウェアとソフトウェアモジュールとの組み合わせを使用することによって実行され完了されてもよい。ソフトウェアモジュールは、ランダム・アクセス・メモリ、フラッシュメモリ、リード・オンリー・メモリ、プログラム可能リード・オンリー・メモリ、電気的消去可能なプログラム可能メモリ、又はレジスタのような、当該技術における成熟した記憶媒体に位置してよい。記憶媒体は、メモリに位置してよく、プロセッサは、メモリ内の情報を読み出し、プロセッサ内のハードウェアと共同して上記の方法のステップを完了する。
【０４１２】
本発明の実施形態におけるメモリ２５３０又はメモリ２７３０は、揮発性メモリ又は不揮発性メモリであってよく、あるいは、揮発性メモリ及び不揮発性メモリの両方を含んでもよいことが理解され得る。不揮発性メモリは、リード・オンリー・メモリ（Read-Only  Memory，ＲＯＭ）、プログラム可能なリード・オンリー・メモリ（Programmable  ROM，ＰＲＯＭ）、消去可能なプログラム可能リード・オンリー・メモリ（Erasable  PROM，ＥＰＲＯＭ）、電気的消去可能なプログラム可能リード・オンリー・メモリ（Electrically  EPROM，ＥＥＰＲＯＭ）、又はフラッシュメモリであってよい。揮発性メモリは、ランダム・アクセス・メモリ（Random  Access  Memory，ＲＡＭ）であってよく、外部キャッシュとして使用される。限定ではなく例として、多くの形態のＲＡＭが使用されてよく、例えば、静的ランダム・アクセス・メモリ（Static  RAM，ＳＲＡＭ）、動的ランダム・アクセス・メモリ（Dynamic  RAM，ＤＲＡＭ）、同期型動的ランダム・アクセス・メモリ（Synchronous  DRAM，ＳＤＲＡＭ）、ダブル・データ・レート同期型動的ランダム・アクセス・メモリ（Double  Data  Rate  ＳＤＲＡＭ，ＤＤＲ  ＳＤＲＡＭ）、エンハンスド同期型動的ランダム・アクセス・メモリ（Enhanced  SDRAM，ＥＳＤＲＡＭ）、同期リンク動的ランダム・アクセス・メモリ（Synchronous  link  DRAM，ＳＬＤＲＡＭ）、及びダイレクト・ランバス・ランダム・アクセス・メモリ（Direct  Rambus  RAM，ＤＲ  ＲＡＭ）である。
【０４１３】
本明細書中で記載されるシステム及び方法におけるメモリは、これらのメモリ及び何らかの他の適切なタイプのメモリを含むが限られないことが留意されるべきである。
【０４１４】
本願の実施形態は、システムチップを更に提供し、システムチップは、入出力インターフェイス、少なくとも１つのプロセッサ、少なくとも１つのメモリ、及びバスを含む。少なくとも１つのメモリは、命令を記憶するよう構成され、少なくとも１つのプロセッサは、少なくとも１つのメモリの命令を呼び出して、上記の実施形態の方法における動作を実行するよう構成される。
【０４１５】
図２８は、本願の実施形態に従うリソース割り当てシステム２８００を示す。システム２８００は、
図２４に示される実施形態のネットワークデバイス２４００及び図２６に示される実施形態の端末デバイス２６００を含む。
【０４１６】
本願の実施形態は、コンピュータ記憶媒体を更に提供し、コンピュータ記憶媒体は、上記の方法のいずれかを実行するためのプログラム命令を記憶する。
【０４１７】
任意に、記憶媒体は、具体的に、メモリ２５３０又はメモリ２７３０であってよい。
【０４１８】
図２９は、本願の実施形態に従う端末デバイス２９００の略ブロック図である。図２９に示されるように、端末デバイス２９００は、
対応表に基づいて指示情報を決定するよう構成される処理モジュール２９１０であって、指示情報は、少なくとも１つのチャネル品質インジケータＣＱＩインデックスを指示するために使用され、対応表は、Ｎ個のＣＱＩインデックス、Ｍ個の変調スキーム、及びＫ個の符号レートパラメータを含み、Ｎ個のＣＱＩインデックスのうちの少なくとも１つは、変調スキームの１タイプに対応し、Ｎ個のＣＱＩインデックスのうちのＫ個は、Ｋ個の符号レートパラメータと一対一の対応にあり、Ｎ個のＣＱＩインデックスのうちの第１ＣＱＩインデックスに対応する符号レートと第１ＣＱＩインデックスに対応する変調スキームの変調次数との積は、０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、処理モジュール２９１０と、
指示情報をネットワークデバイスへ送信するよう構成される送信モジュール２９２０と
を含む。
【０４１９】
任意に、Ｋ個の符号レートパラメータは、０より大きく４０よりも小さい値を含む。
【０４２０】
任意に、対応表内のＮ個のＣＱＩインデックスは、昇順に配置され、Ｎ個のＣＱＩインデックスのうちの最初のＰ個のＣＱＩインデックスの全部に対応する変調スキームの変調次数と最初のＰ個のＣＱＩインデックスの全部に対応する符号レートとの積は、昇順に配置され、（Ｐ＋ｈ）番目のＣＱＩインデックスに対応する変調スキームの変調次数と（Ｐ＋ｈ）番目のＣＱＩインデックスに対応する符号レートとの積は、Ｐ番目のＣＱＩインデックスに対応する変調スキームの変調次数とＰ番目のＣＱＩインデックスに対応する符号レートとの積よりも小さく、このとき、Ｎ＞Ｐ＋ｈ、ｈは１からＮ−Ｘの範囲の値であり、Ｘ＞Ｐである。
【０４２１】
従って、本願のこの実施形態では、端末デバイスは、対応表に基づいて指示情報を決定し、このとき、指示情報は、少なくとも１つのチャネル品質インジケータＣＱＩインデックスを指示するために使用され、対応表は、Ｎ個のＣＱＩインデックス、Ｍ個の変調スキーム、及びＫ個の符号レートパラメータを含み、Ｎ個のＣＱＩインデックスの中の少なくとも１つは変調スキームの１タイプに対応し、Ｎ個のＣＱＩインデックスの中のＫ個はＫ個の符号レートパラメータと一対一の対応にあり、Ｎ個のＣＱＩインデックスの中の第１ＣＱＩインデックスに対応する符号レートと第１ＣＱＩインデックスに対応する変調スキームの変調次数との積は０より大きく０．０７８１よりも小さい値であり、このとき、符号レートパラメータ＝符号レート×１０２４、Ｎ＞Ｍ、Ｎ≧Ｋ、且つ、Ｎ、Ｋ及びＭは全て正の整数であり、そして、端末デバイスは指示情報を送信し、それにより、ネットワークデバイスは、指示情報をに従って、少なくとも１つのＣＱＩインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【０４２２】
本願のこの実施形態における端末デバイス２９００は、本願の実施形態の通信方法２２００における端末デバイスに対応してよく、端末デバイス２９００におけるモジュールの上記及び他の管理動作及び／又は機能は、上記の方法の対応するステップを実施するために別々に使用されることが理解されるべきである。簡潔さのために、詳細は、ここで再び記載されない。
【０４２３】
本願のこの実施形態では、送信モジュール２９２０は、トランシーバによって実施されてよく、処理モジュール２９１０は、プロセッサによって実施されてよい。図３０に示されるように、端末デバイス３０００は、トランシーバ３０１０、プロセッサ３０２０、及びメモリ３０３０を含んでよい。メモリ３０３０は、指示情報を記憶するよう構成されてよく、更には、プロセッサ３０２０によって実行されるコード、命令、等を記憶するよう構成されてよい。
【０４２４】
図３１は、本願の実施形態に従うネットワークデバイス３１００の略ブロック図である。図３１に示されるように、ネットワークデバイス３１００は、
指示情報を受信するよう構成される受信モジュール３１１０であって、指示情報は、少なくとも１つのチャネル品質インジケータＣＱＩインデックスを指示するために使用される、受信モジュール３１１０と、
対応表に基づいて、少なくとも１つのＣＱＩインデックスに対応する変調及び符号化スキームを決定するよう構成される処理モジュール３１２０であって、対応表は、Ｎ個のＣＱＩインデックスと、Ｍ個の変調スキームと、Ｋ個の符号レートパラメータとを含み、Ｎ個のＣＱＩインデックスのうちの第１ＣＱＩインデックスに対応する符号レートパラメータと第１ＣＱＩインデックスに対応する変調スキームの変調次数との積は、０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、処理モジュール３１２０と
を含む。
【０４２５】
任意に、Ｋ個の符号レートパラメータは、０より大きく４０よりも小さい値を含む。
【０４２６】
任意に、対応表内のＮ個のＣＱＩインデックスは、昇順に配置され、Ｎ個のＣＱＩインデックスのうちの最初のＰ個のＣＱＩインデックスの全部に対応する変調スキームの変調次数と最初のＰ個のＣＱＩインデックスの全部に対応する符号レートパラメータとの積は、昇順に配置され、（Ｐ＋ｈ）番目のＣＱＩインデックスに対応する変調スキームの変調次数と（Ｐ＋ｈ）番目のＣＱＩインデックスに対応する符号レートパラメータとの積は、Ｐ番目のＣＱＩインデックスに対応する変調スキームの変調次数とＰ番目のＣＱＩインデックスに対応する符号レートパラメータとの積よりも小さく、このとき、Ｎ＞Ｐ＋ｈ、ｈは１からＮ−Ｘの範囲の値であり、Ｘ＞Ｐである。
【０４２７】
従って、本願のこの実施形態では、ネットワークデバイスは、指示情報を受信し、対応表に基づいて、少なくとも１つのＣＱＩインデックスに対応する変調スキームを決定し、このとき、対応表は、Ｎ個のＣＱＩインデックスと、Ｍ個の変調スキームと、Ｋ個の符号レートパラメータとを含み、Ｎ個のＣＱＩインデックスのうちの第１ＣＱＩインデックスに対応する符号レートと第１ＣＱＩインデックスに対応する変調スキームの変調次数との積は、０よりも大きく且つ０．０７８１よりも小さい値であり、符号レートパラメータ＝符号レート×１０２４、Ｎ＞Ｍ、Ｎ≧Ｋ、且つ、Ｎ、Ｋ及びＭは全て正の整数であり、そして、ネットワークデバイスは指示情報を送信し、それにより、ネットワークデバイスは、指示情報に従って、少なくとも１つのＣＱＩインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【０４２８】
本願のこの実施形態におけるネットワークデバイス３１００は、本願の実施形態の通信方法２２００におけるネットワークデバイスに対応してよく、ネットワークデバイス３１００におけるモジュールの上記及び他の管理動作及び／又は機能は、上記の方法の対応するステップを実施するために別々に使用されることが理解されるべきである。簡潔さのために、詳細は、ここで再び記載されない。
【０４２９】
本願のこの実施形態では、受信モジュール３１１０は、トランシーバによって実施されてよく、処理モジュール３１２０は、プロセッサによって実施されてよい。図３２に示されるように、ネットワークデバイス３２００は、トランシーバ３２１０、プロセッサ３２２０、及びメモリ３２３０を含んでよい。メモリ３２３０は、指示情報を記憶するよう構成されてよく、更には、プロセッサ３２２０によって実行されるコード、命令、等を記憶するよう構成されてよい。
【０４３０】
プロセッサ３０２０又はプロセッサ３２２０は、集積回路チップであってよく、信号処理機能を備えることが理解されるべきである。実施プロセスにおいて、上記の方法の実施形態のステップは、プロセッサ内のハードウェア集積論理回路を使用することによって、又はソフトウェアの形をとる命令を使用することによって、完了されてよい。プロセッサは、汎用プロセッサ、デジタル信号プロセッサ（Digital  Signal  Processor，ＤＳＰ）、特定用途向け集積回路（Application  Specific  Integrated  Circuit，ＡＳＩＣ）、フィールド・プログラマブル・ゲート・アレイ（Field  Programmable  Gate  Array，ＦＰＧＡ）若しくは他のプログラム可能な論理デバイス、ディスクリートゲート若しくはトランジスタ論理デバイス、又はディスクリートハードウェア部品であってよい。プロセッサは、本発明の実施形態で開示される方法、ステップ、及び論理ブロック図を実施又は実行してよい。汎用プロセッサは、マイクロプロセッサであってよく、あるいは、プロセッサは、如何なる従来のプロセッサ等であってもよい。本発明の実施形態を参照して開示される方法のステップは、ハードウェア復号化プロセッサによって直接実行され完了されてよく、あるいは、復号化プロセッサ内のハードウェアとソフトウェアモジュールとの組み合わせを使用することによって実行され完了されてもよい。ソフトウェアモジュールは、ランダム・アクセス・メモリ、フラッシュメモリ、リード・オンリー・メモリ、プログラム可能リード・オンリー・メモリ、電気的消去可能なプログラム可能メモリ、又はレジスタのような、当該技術における成熟した記憶媒体に位置してよい。記憶媒体は、メモリに位置してよく、プロセッサは、メモリ内の情報を読み出し、プロセッサ内のハードウェアと共同して上記の方法のステップを完了する。
【０４３１】
本発明の実施形態におけるメモリ３０３０又はメモリ３２３０は、揮発性メモリ又は不揮発性メモリであってよく、あるいは、揮発性メモリ及び不揮発性メモリの両方を含んでもよいことが理解され得る。不揮発性メモリは、リード・オンリー・メモリ（Read-Only  Memory，ＲＯＭ）、プログラム可能なリード・オンリー・メモリ（Programmable  ROM，ＰＲＯＭ）、消去可能なプログラム可能リード・オンリー・メモリ（Erasable  PROM，ＥＰＲＯＭ）、電気的消去可能なプログラム可能リード・オンリー・メモリ（Electrically  EPROM，ＥＥＰＲＯＭ）、又はフラッシュメモリであってよい。揮発性メモリは、ランダム・アクセス・メモリ（Random  Access  Memory，ＲＡＭ）であってよく、外部キャッシュとして使用される。限定ではなく例として、多くの形態のＲＡＭが使用されてよく、例えば、静的ランダム・アクセス・メモリ（Static  RAM，ＳＲＡＭ）、動的ランダム・アクセス・メモリ（Dynamic  RAM，ＤＲＡＭ）、同期型動的ランダム・アクセス・メモリ（Synchronous  DRAM，ＳＤＲＡＭ）、ダブル・データ・レート同期型動的ランダム・アクセス・メモリ（Double  Data  Rate  ＳＤＲＡＭ，ＤＤＲ  ＳＤＲＡＭ）、エンハンスド同期型動的ランダム・アクセス・メモリ（Enhanced  SDRAM，ＥＳＤＲＡＭ）、同期リンク動的ランダム・アクセス・メモリ（Synchronous  link  DRAM，ＳＬＤＲＡＭ）、及びダイレクト・ランバス・ランダム・アクセス・メモリ（Direct  Rambus  RAM，ＤＲ  ＲＡＭ）である。
【０４３２】
本明細書中で記載されるシステム及び方法におけるメモリは、これらのメモリ及び何らかの他の適切なタイプのメモリを含むが限られないことが留意されるべきである。
【０４３３】
本願の実施形態は、システムチップを更に提供し、システムチップは、入出力インターフェイス、少なくとも１つのプロセッサ、少なくとも１つのメモリ、及びバスを含む。少なくとも１つのメモリは、命令を記憶するよう構成され、少なくとも１つのプロセッサは、少なくとも１つのメモリの命令を呼び出して、上記の実施形態の方法における動作を実行するよう構成される。
【０４３４】
図３３は、本願の実施形態に従うリソース割り当てシステム３３００を示す。システム３３００は、
図２９に示される実施形態のネットワークデバイス２９００及び図３１に示される実施形態の端末デバイス３１００を含む。
【０４３５】
本願の実施形態は、コンピュータ記憶媒体を更に提供し、コンピュータ記憶媒体は、上記の方法のいずれかを実行するためのプログラム命令を記憶する。
【０４３６】
任意に、記憶媒体は、具体的に、メモリ３０３０又はメモリ３２３０であってよい。
【０４３７】
当業者は、本明細書中で開示される実施形態で記載される例と組み合わせて、ユニット及びアルゴリズムステップが電子ハードウェア又はコンピュータソフトウェアと電子ハードウェアとの組み合わせによって実施可能であると気付き得る。機能がハードウェア又はソフトウェアによって実行されるかどうかは、技術的解決法の特定の用途及び設計制約に依存する。当業者は、特定の用途ごとに、記載される機能を実施するために、異なる方法を使用し得るが、実施が本願の適用範囲を越えることは考えられるべきではない。
【０４３８】
当業者によって明らかに理解され得るように、便宜上及び簡潔な記載のために、上記のシステム、装置、及びユニットの詳細な作動プロセスについては、上記の方法の実施形態における対応するプロセスを参照されたい。詳細は、ここで再び記載されない。
【０４３９】
本願で提供されるいくつかの実施形態では、開示されるシステム、装置、及び方法は、他の様態で実施されてよいことが理解されるべきである。例えば、記載される装置の実施形態は、一例にすぎない。例えば、ユニット分割は、論理的な機能分割にすぎず、実際の実施では他の分割であってよい。例えば、複数のユニット又はコンポーネントが、他のシステムに結合又は一体化されてよく、あるいは、いくつかの特徴が、無視され、又は実行されなくてもよい。その上、表示又は議論されている相互結合又は直接的な結合若しくは通信接続は、何らかのインターフェイスにより実施されてよい。装置又はユニット間の間接的な結合又は通信接続が、電子的な、機械的な、又は他の形態で実施されてもよい。
【０４４０】
別個の部分として記載されるユニットは、物理的に分離していてもしていなくてもよく、ユニットとして表示される部分は、物理的なユニットであってもなくてもよく、一箇所にあっても、あるいは、複数のネットワークユニット上に分配されてもよい。一部又は全てのユニットは、実施形態の解決法の目的を達成するために実際の要件に基づき選択されてよい。
【０４４１】
その上、本願の実施形態における機能ユニットは、１つの処理ユニットに一体化されてよく、あるいは、ユニットの夫々が物理的に単独で存在してよく、あるいは、２つ以上のユニットは１つのユニットに一体化される。
【０４４２】
機能がソフトウェア機能ユニットの形で実施され、独立した製品として販売又は使用される場合に、機能は、コンピュータ可読記憶媒体に記憶されてよい。そのような理解に基づき、本願の技術的解決法は本質的に、又は先行技術に属する部分、若しくは技術的解決法のいくつかは、ソフトウェア製品の形で実施されてよい。コンピュータソフトウェア製品は、記憶媒体に記憶され、本願の実施形態で記載される方法のステップの全て又はいくつかを実行するようにコンピュータデバイス（パーソナルコンピュータ、サーバ、ネットワークデバイス、等であってよい。）に命じるいくつかの命令を含む。上記の記憶媒体は、ＵＳＢフラッシュドライブ、リムーバブル・ハード・ディスク、リード・オンリー・メモリ（Read-Only  Memory，ＲＯＭ）、ランダム・アクセス・メモリ（Random  Access  Memory，ＲＡＭ）、磁気ディスク、又は光ディスクのような、プログラムコードを記憶することができる如何なる媒体も含む。
【０４４３】
上記の説明は、単に本願の具体的な実施であって、本願の保護範囲を制限する意図はない。本願で開示されている技術的範囲内で当業者が容易に考え付く如何なる変形又は置換も、本願の保護範囲内にあるべきである。従って、本願の保護範囲は、特許請求の範囲の保護範囲に従うべきである。
【図１】
2020523913.tif 000038
【図２】
2020523913.tif 000039
【図３】
2020523913.tif 000040
【図４】
2020523913.tif 000041
【図５】
2020523913.tif 000042
【図６】
2020523913.tif 000043
【図７】
2020523913.tif 000044
【図８】
2020523913.tif 000045
【図９】
2020523913.tif 000046
【図１０】
2020523913.tif 000047
【図１１Ａ】
2020523913.tif 000048
【図１１Ｂ】
2020523913.tif 000049
【図１２】
2020523913.tif 000050
【図１３】
2020523913.tif 000051
【図１４】
2020523913.tif 000052
【図１５】
2020523913.tif 000053
【図１６】
2020523913.tif 000054
【図１７】
2020523913.tif 000055
【図１８】
2020523913.tif 000056
【図１９】
2020523913.tif 000057
【図２０】
2020523913.tif 000058
【図２１】
2020523913.tif 000059
【図２２】
2020523913.tif 000060
【図２３】
2020523913.tif 000061
【図２４】
2020523913.tif 000062
【図２５】
2020523913.tif 000063
【図２６】
2020523913.tif 000064
【図２７】
2020523913.tif 000065
【図２８】
2020523913.tif 000066
【図２９】
2020523913.tif 000067
【図３０】
2020523913.tif 000068
【図３１】
2020523913.tif 000069
【図３２】
2020523913.tif 000070
【図３３】
2020523913.tif 000071
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
対応表に基づき指示情報を決定することと、
前記指示情報をネットワークデバイスへ送信することと
を有し、
前記指示情報は、少なくとも１つのチャネル品質インジケータ（ＣＱＩ）インデックスを指示するために使用され、前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信方法。
【請求項２】
前記Ｋ個の符号レートパラメータは、０より大きく４０よりも小さい値である、
請求項１に記載の通信方法。
【請求項３】
前記Ｎ個のＣＱＩインデックスは、少なくとも３タイプの変調スキームに対応し、該少なくとも３タイプの変調スキームの中の直交位相シフトキーイング（ＱＰＳＫ）変調スキームの数量は、前記少なくとも３タイプの変調スキームの中のいずれかの他のタイプの変調スキームの数量よりも多い、
請求項１又は２に記載の通信方法。
【請求項４】
少なくとも１つのチャネル品質インジケータ（ＣＱＩ）インデックスを指示するために使用される指示情報を受信することと、
対応表に基づき、前記少なくとも１つのＣＱＩインデックスに対応する変調及び符号化スキームを決定することと
を有し、
前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信方法。
【請求項５】
前記Ｋ個の符号レートパラメータは、０より大きく４０よりも小さい値である、
請求項４に記載の通信方法。
【請求項６】
前記Ｎ個のＣＱＩインデックスは、少なくとも３タイプの変調スキームに対応し、該少なくとも３タイプの変調スキームの中の直交位相シフトキーイング（ＱＰＳＫ）変調スキームの数量は、前記少なくとも３タイプの変調スキームの中のいずれかの他のタイプの変調スキームの数量よりも多い、
請求項４又は５に記載の通信方法。
【請求項７】
対応表に基づき指示情報を決定することと、
前記指示情報を送信することと
を有し、
前記指示情報は、少なくとも１つの変調及び符号化スキーム（ＭＣＳ）インデックスを指示するために使用され、前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＭＣＳインデックスに対応する符号レートと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信方法。
【請求項８】
前記Ｋ個の符号レートパラメータは、０より大きく４０よりも小さい値である、
請求項７に記載の通信方法。
【請求項９】
少なくとも１つの変調及び符号化スキーム（ＭＣＳ）インデックスを指示するために使用される指示情報を受信することと、
対応表に基づき、前記少なくとも１つのＭＣＳインデックスに対応する変調及び符号化スキームを決定することと
を有し、
前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＭＣＳインデックスに対応する符号レートと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信方法。
【請求項１０】
前記Ｋ個の符号レートパラメータは、０より大きく４０よりも小さい値である、
請求項９に記載の通信方法。
【請求項１１】
対応表に基づき指示情報を決定するよう構成される処理モジュールと、
前記指示情報をネットワークデバイスへ送信するよう構成される送信モジュールと
を有し、
前記指示情報は、少なくとも１つのチャネル品質インジケータ（ＣＱＩ）インデックスを指示するために使用され、前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信装置。
【請求項１２】
前記Ｋ個の符号レートパラメータは、０より大きく４０よりも小さい値である、
請求項１１に記載の通信装置。
【請求項１３】
前記Ｎ個のＣＱＩインデックスは、少なくとも３タイプの変調スキームに対応し、該少なくとも３タイプの変調スキームの中の直交位相シフトキーイング（ＱＰＳＫ）変調スキームの数量は、前記少なくとも３タイプの変調スキームの中のいずれかの他のタイプの変調スキームの数量よりも多い、
請求項１１又は１２に記載の通信装置。
【請求項１４】
少なくとも１つのチャネル品質インジケータ（ＣＱＩ）インデックスを指示するために使用される指示情報を受信するよう構成される受信モジュールと、
対応表に基づき、前記少なくとも１つのＣＱＩインデックスに対応する変調及び符号化スキームを決定するよう構成される処理モジュールと
を有し、
前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信装置。
【請求項１５】
前記Ｋ個の符号レートパラメータは、０より大きく４０よりも小さい値である、
請求項１４に記載の通信装置。
【請求項１６】
前記Ｎ個のＣＱＩインデックスは、少なくとも３タイプの変調スキームに対応し、該少なくとも３タイプの変調スキームの中の直交位相シフトキーイング（ＱＰＳＫ）変調スキームの数量は、前記少なくとも３タイプの変調スキームの中のいずれかの他のタイプの変調スキームの数量よりも多い、
請求項１４又は１５に記載の通信装置。
【請求項１７】
対応表に基づき指示情報を決定するよう構成される処理モジュールと、
前記指示情報を送信するよう構成される送信モジュールと
を有し、
前記指示情報は、少なくとも１つの変調及び符号化スキーム（ＭＣＳ）インデックスを指示するために使用され、前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＭＣＳインデックスに対応する符号レートと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信装置。
【請求項１８】
前記Ｋ個の符号レートパラメータは、０より大きく４０よりも小さい値である、
請求項１７に記載の通信装置。
【請求項１９】
少なくとも１つの変調及び符号化スキーム（ＭＣＳ）インデックスを指示するために使用される指示情報を受信するよう構成される受信モジュールと、
対応表に基づき、前記少なくとも１つのＭＣＳインデックスに対応する変調及び符号化スキームを決定するよう構成される処理モジュールと
を有し、
前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＭＣＳインデックスに対応する符号レートと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、
通信装置。
【請求項２０】
前記Ｋ個の符号レートパラメータは、０より大きく４０よりも小さい値である、
請求項１９に記載の通信装置。
【請求項２１】
命令を記憶し、該命令がコンピュータで実行されるときに、該コンピュータが、請求項１乃至１０のうちいずれか一項に記載の方法を実行することを可能にされる、
コンピュータ可読記憶媒体。
【請求項２２】
コンピュータで実行されるときに、該コンピュータが、請求項１乃至１０のうちいずれか一項に記載の方法を実行することを可能にされる、
コンピュータプログラム。
【請求項２３】
メモリ及びプロセッサを有するチップシステムであって、
前記メモリは、コンピュータプログラムを記憶するよう構成され、
前記プロセッサは、前記メモリから前記コンピュータプログラムを呼び出し、該コンピュータプログラムを実行するよう構成され、それにより、当該チップシステムが配置されている通信装置が、請求項１乃至１０のうちいずれか一項に記載の方法を実行する、
前記チップシステム。
【手続補正２】
【補正対象書類名】明細書
【補正対象項目名】０００１
【補正方法】変更
【補正の内容】
【０００１】
本願は、“CHANNEL  QUALITY  FEEDBACK  METHOD  AND  APPARATUS”と題されて２０１７年６月１６日付けで出願された中国特許出願第２０１７１０４５９７０１．５号の優先権を主張するとともに、“CHANNEL  QUALITY  FEEDBACK  METHOD  AND  APPARATUS”と題されて２０１７年８月１１日付けで中国特許庁に出願された中国特許出願第２０１７１０６８７９６４．１号の優先権を主張する。これらの中国特許出願は、それらの全文を参照により本願に援用される。
【手続補正３】
【補正対象書類名】明細書
【補正対象項目名】００４１
【補正方法】変更
【補正の内容】
【００４１】
第５の態様によれば、本願の実施形態は、ネットワークデバイスが、端末デバイスの変調及び符号化スキーム（ＭＣＳ）レベルインジケータセットを決定し、該ＭＣＳレベルインジケータセットがＭＣＳレベルインジケータ値を含み、該ＭＣＳレベルインジケータ値が変調及び符号化ポリシーを指示するために使用される、ことと、
前記ネットワークデバイスが前記ＭＣＳレベルインジケータセットを前記端末デバイスへ送信することと
を含む変調及び符号化ポリシー指示方法を提供する。
【手続補正４】
【補正対象書類名】明細書
【補正対象項目名】００５０
【補正方法】変更
【補正の内容】
【００５０】
可能な実施において、ネットワークデバイスは、処理ユニット及びトランシーバユニットを含む。処理ユニットは、端末デバイスの変調及び符号化スキーム（ＭＣＳ）レベルインジケータセットを決定するよう構成され、このとき、ＭＣＳレベルインジケータセットは、ＭＣＳレベルインジケータ値を含み、ＭＣＳレベルインジケータ値は、変調及び符号化ポリシーを指示するために使用される。
【手続補正５】
【補正対象書類名】明細書
【補正対象項目名】００６９
【補正方法】変更
【補正の内容】
【００６９】
第１３の態様によれば、本願の実施形態は、チャネル品質を決定する方法を提供する。方法は、少なくとも１つのブロックエラーレート（ＢＬＥＲ）セットをサポートするシステムに適用され、少なくとも１つのＢＬＥＲセットの中の第１ＢＬＥＲセットは第１ＢＬＥＲサブセット及び第２ＢＬＥＲサブセットを含み、第１ＢＬＥＲサブセットは少なくとも１つのＢＬＥＲを含み、第２ＢＬＥＲサブセットは少なくとも１つのＢＬＥＲを含み、方法は、ネットワークデバイスが、第１ＢＬＥＲサブセット内の各ＢＬＥＲに対応し、端末デバイスによって送信されるチャネル品質パラメータを受信し、該チャネル品質パラメータは端末デバイスとネットワークデバイスとの間のチャネル品質を指示するために使用される、ことと、ネットワークデバイスが、少なくとも１つのチャネル品質パラメータ差及び第１ＢＬＥＲサブセット内の少なくとも１つのＢＬＥＲに対応するチャネル品質パラメータに基づいて、第２ＢＬＥＲサブセット内の少なくとも１つのＢＬＥＲに対応するチャネル品質パラメータを決定し、前記少なくとも１つのチャネル品質パラメータ差は、第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間の差を含む、こととを含む。
【手続補正６】
【補正対象書類名】明細書
【補正対象項目名】００７３
【補正方法】変更
【補正の内容】
【００７３】
可能な実施において、方法は、ネットワークデバイスが、チャネル品質パラメータ要求を端末デバイスへ送信し、チャネル品質パラメータ要求は、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差を要求するために使用される、ことと、ネットワークデバイスが、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差を受け取ることとを更に含む。
【手続補正７】
【補正対象書類名】明細書
【補正対象項目名】００８１
【補正方法】変更
【補正の内容】
【００８１】
第１４の態様によれば、チャネル品質を決定する方法が提供される。方法は、少なくとも１つのブロックエラーレート（ＢＬＥＲ）セットをサポートするシステムに適用され、少なくとも１つのＢＬＥＲセットの夫々は第１ＢＬＥＲサブセット及び第２ＢＬＥＲサブセットを含み、第１ＢＬＥＲサブセットは少なくとも１つのＢＬＥＲを含み、第２ＢＬＥＲサブセットは少なくとも１つのＢＬＥＲを含み、方法は、端末デバイスが、第１ＢＬＥＲサブセット内の各ＢＬＥＲに対応し、端末デバイスとネットワークデバイスとの間のチャネル品質を指示するために使用されるチャネル品質パラメータを決定することと、端末デバイスが、第１ＢＬＥＲサブセット内の各ＢＬＥＲに対応するチャネル品質パラメータをネットワークデバイスへ送信して、ネットワークデバイスが、少なくとも１つのチャネル品質パラメータ差及び第１ＢＬＥＲサブセット内の少なくとも１つのＢＬＥＲに対応するチャネル品質パラメータに基づいて、第２ＢＬＥＲサブセット内の少なくとも１つのＢＬＥＲに対応するチャネル品質パラメータを決定するようにすることとを含み、前記少なくとも１つのチャネル品質パラメータ差は、第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間の差を含む。
【手続補正８】
【補正対象書類名】明細書
【補正対象項目名】００８５
【補正方法】変更
【補正の内容】
【００８５】
いくつかの可能な実施において、方法は、端末デバイスが、ネットワークデバイスによって送信されたチャネル品質パラメータ要求を受信し、チャネル品質パラメータ要求は、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差を要求するために使用される、ことと、端末デバイスが、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差をチャネル品質パラメータ要求に従ってネットワークデバイスへ送信することとを更に含む。
【手続補正９】
【補正対象書類名】明細書
【補正対象項目名】００９１
【補正方法】変更
【補正の内容】
【００９１】
いくつかの可能な実施において、伝送モードは、アンテナポート構成及び／又は多入力多出力（ＭＩＭＯ）前処理モードを含む。
【手続補正１０】
【補正対象書類名】明細書
【補正対象項目名】００９２
【補正方法】変更
【補正の内容】
【００９２】
端末デバイスは、ネットワークデバイスに対して、ネットワークデバイスによって要求される異なるアンテナポート構成及び／又は多入力多出力（ＭＩＭＯ）前処理モードでのＢＬＥＲに対応するチャネル品質パラメータ間のチャネル品質パラメータ差を送信してよく、それによって、第２ＢＬＥＲサブセット内のあるＢＬＥＲに対応するチャネル品質パラメータを決定する正確さは、更に改善される。
【手続補正１１】
【補正対象書類名】明細書
【補正対象項目名】００９３
【補正方法】変更
【補正の内容】
【００９３】
第１５の態様によれば、通信方法が提供され、端末デバイスによって対応表に基づき指示情報を決定することと、前記端末デバイスによって前記指示情報をネットワークデバイスへ送信することとを含み、前記指示情報は、少なくとも１つのチャネル品質インジケータ（ＣＱＩ）インデックスを指示するために使用され、前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である。
【手続補正１２】
【補正対象書類名】明細書
【補正対象項目名】００９４
【補正方法】変更
【補正の内容】
【００９４】
本願のこの実施形態では、端末デバイスは、対応表に基づいて指示情報を決定し、このとき、指示情報は、少なくとも１つのチャネル品質インジケータ（ＣＱＩ）インデックスを指示するために使用され、対応表は、Ｎ個のＣＱＩインデックスと、Ｍ個の変調スキームと、Ｋ個の符号レートパラメータとを含み、Ｎ個のＣＱＩインデックスのうちの少なくとも１つは、変調スキームの１タイプに対応し、Ｎ個のＣＱＩインデックスのうちのＫ個は、Ｋ個の符号レートパラメータと一対一の対応にあり、Ｎ個のＣＱＩインデックスのうちの第１ＣＱＩインデックスに対応する符号レートと第１ＣＱＩインデックスに対応する変調スキームの変調次数との積は、０よりも大きく且つ０．０７８１よりも小さい値であり、符号レートパラメータ＝符号レート×１０２４、Ｎ＞Ｍ、Ｎ≧Ｋ、且つ、Ｎ、Ｋ及びＭは全て正の整数であり、そして、端末デバイスは指示情報を送信し、それにより、ネットワークデバイスは、指示情報に従って、少なくとも１つのＣＱＩインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【手続補正１３】
【補正対象書類名】明細書
【補正対象項目名】００９８
【補正方法】変更
【補正の内容】
【００９８】
第１６の態様によれば、通信方法が提供され、ネットワークデバイスが、少なくとも１つのチャネル品質インジケータ（ＣＱＩ）インデックスを指示するために使用される指示情報を受信することと、前記ネットワークデバイスが、対応表に基づき、前記少なくとも１つのＣＱＩインデックスに対応する変調及び符号化スキームを決定することとを含み、前記対応表は、Ｎ個のＣＱＩインデックス、Ｍ個の変調スキーム、及びＫ個の符号レートパラメータを含み、前記Ｎ個のＣＱＩインデックスの中の少なくとも１つが変調スキームの１タイプに対応し、前記Ｎ個のＣＱＩインデックスの中のＫ個が前記Ｋ個の符号レートパラメータと一対一の対応にあり、前記Ｎ個のＣＱＩインデックスの中の第１ＣＱＩインデックスに対応する符号レートと前記第１ＣＱＩインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である。
【手続補正１４】
【補正対象書類名】明細書
【補正対象項目名】００９９
【補正方法】変更
【補正の内容】
【００９９】
本願のこの実施形態では、ネットワークデバイスは、指示情報を受信し、対応表に基づいて、少なくとも１つのＣＱＩインデックスに対応する変調スキームを決定し、このとき、対応表は、Ｎ個のＣＱＩインデックスと、Ｍ個の変調スキームと、Ｋ個の符号レートパラメータとを含み、Ｎ個のＣＱＩインデックスのうちの第１ＣＱＩインデックスに対応する符号レートと第１ＣＱＩインデックスに対応する変調スキームの変調次数との積は、０よりも大きく且つ０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である。このようにして、端末デバイスが指示情報を送信し、それにより、ネットワークデバイスは、指示情報に従って、少なくとも１つのＣＱＩインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【手続補正１５】
【補正対象書類名】明細書
【補正対象項目名】０１０４
【補正方法】変更
【補正の内容】
【０１０４】
本願のこの実施形態では、ネットワークデバイスは、対応表に基づいて指示情報を決定し、このとき、指示情報は、少なくとも１つの変調及び符号化スキーム（ＭＣＳ）インデックスを指示するために使用され、対応表は、Ｎ個のＭＣＳインデックスと、Ｍ個の変調スキームと、Ｋ個の符号レートパラメータとを含み、Ｎ個のＭＣＳインデックスのうちの少なくとも１つは、変調スキームの１タイプに対応し、Ｎ個のＭＣＳインデックスのうちのＫ個は、Ｋ個の符号レートパラメータと一対一の対応にあり、Ｎ個のＭＣＳインデックスのうちの第１ＭＣＳインデックスに対応する符号レートと第１ＭＣＳインデックスに対応する変調スキームの変調次数との積は、０よりも大きく且つ０．０７８１よりも小さい値であり、符号レートパラメータ＝符号レート×１０２４、Ｎ＞Ｍ、Ｎ≧Ｋ、且つ、Ｎ、Ｋ及びＭは全て正の整数であり、そして、ネットワークデバイスは指示情報を送信し、それにより、端末デバイスは、指示情報に従って、少なくとも１つのＭＣＳインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【手続補正１６】
【補正対象書類名】明細書
【補正対象項目名】０１０５
【補正方法】変更
【補正の内容】
【０１０５】
可能な実施において、前記Ｋ個の符号レートパラメータは、０より大きく４０よりも小さい値を含み、Ｎ≧Ｋ、且つＫは正の整数である。
【手続補正１７】
【補正対象書類名】明細書
【補正対象項目名】０１０７
【補正方法】変更
【補正の内容】
【０１０７】
第１８の態様によれば、通信方法が提供され、当該通信方法は、端末デバイスが、少なくとも１つの変調及び符号化スキーム（ＭＣＳ）インデックスを指示するために使用される指示情報を受信することと、前記端末デバイスが、対応表に基づき、前記少なくとも１つのＭＣＳインデックスに対応する変調及び符号化スキームを決定することとを含み、前記対応表は、Ｎ個のＭＣＳインデックス、Ｍ個の変調スキーム、及びＫ個の符号レートパラメータを含み、前記Ｎ個のＭＣＳインデックスの中の少なくとも１つが変調スキームの１タイプに対応し、前記Ｎ個のＭＣＳインデックスの中のＫ個が前記Ｋ個の符号レートパラメータと一対一の対応にあり、前記Ｎ個のＭＣＳインデックスの中の第１ＭＣＳインデックスに対応する符号レートと前記第１ＭＣＳインデックスに対応する変調スキームの変調次数との積が０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である。
【手続補正１８】
【補正対象書類名】明細書
【補正対象項目名】０１３７
【補正方法】変更
【補正の内容】
【０１３７】
本願の実施形態における無線通信システムは、狭帯域インターネット・オブ・シングス（Narrow  Band-Internet  of  Things，ＮＢ−ＩｏＴ）システム、グローバル・システム・フォー・モバイル・コミュニケーションズ（Global  System  for  Mobile  Communications，ＧＳＭ）、エンハンスド・データ・レート・フォーＧＳＭエボリューション（Enhanced  Data  rate  for  GSM  Evolution，ＥＤＧＥ）システム、広帯域符号分割多重アクセス（Wideband  Code  Division  Multiple  Access，ＷＣＤＭＡ）システム、符号分割多重アクセス２０００（Code  Division  Multiple  Access，ＣＤＭＡ２０００）システム、時分割同期符号分割多重アクセス（Time  Division-Synchronization  Code  Division  Multiple  Access，ＴＤ−ＳＣＤＭＡ）システム、ロング・ターム・エボリューション（Long  Term  Evolution，ＬＴＥ）システム、５Ｇシステム、及び将来のモバイル通信システムを含むが限られない点が留意されるべきである。
【手続補正１９】
【補正対象書類名】明細書
【補正対象項目名】０１３８
【補正方法】変更
【補正の内容】
【０１３８】
本願の実施形態における基地局は、無線アクセスネットワーク内に配置され、端末デバイスのための無線通信機能を提供するよう構成される装置である。基地局は、様々な形でマクロ基地局、ミクロ基地局（スモールセルとも呼ばれる。）、中継局、アクセス・ポイント、送信受信点（Transmission  Reception  point，ＴＲＰ）、等を含み得る。異なる無線アクセス技術を使用するシステムでは、基地局機能を備えるデバイスの名称は異なることがある。例えば、ＬＴＥシステムでは、デバイスは進化型ノードＢ（evolved  NodeB，eNB又はeNodeB）と呼ばれ、第３世代（3rd  Generation，３Ｇ）システムでは、デバイスはノードＢ（NodeB，ＮＢ）と呼ばれる。記載の簡単のために、本願の全ての実施形態で、端末デバイスのための無線通信機能を提供する上記の全ての装置は、ネットワークデバイスと総称される。
【手続補正２０】
【補正対象書類名】明細書
【補正対象項目名】０１４３
【補正方法】変更
【補正の内容】
【０１４３】
信頼性は、所与のチャネル品質条件で特定の時間（Ｌ秒）に送信端から受信端へＸビットが正確に送信される成功確率である。上記の時間はまた、ユーザアプリケーションレイヤパケットのサービス・データ・ユニット（Service  Data  Unit，ＳＤＵ）が送信端の無線プロトコルスタックレイヤ２／３から受信端の無線プロトコルスタックレイヤ２／３へ送信されるときに必要とされる時間としても定義される。ＵＲＬＬＣサービスについて、典型的な要件は、１ｍｓで９９．９９９％の信頼性を達成することである。上記の性能インジケータは、単に、典型的な値であることが留意されるべきである。具体的に、ＵＲＬＬＣサービスは異なる信頼性要件を有してもよい。例えば、いくつかの極端に厳しい産業制御要件は、０．２５ｍｓのエンド間レイテンシと、９９．９９９９９９９％の伝送成功確率とを必要とする。
【手続補正２１】
【補正対象書類名】明細書
【補正対象項目名】０１４６
【補正方法】変更
【補正の内容】
【０１４６】
例えば、ＣＱＩフィードバック技術は、典型的なチャネル品質フィードバック技術である。ロング・ターム・エボリューション（Long  Term  Evolution，ＬＴＥ）システムでは、ＣＱＩフィードバック技術は、絶対インジケータ値フィードバック及び差分インジケータ値フィードバックを含む。ＣＱＩ絶対インジケータ値は、図２で表において示される。図示されるように、各ＣＱＩインデックスは、特定のチャネル条件での変調及び符号レートに対応する。表中のＣＱＩ絶対インジケータ値は、チャネル品質インジケータ（ＣＱＩ）セットを形成する。
【手続補正２２】
【補正対象書類名】明細書
【補正対象項目名】０１４８
【補正方法】変更
【補正の内容】
【０１４８】
更に、絶対インジケータ値フィードバックが使用される場合に、比較的に大きいオーバーヘッドが引き起こされる。業界内で、ＣＱＩは、差分インジケータ値フィードバックを使用することによって漸進的にフィードバックされる。差分インジケータ値フィードバックでは、ＣＱＩ参照インデックス値が最初に決定され、オフセットが、夫々の残りのＣＱＩインデックスについて、参照インデックス値を基準として使用することによって計算される。従って、端末デバイスは、オフセットに対応するフィードバック情報をフィードバックしさえすればよい。フィードバック情報のオーバーヘッドを減らすために、いくつかの任意のオフセットが、チャネル品質インジケータ（ＣＱＩ）セットを形成するために決定され、フィードバック情報の１タイプは１つのオフセットに対応する。例えば、チャネル品質インジケータ（ＣＱＩ）セットは｛−１，０，１，２｝である。端末デバイスは、２ビットのフィードバック情報を使用することによって、４つのオフセットをフィードバックし得る。現在、チャネル品質インジケータ（ＣＱＩ）セット、例えば、図３で表において示されるチャネル品質インジケータ（ＣＱＩ）セットが、業界において全ての場合に対して指定されている。参照インデックス値は異なるフィードバックシナリオでは異なり、オフセットの定義も異なる。例えば、符号語０の広帯域ＣＱＩインデックスと符号語１の広帯域ＣＱＩインデックスとの間のオフセットは、符号語１の広帯域ＣＱＩインデックスを参照インデックス値として使用することによって計算される。例えば、サブバンドＣＱＩインデックスと広帯域ＣＱＩインデックスとの間のオフセットは、広帯域ＣＱＩインデックスを参照インデックス値として使用することによって計算される。例えば、最良の信号品質を有している選択されたＭ個のサブバンドの夫々のＣＱＩインデックスと広帯域ＣＱＩインデックスとの間のオフセットは、広帯域ＣＱＩインデックスを参照インデックス値として使用することによって計算される。
【手続補正２３】
【補正対象書類名】明細書
【補正対象項目名】０１６５
【補正方法】変更
【補正の内容】
【０１６５】
測定値に対応する基準時は、測定値に対応する基準測定時点又は測定値に対応する測定報告時点であってよい。測定値に対応する測定報告時点は、端末デバイスによってチャネル品質測定値についてのフィードバック情報（フィードバック情報は、チャネル品質測定値に基づきネットワークデバイスに対してチャネル品質を指示するために使用される。）を送信する時点であり、基準測定時点は、通常は、測定報告時点より前の前もってセットされた期間（例えば、測定報告時点前の２つのサブフレーム）として定義される。端末デバイスは、チャネル品質測定値を取得するようチャネル品質を測定し、そして、端末デバイスによってチャネル品質を測定する測定時間は、基準測定時点と重なり合い、あるいは、複数の測定時間が存在し、基準測定時点は測定時間の１つである。図７に示されるように、ｔ３は測定報告時点を表し、ｔ２は基準測定時点を表し、ｔ１は測定時間を表す。図７で、ｔ２からｔ３の間隔は１サブフレームであり、ｔ１とｔ２とは重なり合っている。図８に示されるように、ｔ３は測定報告時点を表し、ｔ２は基準測定時点を表し、ｔ１は測定時間を表す。図８で、ｔ２からｔ３の間隔は１サブフレームであり、ｔ１は、３つのサブフレームに及び（すなわち、端末デバイスは、３つの全てのサブフレームでチャネル品質を測定し、最終的にチャネル品質平均をフィードバックする。）、ｔ２はｔ１内のサブフレームである。ｔ２からｔ３の間隔は、通常はプロトコルで指定される。
【手続補正２４】
【補正対象書類名】明細書
【補正対象項目名】０１６７
【補正方法】変更
【補正の内容】
【０１６７】
任意に、チャネル品質がＢＬＥＲである場合に、チャネル品質測定値は、現在のチャネル品質条件で現在の伝送のために使用されるＭＣＳに対応するＢＬＥＲレベルであってよく、チャネル品質参照値は、現在の伝送での期待される目標ＢＬＥＲレベルであってよい。ＢＬＥＲレベルは｛１，２，３，４，５｝を含んでよく、ＢＬＥＲレベルに対応するＢＬＥＲは｛１０−１，１０−２，１０−３，１０−４，１０−５｝である。
【手続補正２５】
【補正対象書類名】明細書
【補正対象項目名】０１９１
【補正方法】変更
【補正の内容】
【０１９１】
端末デバイスは、時点ｔ１でチャネルを測定し、３であるチャネル品質測定値を取得し、時点ｔ０でフィードバックされたＣＱＩインデックスを参照値として使用する。時点ｔ０でフィードバックされるＣＱＩインデックスは２であり、時点ｔ０は時点ｔ１より前であると仮定される。チャネル品質測定値とチャネル品質参照値との間の差は、３−２＝１である。時点ｔ１から時点ｔ０の間の期間が６ｍｓである場合に、対応するチャネル品質インジケータセットは｛−１，０，１，２｝であり、１である差分インジケータ値に対応するフィードバック情報は、１０である。端末デバイスは、１０であるフィードバック情報を送信する。
【手続補正２６】
【補正対象書類名】明細書
【補正対象項目名】０１９５
【補正方法】変更
【補正の内容】
【０１９５】
端末デバイスは、時点ｔ１でチャネルを測定し、２であるチャネル品質測定値及び１％である参照ＢＬＥＲを取得し、時点ｔ０でフィードバックされたＣＱＩインデックスを参照値として使用する。時点ｔ０でフィードバックされるＣＱＩインデックスは２であり、参照ＢＬＥＲは１０％であり、時点ｔ０は時点ｔ１より前であると仮定される。チャネル品質測定値とチャネル品質参照値との間の差は２−２＝０である。測定値に対応するＢＬＥＲと参照値に対応するＢＬＥＲとの間のＢＬＥＲ差が０に満たない場合に、対応するチャネル品質インジケータセットは｛−３，−２，−１，０｝であり、差分インジケータ値０に対応するフィードバック情報は、１１である。端末デバイスは、１１であるフィードバック情報を送信する。
【手続補正２７】
【補正対象書類名】明細書
【補正対象項目名】０２１５
【補正方法】変更
【補正の内容】
【０２１５】
ステップＳ２０：ネットワークデバイスは、端末デバイスの変調及び符号化スキーム（ＭＣＳ）レベルインジケータセットを決定し、このとき、ＭＣＳレベルインジケータセットは、ＭＣＳレベルインジケータ値を含み、ＭＣＳレベルインジケータ値は、変調及び符号化ポリシーを指示するために使用される。
【手続補正２８】
【補正対象書類名】明細書
【補正対象項目名】０２２４
【補正方法】変更
【補正の内容】
【０２２４】
端末デバイスのためにネットワークデバイスによって構成されるＭＣＳレベルインジケータセットは、プロトコルで指定される前もってセットされたセット内の連続したＭＣＳレベルインジケータ値（ＭＣＳレベル）を含んでよく、あるいは、端末デバイスのためにネットワークデバイスによって構成されるＭＣＳレベルインジケータセットは、プロトコルで指定される前もってセットされたセット内の不連続なＭＣＳレベルインジケータ値（ＭＣＳレベル）を含んでよい。
【手続補正２９】
【補正対象書類名】明細書
【補正対象項目名】０２２６
【補正方法】変更
【補正の内容】
【０２２６】
端末デバイスのためにネットワークデバイスによって構成されるＭＣＳレベルインジケータセットが、プロトコルで指定される前もってセットされたセットからランダムに選択される要素を含む場合。すなわち、規則がなく、ＭＣＳレベルインジケータセットを指示するためのシグナリング（シグナリングは、上位レイヤシグナリング、ＭＡＣ  ＣＥシグナリング、ユーザ特有のシグナリング、等を含み得るが限られない。）は、ビットマップを使用することによる端末への指示のために使用されてよい。例えば、前もってセットされたセットが６４個のＭＣＳレベルインジケータ値を含む場合に、６４ビットが指示のために使用される。ＭＳＣレベルインジケータセットがＭＣＳレベルインジケータ値を含む場合に、ＭＣＳレベルインジケータ値に対応するビットは１に設定される。ＭＣＳレベルインジケータセットがＭＳＣレベルインジケータ値を含まない場合に、ＭＣＳレベルインジケータ値に対応するビットは０に設定される。
【手続補正３０】
【補正対象書類名】明細書
【補正対象項目名】０２３２
【補正方法】変更
【補正の内容】
【０２３２】
図１２は、本願の実施形態に従うネットワークデバイス１０１の論理構造の概略図である。ネットワークデバイス１０１は、処理ユニット１０１１及びトランシーバユニット１０１２を含んでよい。
【手続補正３１】
【補正対象書類名】明細書
【補正対象項目名】０２３７
【補正方法】変更
【補正の内容】
【０２３７】
図１３は、本願の実施形態に従うネットワークデバイス１０２の物理構造の概略図である。ネットワークデバイス１０２は、プロセッサ１０２１、トランシーバ１０２２、及びメモリ１０２３を含む。プロセッサ１０２１、メモリ１０２３、及びトランシーバ１０２２は、バスにより相互接続される。
【手続補正３２】
【補正対象書類名】明細書
【補正対象項目名】０２４４
【補正方法】変更
【補正の内容】
【０２４４】
図１４は、本願の実施形態に従う端末デバイス２０１の論理構造の概略図である。端末デバイス２０１は、トランシーバユニット２０１１及び処理ユニット２０１２を含んでよい。
【手続補正３３】
【補正対象書類名】明細書
【補正対象項目名】０２５０
【補正方法】変更
【補正の内容】
【０２５０】
メモリ２０２３は、ＲＡＭ、ＲＯＭ、ＥＰＲＯＭ、又はＣＤ−ＲＯＭを含むが限られず、メモリ２０２３は、関連する命令及びデータを記憶するよう構成される。
【手続補正３４】
【補正対象書類名】明細書
【補正対象項目名】０２５６
【補正方法】変更
【補正の内容】
【０２５６】
図１６は、本願の実施形態に従うネットワークデバイス３０１の論理構造の概略図である。ネットワークデバイス３０１は、処理ユニット３０１１及びトランシーバユニット３０１２を含んでよい。
【手続補正３５】
【補正対象書類名】明細書
【補正対象項目名】０２５７
【補正方法】変更
【補正の内容】
【０２５７】
処理ユニット３０１１は、端末デバイスの変調及び符号化スキーム（ＭＣＳ）レベルインジケータセットを決定するよう構成され、このとき、ＭＣＳレベルインジケータセットは、少なくとも１つのＭＣＳレベルインジケータ値を含み、ＭＣＳレベルインジケータ値は、変調及び符号化ポリシーを指示するために使用される。
【手続補正３６】
【補正対象書類名】明細書
【補正対象項目名】０２６１
【補正方法】変更
【補正の内容】
【０２６１】
図１７は、本願の実施形態に従うネットワークデバイス３０２の物理構造の概略図である。ネットワークデバイス３０２は、プロセッサ３０２１、トランシーバ３０２２、及びメモリ３０２３を含む。プロセッサ３０２１、メモリ３０２３、及びトランシーバ３０２２は、バスにより相互接続される。
【手続補正３７】
【補正対象書類名】明細書
【補正対象項目名】０２６５
【補正方法】変更
【補正の内容】
【０２６５】
例えば、プロセッサ３０２１は、端末デバイスの変調及び符号化スキーム（ＭＣＳ）レベルインジケータセットを決定するよう構成され、このとき、ＭＣＳレベルインジケータセットは、少なくとも１つのＭＣＳレベルインジケータ値を含み、ＭＣＳレベルインジケータ値は、変調及び符号化ポリシーを指示するために使用される。
【手続補正３８】
【補正対象書類名】明細書
【補正対象項目名】０２６８
【補正方法】変更
【補正の内容】
【０２６８】
図１８は、本願の実施形態に従う端末デバイス４０１の論理構造の概略図である。端末デバイス４０１は、トランシーバユニット４０１１及び処理ユニット４０１２を含んでよい。
【手続補正３９】
【補正対象書類名】明細書
【補正対象項目名】０２７４
【補正方法】変更
【補正の内容】
【０２７４】
メモリ４０２３は、ＲＡＭ、ＲＯＭ、ＥＰＲＯＭ、又はＣＤ−ＲＯＭを含むが限られず、メモリ４０２３は、関連する命令及びデータを記憶するよう構成される。
【手続補正４０】
【補正対象書類名】明細書
【補正対象項目名】０２８６
【補正方法】変更
【補正の内容】
【０２８６】
上記の性能インジケータは、一例にすぎないことが留意されるべきである。具体的に、ＵＲＬＬＣサービスは異なる信頼性要件を有してもよい。例えば、いくつかの極端に厳しい産業制御要件は、０．２５ｍｓのエンド間レイテンシで９９．９９９９９９９％の伝送成功確率を必要とする。
【手続補正４１】
【補正対象書類名】明細書
【補正対象項目名】０２９０
【補正方法】変更
【補正の内容】
【０２９０】
通信方法は、少なくとも１つのブロックエラーレート（ＢＬＥＲ）セットをサポートするシステムに適用され、少なくとも１つのＢＬＥＲセットの第１ＢＬＥＲセットは、第１ＢＬＥＲサブセット及び第２ＢＬＥＲサブセットを含み、第１ＢＬＥＲサブセットは少なくとも１つのＢＬＥＲを含み、第２ＢＬＥＲサブセットは少なくとも１つのＢＬＥＲを含む。
【手続補正４２】
【補正対象書類名】明細書
【補正対象項目名】０３１８
【補正方法】変更
【補正の内容】
【０３１８】
表５では、ＣＱＩレベルがＣＱＩ１である場合に、対応するＢＬＥＲセットは１０％、１％、０．１％、０．０１％、及び０．００１％を含んでよいことが更に理解されるべきである。この場合に、ＣＱＩレベル差は、ＣＱＩ１が表５中で位置する列に対応するＣＱＩレベル差であってよい。ＢＬＥＲ＝１０％がＣＱＩ１に対応することが知られる場合に、ＢＬＥＲ＝１％に対応するＣＱＩは、次のように計算され得る：ＣＱＩ１＋（ＣＱＩ２−ＣＱＩ１）＋０．５。
【手続補正４３】
【補正対象書類名】明細書
【補正対象項目名】０３５８
【補正方法】変更
【補正の内容】
【０３５８】
２２０１．端末デバイスは、対応表に基づいて指示情報を決定し、このとき、指示情報は、少なくとも１つのチャネル品質インジケータ（ＣＱＩ）インデックスを指示するために使用され、対応表は、Ｎ個のＣＱＩインデックス、Ｍ個の変調スキーム、及びＫ個の符号レートパラメータを含み、Ｎ個のＣＱＩインデックスのうちの少なくとも１つは、変調スキームの１タイプに対応し、Ｎ個のＣＱＩインデックスのうちのＫ個は、Ｋ個の符号レートパラメータと一対一の対応にあり、Ｎ個のＣＱＩインデックスのうちの第１ＣＱＩインデックスに対応する符号レートと第１ＣＱＩインデックスに対応する変調スキームの変調次数との積は、０より大きく０．０７８１よりも小さい値であり、このとき、符号レートパラメータ＝符号レート×１０２４、Ｎ＞Ｍ、Ｎ≧Ｋ、且つ、Ｎ、Ｋ及びＭは全て正の整数である。
【手続補正４４】
【補正対象書類名】明細書
【補正対象項目名】０３６４
【補正方法】変更
【補正の内容】
【０３６４】
本願のこの実施形態で０．０７８１に満たないスペクトル効率は、表２３中の値以外の値であり得ることが理解されるべきである。これは、本願において限られない。
【手続補正４５】
【補正対象書類名】明細書
【補正対象項目名】０３６６
【補正方法】変更
【補正の内容】
【０３６６】
例えば、表２３に示されるように、符号レート値は１６、８、又は４であってよい。本願のこの実施形態で０より大きく４０よりも小さい符号レート値は、他の値であってもよいことが理解されるべきである。これは、本願において限られない。
【手続補正４６】
【補正対象書類名】明細書
【補正対象項目名】０３９３
【補正方法】変更
【補正の内容】
【０３９３】
従って、本願のこの実施形態における通信方法によれば、ネットワークデバイスは、対応表に基づいて指示情報を決定し、このとき、指示情報は、少なくとも１つの変調及び符号化スキーム（ＭＣＳ）インデックスを指示するために使用され、対応表は、Ｎ個のＭＣＳインデックスと、Ｍ個の変調スキームと、Ｋ個の符号レートパラメータとを含み、Ｎ個のＭＣＳインデックスのうちの少なくとも１つは、変調スキームの１タイプに対応し、Ｎ個のＭＣＳインデックスのうちのＫ個は、Ｋ個の符号レートパラメータと一対一の対応にあり、Ｎ個のＭＣＳインデックスのうちの第１ＭＣＳインデックスに対応する符号レートと第１ＭＣＳインデックスに対応する変調スキームの変調次数との積は、０よりも大きく且つ０．０７８１よりも小さい値であり、符号レートパラメータ＝符号レート×１０２４、Ｎ＞Ｍ、Ｎ≧Ｋ、且つ、Ｎ、Ｋ及びＭは全て正の整数であり、そして、ネットワークデバイスは指示情報を送信し、それにより、端末デバイスは、指示情報に従って、少なくとも１つのＭＣＳインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【手続補正４７】
【補正対象書類名】明細書
【補正対象項目名】０３９６
【補正方法】変更
【補正の内容】
【０３９６】
任意に、ネットワークデバイス２４００は、チャネル品質パラメータ要求を端末デバイスへ送信するよう構成される送信モジュールを更に含み、チャネル品質パラメータ要求は、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差を要求するために使用される。受信モジュール２４１０は、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差を受信するよう更に構成される。
【手続補正４８】
【補正対象書類名】明細書
【補正対象項目名】０３９８
【補正方法】変更
【補正の内容】
【０３９８】
任意に、伝送モードは、アンテナポート構成及び／又は多入力多出力（ＭＩＭＯ）前処理モードを含む。
【手続補正４９】
【補正対象書類名】明細書
【補正対象項目名】０４０２
【補正方法】変更
【補正の内容】
【０４０２】
図２６は、本願の実施形態に従う端末デバイス２６００の略ブロック図である。図２６に示されるように、端末デバイス２６００は、少なくとも１つのブロックエラーレート（ＢＬＥＲ）セットをサポートするシステムに適用され、少なくとも１つのＢＬＥＲセットの夫々は第１ＢＬＥＲサブセット及び第２ＢＬＥＲサブセットを含み、第１ＢＬＥＲサブセットは少なくとも１つのＢＬＥＲを含み、第２ＢＬＥＲサブセットは少なくとも１つのＢＬＥＲを含み、端末デバイス２６００は、
第１ＢＬＥＲサブセット内の各ＢＬＥＲに対応するチャネル品質パラメータを決定するよう構成される処理モジュール２６１０であって、チャネル品質パラメータは、端末デバイスとネットワークデバイスとの間のチャネル品質を指示するために使用される、処理モジュール２６１０と、
第１ＢＬＥＲサブセット内の各ＢＬＥＲに対応するチャネル品質パラメータをネットワークデバイスへ送信して、ネットワークデバイスが、少なくとも１つのチャネル品質パラメータ差及び第１ＢＬＥＲサブセット内の少なくとも１つのＢＬＥＲに対応するチャネル品質パラメータに基づいて、第２ＢＬＥＲサブセット内の少なくとも１つのＢＬＥＲに対応するチャネル品質パラメータを決定するようにするよう構成される送信モジュール２６２０であって、少なくとも１つのチャネル品質パラメータ差は、第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間の差を含む、送信モジュール２６２０と
を含む。
【手続補正５０】
【補正対象書類名】明細書
【補正対象項目名】０４０４
【補正方法】変更
【補正の内容】
【０４０４】
任意に、端末デバイス２６００は、ネットワークデバイスによって送信されたチャネル品質パラメータ要求を受信するよう構成される受信モジュールを更に含み、チャネル品質パラメータ要求は、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差を要求するために使用される。処理モジュール２６１０は、少なくとも１つのＢＬＥＲセットの夫々における第２ＢＬＥＲサブセット内の少なくとも１つのＢＬＥＲに対応するチャネル品質パラメータと、第１ＢＬＥＲサブセット内の少なくとも１つのＢＬＥＲに対応するチャネル品質パラメータとの間のチャネル品質パラメータ差をチャネル品質パラメータ要求に従ってネットワークデバイスへ送信するよう更に構成される。
【手続補正５１】
【補正対象書類名】明細書
【補正対象項目名】０４０７
【補正方法】変更
【補正の内容】
【０４０７】
任意に、伝送モードは、アンテナポート構成及び／又は多入力多出力（ＭＩＭＯ）前処理モードを含む。
【手続補正５２】
【補正対象書類名】明細書
【補正対象項目名】０４１８
【補正方法】変更
【補正の内容】
【０４１８】
図２９は、本願の実施形態に従う端末デバイス２９００の略ブロック図である。図２９に示されるように、端末デバイス２９００は、
対応表に基づいて指示情報を決定するよう構成される処理モジュール２９１０であって、指示情報は、少なくとも１つのチャネル品質インジケータ（ＣＱＩ）インデックスを指示するために使用され、対応表は、Ｎ個のＣＱＩインデックス、Ｍ個の変調スキーム、及びＫ個の符号レートパラメータを含み、Ｎ個のＣＱＩインデックスのうちの少なくとも１つは、変調スキームの１タイプに対応し、Ｎ個のＣＱＩインデックスのうちのＫ個は、Ｋ個の符号レートパラメータと一対一の対応にあり、Ｎ個のＣＱＩインデックスのうちの第１ＣＱＩインデックスに対応する符号レートと第１ＣＱＩインデックスに対応する変調スキームの変調次数との積は、０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、処理モジュール２９１０と、
指示情報をネットワークデバイスへ送信するよう構成される送信モジュール２９２０と
を含む。
【手続補正５３】
【補正対象書類名】明細書
【補正対象項目名】０４２１
【補正方法】変更
【補正の内容】
【０４２１】
従って、本願のこの実施形態では、端末デバイスは、対応表に基づいて指示情報を決定し、このとき、指示情報は、少なくとも１つのチャネル品質インジケータ（ＣＱＩ）インデックスを指示するために使用され、対応表は、Ｎ個のＣＱＩインデックス、Ｍ個の変調スキーム、及びＫ個の符号レートパラメータを含み、Ｎ個のＣＱＩインデックスの中の少なくとも１つは変調スキームの１タイプに対応し、Ｎ個のＣＱＩインデックスの中のＫ個はＫ個の符号レートパラメータと一対一の対応にあり、Ｎ個のＣＱＩインデックスの中の第１ＣＱＩインデックスに対応する符号レートと第１ＣＱＩインデックスに対応する変調スキームの変調次数との積は０より大きく０．０７８１よりも小さい値であり、このとき、符号レートパラメータ＝符号レート×１０２４、Ｎ＞Ｍ、Ｎ≧Ｋ、且つ、Ｎ、Ｋ及びＭは全て正の整数であり、そして、端末デバイスは指示情報を送信し、それにより、ネットワークデバイスは、指示情報をに従って、少なくとも１つのＣＱＩインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【手続補正５４】
【補正対象書類名】明細書
【補正対象項目名】０４２２
【補正方法】変更
【補正の内容】
【０４２２】
本願のこの実施形態における端末デバイス２９００は、本願の実施形態の通信方法における端末デバイスに対応してよく、端末デバイス２９００におけるモジュールの上記及び他の管理動作及び／又は機能は、上記の方法の対応するステップを実施するために別々に使用されることが理解されるべきである。簡潔さのために、詳細は、ここで再び記載されない。
【手続補正５５】
【補正対象書類名】明細書
【補正対象項目名】０４２４
【補正方法】変更
【補正の内容】
【０４２４】
図３１は、本願の実施形態に従うネットワークデバイス３１００の略ブロック図である。図３１に示されるように、ネットワークデバイス３１００は、
指示情報を受信するよう構成される受信モジュール３１１０であって、指示情報は、少なくとも１つのチャネル品質インジケータ（ＣＱＩ）インデックスを指示するために使用される、受信モジュール３１１０と、
対応表に基づいて、少なくとも１つのＣＱＩインデックスに対応する変調及び符号化スキームを決定するよう構成される処理モジュール３１２０であって、対応表は、Ｎ個のＣＱＩインデックスと、Ｍ個の変調スキームと、Ｋ個の符号レートパラメータとを含み、Ｎ個のＣＱＩインデックスのうちの第１ＣＱＩインデックスに対応する符号レートパラメータと第１ＣＱＩインデックスに対応する変調スキームの変調次数との積は、０より大きく０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である、処理モジュール３１２０と
を含む。
【手続補正５６】
【補正対象書類名】明細書
【補正対象項目名】０４２７
【補正方法】変更
【補正の内容】
【０４２７】
従って、本願のこの実施形態では、ネットワークデバイスは、指示情報を受信し、対応表に基づいて、少なくとも１つのＣＱＩインデックスに対応する変調スキームを決定し、このとき、対応表は、Ｎ個のＣＱＩインデックスと、Ｍ個の変調スキームと、Ｋ個の符号レートパラメータとを含み、Ｎ個のＣＱＩインデックスのうちの第１ＣＱＩインデックスに対応する符号レートと第１ＣＱＩインデックスに対応する変調スキームの変調次数との積は、０よりも大きく且つ０．０７８１よりも小さい値であり、符号レートパラメータ＝符号レート×１０２４、Ｎ＞Ｍ、Ｎ≧Ｋ、且つ、Ｎ、Ｋ及びＭは全て正の整数である。このようにして、端末デバイスが指示情報を送信し、それにより、ネットワークデバイスは、指示情報に従って、少なくとも１つのＣＱＩインデックスに対応する変調スキームを決定する。すなわち、本願は、０．０７８１よりも低いスペクトル効率を必要とするシステムに適用可能であり、すなわち、チャネル条件が悪いエリアがカバーされて、ユーザがディープフェージングチャネルで通信を実行することができることを確かにする。
【手続補正５７】
【補正対象書類名】明細書
【補正対象項目名】０４２８
【補正方法】変更
【補正の内容】
【０４２８】
本願のこの実施形態におけるネットワークデバイス３１００は、本願の実施形態の通信方法におけるネットワークデバイスに対応してよく、ネットワークデバイス３１００におけるモジュールの上記及び他の管理動作及び／又は機能は、上記の方法の対応するステップを実施するために別々に使用されることが理解されるべきである。簡潔さのために、詳細は、ここで再び記載されない。
【国際調査報告】
2020523913.tif 000072
2020523913.tif 000073
2020523913.tif 000074
2020523913.tif 000075